(57)【特許請求の範囲】
【請求項１】
無線通信システムにおいてＵＥ（Ｕｓｅｒ  Ｅｑｕｉｐｍｅｎｔ）がＳＲＳ（Ｓｏｕｎｄｉｎｇ  Ｒｅｆｅｒｅｎｃｅ  Ｓｉｇｎａｌ）を送信する方法であって、
基地局から少なくとも１つのＳＲＳ資源セットに対する設定情報を受信するステップであって、前記設定情報は第１空間関係情報を含むステップと、
前記基地局から、ＳＲＳ送信に対する下向きリンク制御情報（ＤＣＩ：Ｄｏｗｎｌｉｎｋ  Ｃｏｎｔｒｏｌ  Ｉｎｆｏｒｍａｔｉｏｎ）を受信するステップと、
前記第１空間関係情報に基づいて空間関係仮定を適用することにより前記ＳＲＳを前記基地局へ送信するステップと、
ｍｅｄｉｕｍ  ａｃｃｅｓｓ  ｃｏｎｔｒｏｌ（ＭＡＣ）ｃｏｎｔｒｏｌ  ｅｌｅｍｅｎｔ（ＣＥ）シグナリングを介して第２空間関係情報を前記基地局から受信するステップを含み、
前記空間関係仮定は前記第２空間関係情報に基づいて更新される、送信方法。
【請求項２】
前記設定情報は、ＲＲＣ（Ｒａｄｉｏ  Ｒｅｓｏｕｒｃｅ  Ｃｏｎｔｒｏｌ）シグナリングを介して受信される、請求項１に記載の送信方法。
【請求項３】
前記空間関係仮定に対する参照信号のタイプは、ＳＲＳ、ＣＳＩ（Ｃｈａｎｎｅｌ  Ｓｔａｔｅ  Ｉｎｆｏｒｍａｔｉｏｎ）−ＲＳ（Ｒｅｆｅｒｅｎｃｅ  Ｓｉｇｎａｌ）、又はＳＳ（Ｓｙｎｃｈｒｏｎｉｚａｔｉｏｎ  Ｓｉｇｎａｌ）ブロックのうちの少なくとも一つを含む、請求項２に記載の送信方法。
【請求項４】
前記少なくとも一つのＳＲＳ資源セットに含まれたＳＲＳ資源のタイプは、前記設定情報に基づいて半−静的（ｓｅｍｉ−ｐｅｒｓｉｓｔｅｎｔ）タイプに設定され、
前記ＳＲＳは、半静的に送信される、請求項１に記載の送信方法。
【請求項５】
前記少なくとも１つのＳＲＳ資源の中の特定ＳＲＳ資源セットを活性化するために活性化情報を前記基地局から受信するステップをさらに含み、
前記第２空間関係情報は、前記活性化情報に含まれる、請求項４に記載の送信方法。
【請求項６】
前記少なくとも一つのＳＲＳ資源セットに含まれたＳＲＳ資源のタイプは、前記設定情報に基づいて非周期的（ａｐｅｒｉｏｄｉｃ）タイプとして設定され、
前記ＳＲＳは非周期的に送信される、請求項１に記載の送信方法。
【請求項７】
前記ＤＣＩ（Ｄｏｗｎｌｉｎｋ  Ｃｏｎｔｒｏｌ  Ｉｎｆｏｒｍａｔｉｏｎ）は、非周期的ＳＲＳ送信をトリガーする、請求項６に記載の送信方法。
【請求項８】
前記設定情報は、前記非周期的ＳＲＳ送信に対するスロットオフセットに関係する情報をさらに含み、
前記スロットオフセットは前記ＤＣＩのトリガリングと前記非周期的ＳＲＳ送信の間の区間である、請求項７に記載の送信方法。
【請求項９】
前記ＤＣＩは、前記ＵＥ（端末）の上向きリンク送信のための特定ＳＲＳ資源を指示するＳＲＩ（ＳＲＳ  Ｒｅｓｏｕｒｃｅ  Ｉｎｄｉｃａｔｏｒ）を含む、請求項１に記載の送信方法。
【請求項１０】
前記ＳＲＩは、前記ＳＲＩにより識別されるＳＲＳ資源に対するＳＲＳ送信のうち、最も最近の（ｔｈｅ  ｍｏｓｔ  ｒｅｃｅｎｔ）ＳＲＳ送信と連関する、請求項９に記載の送信方法。
【請求項１１】
無線通信システムにおいてＳＲＳ（Ｓｏｕｎｄｉｎｇ  Ｒｅｆｅｒｅｎｃｅ  Ｓｉｇｎａｌ）を送信するＵＥ（Ｕｓｅｒ  Ｅｑｕｉｐｍｅｎｔ）であって、
送受信器と、
少なくとも一つのプロセッサと、
前記少なくとも一つのプロセッサと動作的に結合でき、指示を格納する少なくとも一つのコンピュータメモリとを含み、
前記少なくとも一つのプロセッサにより実行された時、
基地局から少なくとも１つのＳＲＳ（Ｓｏｕｎｄｉｎｇ  Ｒｅｆｅｒｅｎｃｅ  Ｓｉｇｎａｌ）資源セットに対する設定情報を受信し、前記設定情報は第１空間関係情報を含み、
前記基地局から、ＳＲＳ送信に対する下向きリンク制御情報（ＤＣＩ：Ｄｏｗｎｌｉｎｋ  Ｃｏｎｔｒｏｌ  Ｉｎｆｏｒｍａｔｉｏｎ）を受信し、
前記第１空間関係情報に基づいて空間関係仮定を適用することにより前記ＳＲＳを前記基地局へ送信し、
ｍｅｄｉｕｍ  ａｃｃｅｓｓ  ｃｏｎｔｒｏｌ（ＭＡＣ）ｃｏｎｔｒｏｌ  ｅｌｅｍｅｎｔ（ＣＥ）シグナリングを介して第２空間関係情報を前記基地局から受信することを含む動作を実行し、
前記空間関係仮定は前記第２空間関係情報に基づいて更新される、ＵＥ。
【請求項１２】
前記スロットオフセットに関係する前記情報は、それぞれのＳＲＳ資源セットに対して設定される、請求項８に記載の送信方法。
【請求項１３】
前記ＳＲＳは、前記スロットオフセットと、前記ＤＣＩが受信されるスロットに基づいて決定されるスロットで非周期的に送信される、請求項１２に記載の送信方法。
【請求項１４】
前記設定情報は前記ＤＣＩのコードポイントとそれぞれのＳＲＳ資源セットの間の関連に対する第２情報をさらに含み、
特定ＳＲＳ資源セットは前記ＤＣＩの特定コードポイントに基づいてトリガされる、請求項８に記載の送信方法。
【発明の詳細な説明】
【技術分野】
【０００１】
本発明は、無線通信システムに関し、より詳細には、端末のサウンディング方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当りの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本発明の目的は、上向きリンク／下向きリンクＭＩＭＯ（Ｍｕｌｔｉ  Ｉｎｐｕｔ  Ｍｕｌｔｉ  Ｏｕｔｐｕｔ）送信を効果的に支援することにある。
【０００５】
また、本発明の目的は、端末の効率的なサウンディング方法／手順を提案することにある。
【０００６】
本発明においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【０００７】
本発明の一態様は、無線通信システムにおけるＵＥ（Ｕｓｅｒ  Ｅｑｕｉｐｍｅｎｔ）のサウンディング方法において、基地局から少なくとも１つのＳＲＳ（Ｓｏｕｎｄｉｎｇ  Ｒｅｆｅｒｅｎｃｅ  Ｓｉｇｎａｌ）資源セットを設定されるステップと、前記基地局から前記少なくとも１つのＳＲＳ資源セットのうち、特定ＳＲＳ資源セットのＳＲＳ送信活性化（ａｃｔｉｖａｔｉｏｎ）を指示する活性化指示情報を受信するステップと、前記特定ＳＲＳ資源セットに対応するＳＲＳ送信を前記基地局に対して行うステップとを含み、前記特定ＳＲＳ資源セットに含まれたＳＲＳ資源別に空間関係（ｓｐａｔｉａｌ  ｒｅｌａｔｉｏｎｓｈｉｐ）仮定が適用される対象参照信号は、前記活性化指示情報に基づいて決定されることができる。
【０００８】
また、前記少なくとも１つのＳＲＳ資源セットは、ＲＲＣ（Ｒａｄｉｏ  Ｒｅｓｏｕｒｃｅ  Ｃｏｎｔｒｏｌ）シグナリングを介して設定されることができる。
【０００９】
また、前記対象参照信号のタイプは、ＳＲＳ、ＣＳＩ（Ｃｈａｎｎｅｌ  Ｓｔａｔｅ  Ｉｎｆｏｒｍａｔｉｏｎ）−ＲＳ（Ｒｅｆｅｒｅｎｃｅ  Ｓｉｇｎａｌ）、及び／又はＳＳ（Ｓｙｎｃｈｒｏｎｉｚａｔｉｏｎ  Ｓｉｇｎａｌ）ブロックを含むことができる。
【００１０】
また、前記特定ＳＲＳ資源セットに含まれた少なくとも１つのＳＲＳ資源のタイプは、半−静的（ｓｅｍｉ−ｐｅｒｓｉｓｔｅｎｔ）タイプに設定されることができる。
【００１１】
また、前記半−静的タイプに設定された前記少なくとも１つのＳＲＳ資源の前記対象参照信号は、前記活性化指示情報により明示的に指示されることができる。
【００１２】
また、前記活性化指示は、ＭＡＣ（Ｍｅｄｉｕｍ  Ａｃｃｅｓｓ  Ｃｏｎｔｒｏｌ）ＣＥ（Ｃｏｎｔｒｏｌ  ｅｌｅｍｅｎｔ）シグナリングを介して受信されることができる。
【００１３】
また、前記特定ＳＲＳ資源セットに含まれた少なくとも１つのＳＲＳ資源のタイプは、非周期的（ａｐｅｒｉｏｄｉｃ）タイプに設定されることができる。
【００１４】
また、前記活性化指示は、ＤＣＩ（Ｄｏｗｎｌｉｎｋ  Ｃｏｎｔｒｏｌ  Ｉｎｆｏｒｍａｔｉｏｎ）シグナリングを介して受信されることができる。
【００１５】
また、前記対象参照信号は、前記非周期的タイプに設定された前記少なくとも１つのＳＲＳ資源に対して設定された参照信号で決定されることができる。
【００１６】
また、前記少なくとも１つのＳＲＳ資源に対して設定された参照信号は、前記ＲＲＣシグナリングを介して前記少なくとも１つのＳＲＳ資源の各々に対して前記空間関係仮定が設定された参照信号に該当し得る。
【００１７】
また、前記非周期的タイプに設定された特定ＳＲＳ資源セットの前記ＳＲＳ送信が開始されるスロットオフセット情報が指示され得る。
【００１８】
また、前記ＵＥのサウンディング方法は、前記端末の上向きリンク送信のための特定ＳＲＳ資源を指示するＳＲＩ（ＳＲＳ  Ｒｅｓｏｕｒｃｅ  Ｉｎｄｉｃａｔｏｒ）を受信するステップをさらに含むことができる。
【００１９】
また、前記ＳＲＩは、前記ＳＲＩにより識別されるＳＲＳ資源に対するＳＲＳ送信のうち、最も最近の（ｔｈｅ  ｍｏｓｔ  ｒｅｃｅｎｔ）ＳＲＳ送信と連関することができる。
【００２０】
また、前記特定ＳＲＳ資源セットに含まれた前記ＳＲＳ資源別に、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅ）シンボル位置が指示され得る。
【００２１】
また、本発明の他の態様は、無線通信システムで上向きリンク送信を行うＵＥ（Ｕｓｅｒ  Ｅｑｕｉｐｍｅｎｔ）において、無線信号を送受信するためのＲＦ（Ｒａｄｉｏ  Ｆｒｅｑｕｅｎｃｙ）ユニットと、前記ＲＦユニットを制御するプロセッサとを備え、前記プロセッサは、基地局から少なくとも１つのＳＲＳ（Ｓｏｕｎｄｉｎｇ  Ｒｅｆｅｒｅｎｃｅ  Ｓｉｇｎａｌ）資源セットを設定され、前記基地局から前記少なくとも１つのＳＲＳ資源セットのうち、特定ＳＲＳ資源セットのＳＲＳ送信活性化（ａｃｔｉｖａｔｉｏｎ）を指示する活性化指示情報を受信し、前記特定ＳＲＳ資源セットに対応するＳＲＳ送信を前記基地局に対して行い、前記特定ＳＲＳ資源セットに含まれたＳＲＳ資源別に空間関係（ｓｐａｔｉａｌ  ｒｅｌａｔｉｏｎｓｈｉｐ）仮定が適用される対象参照信号は、前記活性化指示情報に基づいて決定されることができる。
【発明の効果】
【００２２】
本発明の実施形態によれば、端末のサウンディング手順がより効率的に実行／適用／支援されることができる。
【００２３】
また、本発明の実施形態によれば、端末のサウンディング手順のためのＳＲＳ資源が明確かつ効率的に設定／支援／シグナリングされることができる。
【００２４】
また、本発明の実施形態によれば、非周期的／半−静的ＳＲＳ送信タイプを考慮した適切なＳＲＳ資源の送信が支援／設定されることができる。
【００２５】
本発明において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００２６】
本発明に関する理解を助けるために詳細な説明の一部として含まれる添付図面は、本発明に対する実施形態を提供し、詳細な説明と共に本発明の技術的特徴を説明する。
【００２７】
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】一般的な多重入出力アンテナ（ＭＩＭＯ）通信システムの構成図である。
【図６】複数の送信アンテナから１つの受信アンテナへのチャネルを示す図である。
【図７】本発明が適用できる無線通信システムにおけるダウンリンク資源ブロック対にマッピングされた参照信号パターンを例示する。
【図８】本発明が適用できる無線通信システムにおける参照信号がマッピングされる資源を例示する図である。
【図９】本発明が適用され得る無線通信システムにおけるサウンディング参照信号シンボルを含む上向きリンクサブフレームを例示する。
【図１０】本発明が適用され得る無線通信システムにおける自己完結（Ｓｅｌｆ−ｃｏｎｔａｉｎｅｄ）サブフレーム構造を例示する図である。
【図１１】本発明が適用され得る無線通信システムにおけるトランシーバユニットモデルを例示する。
【図１２】本発明が適用され得る無線通信システムにおいて、トランシーバユニット別サービス領域を例示する図である。
【図１３】本発明の一実施形態に係る
【００２８】
0006810269.tif 000002
である場合のＬＴＥ  ＳＲＳホッピングパターンを例示した図である。
【図１４】本発明の一実施形態に係るＳＲＳホッピングパターンを例示した図である。
【図１５】本発明の一実施形態に係る端末のＳＲＳ送信方法を例示した順序図である。
【図１６】本発明の一実施形態に係る無線通信装置のブロック構成図を例示する。
【図１７】本明細書において提案する方法が適用され得る無線通信装置のＲＦモジュールの一例を示した図である。
【図１８】本明細書において提案する方法が適用され得る無線通信装置のＲＦモジュールのさらに他の一例を示した図である。
【発明を実施するための形態】
【００２９】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３０】
いくつかの場合、本発明の概念が曖昧になることを避けるために、公知の構造及び装置は省略されるか、または各構造及び装置の核心機能を重心にしたブロック図形式で示されることができる。
【００３１】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３２】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３３】
以下の説明において用いられる特定用語は、本発明の理解に役立つために提供されたものであり、このような特定用語の使用は、本発明の技術的思想から外れない範囲内で他の形態に変更されることができる。
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３５】
本発明の実施形態等は、無線接続システムであるＩＥＥＥ  ８０２、３ＧＰＰ及び３ＧＰＰ２のうち、少なくとも１つに開示された標準文書により裏付けられることができる。すなわち、本発明の実施形態等のうち、本発明の技術的思想を明確に表すために、説明していないステップまたは部分は、前記文書により裏付けられることができる。また、本文書で開示している全ての用語は、前記標準文書により説明されることができる。
【００３６】
説明を明確にするために、３ＧＰＰ  ＬＴＥ／ＬＴＥ−Ａまたは新しいＲＡＴ（ｎｅｗ  ＲＡＴ）（５Ｇ（５  ｇｅｎｅｒａｔｉｏｎ）システムのＲＡＴ）を中心に記述するが、本発明の技術的特徴がこれに制限されるものではない。
【００３７】
本発明が適用されることができる無線通信システム一般
【００３８】
図１は、本発明が適用されることができる無線通信システムにおける無線フレームの構造を示す。
【００３９】
３ＧＰＰ  ＬＴＥ／ＬＴＥ−Ａでは、ＦＤＤ（Ｆｒｅｑｕｅｎｃｙ  ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００４０】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００４１】
図１の（ａ）は、タイプ１無線フレームの構造を示す。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００４２】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（ｔｉｍｅ  ｄｏｍａｉｎ）で連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さは１ｍｓで、１つのスロットの長さは、０．５ｍｓでありうる。
【００４３】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００４４】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割り当て単位で、１つのスロットにおいて複数の連続的な副搬送波（ｓｕｂｃａｒｒｉｅｒ）を含む。
【００４５】
図１の（ｂ）は、タイプ２フレーム構造（ｆｒａｍｅ  ｓｔｒｕｃｔｕｒｅ  ｔｙｐｅ  ２）を示す。
【００４６】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００４７】
ＴＤＤシステムのタイプ２フレーム構造においてアップリンク−ダウンリンク構成（ｕｐｌｉｎｋ−ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。
【００４８】
表１は、アップリンク−ダウンリンク構成を示す。
【００４９】
【表１】
0006810269.tif 000003
【００５０】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３通りのフィールドから構成されるスペシャルサブフレーム（ｓｐｅｃｉａｌ  ｓｕｂｆｒａｍｅ）を表す。
【００５１】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００５２】
各サブフレームｉは、各Ｔ＿ｓｌｏｔ＝１５３６０＊Ｔ＿ｓ＝０．５ｍｓ長さのスロット２ｉ及びスロット２ｉ＋１から構成される。
【００５３】
アップリンク−ダウンリンク構成は、７通りに区分されることができ、各構成別にダウンリンクサブフレーム、スペシャルサブフレーム、アップリンクサブフレームの位置及び／または数が異なる。
【００５４】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフ−フレーム毎に存在し、５ｍｓダウンリンク−アップリンク切り替え時点の周期を有する場合には、１番目のハーフ−フレームだけに存在する。
【００５５】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００５６】
このような、アップリンク−ダウンリンク構成はシステム情報であって、基地局と端末ともが知っていることができる。基地局は、アップリンク−ダウンリンク構成情報が変わる毎に構成情報のインデックスだけを送信することにより、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００５７】
表２は、スペシャルサブフレームの構成（ＤｗＰＴＳ／ＧＰ／ＵｐＰＴＳの長さ）を示す。
【００５８】
【表２】
0006810269.tif 000004
【００５９】
図１の例示による無線フレームの構造は、１つの例示に過ぎず、無線フレームに含まれる副搬送波の数またはサブフレームに含まれるスロットの数、スロットに含まれるＯＦＤＭシンボルの数は、様々に変更されることができる。
【００６０】
図２は、本発明が適用されることができる無線通信システムにおける１つのダウンリンクスロットに対する資源グリッド（ｒｅｓｏｕｒｃｅ  ｇｒｉｄ）を示した図である。
【００６１】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００６２】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００６３】
アップリンクスロットの構造は、ダウンリンクスロットの構造と同一でありうる。
【００６４】
図３は、本発明が適用されることができる無線通信システムにおけるダウンリンクサブフレームの構造を示す。
【００６５】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６６】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００６７】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００６８】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００６９】
図４は、本発明が適用されることができる無線通信システムにおけるアップリンクサブフレームの構造を示す。
【００７０】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００７１】
１つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００７２】
ＭＩＭＯ（Ｍｕｌｔｉ−Ｉｎｐｕｔ  Ｍｕｌｔｉ−Ｏｕｔｐｕｔ）
【００７３】
ＭＩＭＯ技術は、いままで一般に１個の送信アンテナと１個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して用量増大または性能改善を図る技術である。以下、「ＭＩＭＯ」を「多重入出力アンテナ」と称する。
【００７４】
さらに具体的に、多重入出力アンテナ技術は、１つの完全なメッセージ（ｔｏｔａｌ  ｍｅｓｓａｇｅ）を受信するために、１個のアンテナ経路に依存せず、いくつかのアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００７５】
次世代移動通信は、従来の移動通信に比べて、はるかに高いデータ送信率を要求するので、効率的な多重入出力アンテナ技術が必ず必要であると予想される。このような状況でＭＩＭＯ通信技術は、移動通信端末と中継器などに幅広く使用できる次世代移動通信技術であり、データ通信拡大などにより限界状況に応じて他の移動通信の送信量限界を克服できる技術として関心を集めている。
【００７６】
一方、現在研究されている様々な送信効率向上技術のうち、多重入出力アンテナ（ＭＩＭＯ）技術は、追加的な周波数割り当てまたは電力増加がなくても、通信用量及び送受信性能を画期的に向上させることができる方法として、現在最も大きな注目を受けている。
【００７７】
図５は、一般的な多重入出力アンテナ（ＭＩＭＯ）通信システムの構成図である。
【００７８】
図５を参照すると、送信アンテナの数をＮ＿Ｔ個に、受信アンテナの数をＮ＿Ｒ個に同時に増やすようになると、送信機または受信機においてのみ複数のアンテナを使用するようになる場合とは異なり、アンテナ数に比例して理論的なチャネル送信用量が増加するので、送信レート（ｔｒａｎｓｆｅｒ  ｒａｔｅ）を向上させ、周波数効率を画期的に向上させることができる。この場合、チャネル送信用量の増加に応じる送信レートは、１つのアンテナを用いる場合の最大送信レート（Ｒ＿ｏ）に次のようなレート増加率（Ｒ＿ｉ）がかけ算された分だけ理論的に増加できる。
【００７９】
【数１】
0006810269.tif 000005
【００８０】
すなわち、例えば、４個の送信アンテナと４個の受信アンテナを用いるＭＩＭＯ通信システムでは、単一アンテナシステムに比べて理論上４倍の送信レートを取得できる。
【００８１】
このような多重入出力アンテナの技術は、様々なチャネル経路を通過したシンボルを用いて送信信頼度を高める空間ダイバーシチ（ｓｐａｔｉａｌ  ｄｉｖｅｒｓｉｔｙ）方式と、複数の送信アンテナを用いて複数のデータシンボルを同時に送信して送信率を向上させる空間マルチプレクス（ｓｐａｔｉａｌ  ｍｕｌｔｉｐｌｅｘｉｎｇ）方式とに分けられる。また、このような２種類の方式を適切に結合して、各々の長所を適切に得ようとする方式に対する研究も最近多く研究されている分野である。
【００８２】
各々の方式について、さらに詳細に述べると、以下のとおりである。
【００８３】
第１に、空間ダイバーシチ方式の場合には、時空間ブロック符号系列と、ダイバーシチ利得と符号化利得を同時に用いる時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティ利得は、送信アンテナ数（Ｎ＿Ｔ）と受信アンテナ数（Ｎ＿Ｒ）とのかけ算（Ｎ＿Ｔ×Ｎ＿Ｒ）に該当する量を得ることができる。
【００８４】
第２に、空間マルチプレクス技法は、各送信アンテナで互いに異なるデータ列を送信する方法であって、ことのとき、受信機では、送信機から同時に送信されたデータ間に相互干渉が発生するようになる。受信機では、この干渉を適切な信号処理技法を用いて除去した後に受信する。ここに用いられる雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８５】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたし、このうち、時空間ブロック符号（Ｄｏｕｂｌｅ−ＳＴＴＤ）、時空間ＢＩＣＭ（ＳＴＢＩＣＭ）などの方式がある。
【００８６】
上述のような多重入出力アンテナシステムにおける通信方法をさらに具体的な方法で説明するために、これを数学的にモデリングする場合、以下のように表すことができる。
【００８７】
まず、図５に示すように、Ｎ＿Ｔ個の送信アンテナとＮ＿Ｒ個の受信アンテナが存在すると仮定する。
【００８８】
まず、送信信号について述べると、このようにＮ＿Ｔ個の送信アンテナがある場合、最大送信可能な情報は、Ｎ＿Ｔ個であるから、これを以下のようなベクトルで表すことができる。
【００８９】
【数２】
0006810269.tif 000006
【００９０】
一方、各々の送信情報ｓ＿１，ｓ＿２，．．．，ｓ＿Ｎ＿Ｔにおいて送信電力を異なるようにすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００９１】
【数３】
0006810269.tif 000007
【００９２】
また、式３の送信電力が調整された送信情報を以下のように送信電力の対角行列Ｐで表すことができる。
【００９３】
【数４】
0006810269.tif 000008
【００９４】
一方、式４の送信電力の調整された情報ベクトルは、その後に加重値行列Ｗがかけ算されて、実際送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する機能を行う。このような送信信号ｘ＿１，ｘ＿２，．．．，ｘ＿Ｎ＿Ｔをベクトルｘを用いて、以下のように表すことができる。
【００９５】
【数５】
0006810269.tif 000009
【００９６】
ここで、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【００９７】
一方、上述のような送信信号（ｘ）は、空間ダイバーシチを使用する場合と空間マルチプレクッスを使用する場合とに分けて考えることができる。
【００９８】
空間マルチプレクッスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全部同じ値を有するようになる。
【００９９】
もちろん、空間マルチプレックスと空間ダイバーシチを混合する方法も考慮可能である。すなわち、例えば、３個の送信アンテナを介して同じ信号を空間ダイバーシチを用いて送信し、残りは、各々異なる信号を空間マルチプレックスして送信する場合も考慮することができる。
【０１００】
次に、受信信号は、Ｎ＿Ｒ個の受信アンテナがある場合、各アンテナの受信信号ｙ＿１，ｙ＿２，．．．，ｙ＿Ｎ＿Ｒをベクトルｙで次のように表す。
【０１０１】
【数６】
0006810269.tif 000010
【０１０２】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【０１０３】
このようなチャネルは、いくつかを１つにグループ化してベクトル及び行列形態でも表示可能である。ベクトル表示の例を挙げて説明すると、以下のとおりである。
【０１０４】
図６は、複数の送信アンテナから１つの受信アンテナへのチャネルを示した図である。
【０１０５】
図６に示すように、合計Ｎ＿Ｔ個の送信アンテナから受信アンテナｉへ到着するチャネルは、次のように表現可能である。
【０１０６】
【数７】
0006810269.tif 000011
【０１０７】
また、前記式７のような行列表現により、Ｎ＿Ｔ個の送信アンテナからＮ＿Ｒ個の受信アンテナを経るチャネルを全部表す場合、以下のように表すことができる。
【０１０８】
【数８】
0006810269.tif 000012
【０１０９】
一方、実際チャネルは、上記のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加算されるので、Ｎ＿Ｒ個の受信アンテナの各々に加算される白色雑音ｎ＿１，ｎ＿２，．．．，ｎ＿Ｎ＿Ｒをベクトルで表現すると、以下のとおりである。
【０１１０】
【数９】
0006810269.tif 000013
【０１１１】
上述のような送信信号、受信信号、チャネル、及び白色雑音のモデリングを介して多重入出力アンテナ通信システムでの各々は、次のような関係を介して表すことができる。
【０１１２】
【数１０】
0006810269.tif 000014
【０１１３】
一方、チャネルの状態を表すチャネル行列Ｈの行と列の数は、送受信アンテナ数によって決定される。チャネル行列Ｈは、上述のように行の数は、受信アンテナの数Ｎ＿Ｒのようなくなり、列の数は、送信アンテナの数Ｎ＿Ｔのようなくなる。すなわち、チャネル行列Ｈは、Ｎ＿Ｒ×Ｎ＿Ｔ行列になる。
【０１１４】
一般に、行列のランク（ｒａｎｋ）は、互いに独立である（ｉｎｄｅｐｅｎｄｅｎｔ）行または列の数の中で最小数で定義される。したがって、行列のランクは、行または列の数より大きくなってはならない。数式的に例を挙げると、チャネル行列Ｈのランク（ｒａｎｋ（Ｈ））は、次のように制限される。
【０１１５】
【数１１】
0006810269.tif 000015
【０１１６】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数で定義することができる。類似した方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数で定義することができる。したがって、チャネル行列においてランクの物理的な意味は、与えられたチャネルで互いに異なる情報を送ることができる最大数ということができる。
【０１１７】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に用いられるランク数に対応する数のレイヤーを送信するから、別の言及がない限り、ランクは、レイヤー数のような意味を有する。
【０１１８】
参照信号（ＲＳ：Ｒｅｆｅｒｅｎｃｅ  Ｓｉｇｎａｌ）
【０１１９】
無線通信システムにおけるデータは無線チャネルを介して送信されるので、信号は送信中に歪曲されることがある。受信端で歪曲された信号を正確に受信するために、受信された信号の歪曲はチャネル情報を用いて補正されなければならない。チャネル情報を検出するために送信側と受信側の両方とも知っている信号送信方法と信号がチャネルを介して送信されるとき、歪曲された程度を用いてチャネル情報を検出する方法を主に用いる。前述した信号をパイロット信号または参照信号（ＲＳ：ｒｅｆｅｒｅｎｃｅ  ｓｉｇｎａｌ）という。
【０１２０】
また、最近、大部分の移動通信システムでパケットを送信するとき、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信するとき、信号を正確に受信するために送信アンテナと受信アンテナとの間のチャネル状態が検出されなければならない。したがって、各送信アンテナは個別的な参照信号を有しなければならない。
【０１２１】
移動通信システムにおけるＲＳはその目的によって２つに大別できる。チャネル状態情報取得のための目的のＲＳとデータ復調のために使用されるＲＳがある。前者はＵＥがダウンリンクへのチャネル状態情報を取得することにその目的があるので、広帯域に送信されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使用される。後者は、基地局がダウンリンクを送る時、該当リソースに共に送るＲＳであって、ＵＥは該当ＲＳを受信することによってチャネル推定を行うことができ、したがって、データを復調できるようになる。このＲＳはデータが送信される領域に送信されなければならない。
【０１２２】
下向き参照信号はセル内の全ての端末が共有するチャネル状態に関する情報取得及びハンドオーバーの測定などのための１つの共通参照信号（ＣＲＳ：ｃｏｍｍｏｎ  ＲＳ）と特定端末のみのためにデータ復調のために使用される専用参照信号（ｄｅｄｉｃａｔｅｄ  ＲＳ）がある。このような参照信号を用いて復調（ｄｅｍｏｄｕｌａｔｉｏｎ）とチャネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャネル情報取得及びデータ復調の２つの目的に全て使用される。
【０１２３】
受信側（すなわち、端末）はＣＲＳからチャネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。一方、チャネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１２４】
ＤＲＳは、ＰＤＳＣＨ上記のデータ復調を必要とする場合、資源要素を通じて送信できる。端末は上位階層を通じてＤＲＳの存否を受信することができ、相応するＰＤＳＣＨがマッピングされたときのみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）ということができる。
【０１２５】
図７は、本発明が適用できる無線通信システムにおけるダウンリンク資源ブロック対にマッピングされた参照信号パターンを例示する。
【０１２６】
図７を参照すると、参照信号がマッピングされる単位でダウンリンク資源ブロック対は時間領域で１つのサブフレーム×周波数領域で１２個の副搬送波で示すことができる。すなわち、時間軸（ｘ軸）上で１つの資源ブロック対は一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子で‘０’、‘１’、‘２’、及び‘３’と記載された資源要素（ＲＥｓ）は各々アンテナポートインデックス‘０’、‘１’、‘２’、及び‘３’のＣＲＳの位置を意味し、‘Ｄ’と記載された資源要素はＤＲＳの位置を意味する。
【０１２７】
以下、ＣＲＳに対してより詳細に記述すると、ＣＲＳは物理的アンテナのチャネルを推定するために使われ、セル内に位置した全ての端末に共通的に受信できる参照信号として全体周波数帯域に分布する。すなわち、このＣＲＳはｃｅｌｌ−ｓｐｅｃｉｆｉｃなシグナルであって、広帯域に対して毎サブフレーム毎に送信される。また、ＣＲＳはチャネル品質情報（ＣＳＩ）及びデータ復調のために利用できる。
【０１２８】
ＣＲＳは送信側（基地局）でのアンテナ配列によって様々なフォーマットに定義される。３ＧＰＰ  ＬＴＥシステム（例えば、リリーズ−８）では、基地局の送信アンテナ個数によって最大４個のアンテナポートに対するＲＳが送信される。ダウンリンク信号送信側は単一の送信アンテナ、２個の送信アンテナ、及び４個の送信アンテナのように、３種類のアンテナ配列を有する。例えば、基地局の送信アンテナの個数が２個の場合は０番と１番アンテナポートに対するＣＲＳが送信され、４個の場合は０〜３番アンテナポートに対するＣＲＳが各々送信される。基地局の送信アンテナが４個の場合、１つのＲＢでのＣＲＳパターンは図７の通りである。
【０１２９】
基地局が単一の送信アンテナを使用する場合、単一アンテナポートのための参照信号が配列される。
【０１３０】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【０１３１】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャネル情報は、単一の送信アンテナ送信、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ((Multi Input Multi Output))のような送信方式を用いて送信されたデータを復調するために使用されることができる。
【０１３２】
多重入出力アンテナが支援される場合、参照信号が特定のアンテナポートから送信されるとき、前記参照信号は参照信号のパターンによって特定された資源要素の位置に送信され、異なるアンテナポートのために特定された資源要素の位置に送信されない。すなわち、互いに異なるアンテナ間の参照信号は互いに重ならない。
【０１３３】
以下、ＤＲＳに対してより詳細に記述すると、ＤＲＳはデータを復調するために使用される。多重入出力アンテナ送信で特定の端末のために使用される先行符号化（ｐｒｅｃｏｄｉｎｇ）加重値は、端末が参照信号を受信した時、各送信アンテナから送信された送信チャネルと結合されて相応するチャネルを推定するために変更無しで使用される。
【０１３４】
３ＧＰＰ  ＬＴＥシステム（例えば、リリーズ−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、またアンテナポートインデックス５のための参照信号を示す。
【０１３５】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャネル測定のためのＲＳとデータ復調のためのＲＳの２つが全てデザインされなければならない。
【０１３６】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ送信の観点からみなすと、ＬＴＥで定義されているＣＲＳが全帯域に毎サブフレーム毎に送信される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンを毎サブフレーム毎に全帯域に追加するようになれば、ＲＳオーバーヘッドが大きすぎるようになる。
【０１３７】
したがって、ＬＴＥ−Ａシステムで新しくデザインされるＲＳは２つに大別されるが、ＭＣＳ、ＰＭＩなどの選択のためのチャネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０１３８】
チャネル測定目的のＣＳＩ−ＲＳは既存のＣＲＳがチャネル測定、ハンドオーバーなどの測定などの目的のように、データ復調のために使用されることとは異なり、チャネル測定中心の目的のためにデザインされる特徴がある。勿論これもまたハンドオーバーなどの測定などの目的に使用されることもできる。ＣＳＩ−ＲＳがチャネル状態に関する情報を得る目的のみに送信されるので、ＣＲＳとは異なり、毎サブフレーム毎に送信されなくてもよい。ＣＳＩ−ＲＳのオーバーヘッドを減らすためにＣＳＩ−ＲＳは時間軸上で間歇的に送信される。
【０１３９】
データ復調のために該当時間−周波数領域でスケジューリングされたＵＥに専用的（ｄｅｄｉｃａｔｅｄ）にＤＭ−ＲＳが送信される。すなわち、特定ＵＥのＤＭ−ＲＳは当該ＵＥがスケジューリングされた領域、すなわちデータの受信を受ける時間−周波数領域のみに送信されるものである。
【０１４０】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳを毎サブフレーム毎に全帯域に送信するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使用されることもできるが、ＣＳＩ取得の主目的のためにデザインされた。ＣＳＩ−ＲＳはデータ復調に使われないので、毎サブフレーム毎に送信される必要はない。したがって、ＣＳＩ−ＲＳのオーバーヘッドを減らすために時間軸上で間歇的に送信するようにする。すなわち、ＣＳＩ−ＲＳは１サブフレームの整数倍の周期で周期的に送信されるか、または特定送信パターンに送信できる。この際、ＣＳＩ−ＲＳが送信される周期やパターンはｅＮＢが設定することができる。
【０１４１】
データ復調のためには該当時間−周波数領域でスケジューリングされたＵＥにｄｅｄｉｃａｔｅｄにＤＭ−ＲＳが送信される。すなわち、特定ＵＥのＤＭ−ＲＳは当該ＵＥがスケジューリングされた領域、すなわちデータの受信を受ける時間−周波数領域のみに送信される。
【０１４２】
ＣＳＩ−ＲＳを測定するためにＵＥは必ず自分が属したセルの各々のＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数の位置、そしてＣＳＩ−ＲＳシーケンスなどに関する情報を知っていなければならない。
【０１４３】
ＬＴＥ−ＡシステムにｅＮＢはＣＳＩ−ＲＳを最大８個のアンテナポートに対して各々送信しなければならない。互いに異なるアンテナポートのＣＳＩ−ＲＳ送信のために使用される資源は互いに直交（ｏｒｔｈｏｇｏｎａｌ）しなければならない。１つのｅＮＢが互いに異なるアンテナポートに対するＣＳＩ−ＲＳを送信するとき、各々のアンテナポートに対するＣＳＩ−ＲＳを互いに異なるＲＥにマッピングすることにより、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）なコードにマッピングさせるＤＭ方式により送信することができる。
【０１４４】
ＣＳＩ−ＲＳに関する情報をｅＮＢが自分のセルＵＥに知らせる時、まず各アンテナポートに対するＣＳＩ−ＲＳがマッピングされる時間−周波数に関する情報を知らせなければならない。具体的に、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセット、またはシフト値などがある。
【０１４５】
ＣＳＩ−ＲＳは１個、２個、４個、または８個のアンテナポートを介して送信される。この際、使用されるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義されることができる。
【０１４６】
ＣＳＩ−ＲＳ送信のために設定されたサブフレーム内で、ＣＳＩ−ＲＳシーケンスは以下の式１２のように各アンテナポート（ｐ）上記の参照シンボル（ｒｅｆｅｒｅｎｃｅ  ｓｙｍｂｏｌ）として用いられる複素変調シンボル（ｃｏｍｐｌｅｘ−ｖａｌｕｅｄ  ｍｏｄｕｌａｔｉｏｎ  ｓｙｍｂｏｌ）ａ＿ｋ、ｌ^（ｐ）にマッピングされる。
【０１４７】
【数１２】
0006810269.tif 000016
【０１４８】
前記式１２で、（ｋ’、ｌ’）（ここで、ｋ’は資源ブロック内の副搬送波インデックスであり、ｌ’はスロット内のＯＦＤＭシンボルインデックスを示す。）及びｎ＿ｓの条件は以下の表３または表４のようなＣＳＩ−ＲＳ設定（ｃｏｎｆｉｇｕｒａｔｉｏｎ）によって決定される。
【０１４９】
表３は、一般ＣＰでＣＳＩ−ＲＳ構成から（ｋ’、ｌ’）のマッピングを例示する。
【０１５０】
【表３】
0006810269.tif 000017
【０１５１】
表４は、拡張ＣＰでＣＳＩ−ＲＳ構成から（ｋ'、ｌ'）のマッピングを例示する。
【０１５２】
【表４】
0006810269.tif 000018
【０１５３】
表３及び表４を参照すると、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１５４】
ＣＳＩ−ＲＳ構成はセル内のアンテナポートの個数及びＣＰによって互いに異なり、隣接したセルは最大限互いに異なる構成を有することができる。また、ＣＳＩ−ＲＳ構成はフレーム構造によってＦＤＤフレームとＴＤＤフレームに全て適用する場合と、ＴＤＤフレームのみに適用する場合とに分けられる。
【０１５５】
表３及び表４に基づいてＣＳＩ−ＲＳ構成によって（ｋ'、ｌ'）及びｎ＿ｓが定まり、各ＣＳＩ−ＲＳアンテナポートによってＣＳＩ−ＲＳ送信に用いる時間−周波数資源が決定される。
【０１５６】
図８は、本発明が適用できる無線通信システムにおける参照信号がマッピングされる資源を例示する図である。
【０１５７】
図８（ａ）は１個または２個のＣＳＩ−ＲＳアンテナポートによるＣＳＩ−ＲＳ送信に使用可能な２０種類のＣＳＩ−ＲＳ構成を示すものであり、図８（ｂ）は４個のＣＳＩ−ＲＳアンテナポートにより使用可能な１０種類のＣＳＩ−ＲＳ構成を示すものであり、図８（ｃ）は８個のＣＳＩ−ＲＳアンテナポートによりＣＳＩ−ＲＳ送信に使用可能な５種類のＣＳＩ−ＲＳ構成を示すものである。
【０１５８】
このように、各ＣＳＩ−ＲＳ構成によってＣＳＩ−ＲＳが送信される無線資源（すなわち、ＲＥ対）が決定される。
【０１５９】
特定セルに対してＣＳＩ−ＲＳ送信のために１個あるいは２個のアンテナポートが設定されれば、図８（ａ）に図示された２０種類のＣＳＩ−ＲＳ構成のうち、設定されたＣＳＩ−ＲＳ構成にしたがう無線資源上でＣＳＩ−ＲＳが送信される。
【０１６０】
同様に、特定セルに対してＣＳＩ−ＲＳ送信のために４個のアンテナポートが設定されれば、図８（ｂ）に図示された１０種類のＣＳＩ−ＲＳ構成のうち、設定されたＣＳＩ−ＲＳ構成にしたがう無線資源上でＣＳＩ−ＲＳが送信される。また、特定セルに対してＣＳＩ−ＲＳ送信のために８個のアンテナポートが設定されれば、図８（ｃ）に図示された５種類のＣＳＩ−ＲＳ構成のうち、設定されたＣＳＩ−ＲＳ構成にしたがう無線資源上でＣＳＩ−ＲＳが送信される。
【０１６１】
２個のアンテナポート別（すなわち、｛１５，１６｝、｛１７，１８｝、｛１９，２０｝、｛２１，２２｝）に各々のアンテナポートに対するＣＳＩ−ＲＳは同一な無線資源にＣＤＭされて送信される。アンテナポート１５及び１６を例に挙げれば、アンテナポート１５及び１６に対する各々のＣＳＩ−ＲＳ複素シンボルは同一であるが、互いに異なる直交コード（例えば、ウォルシュコード（ｗａｌｓｈ  ｃｏｄｅ）がかけられて同一な無線資源にマッピングされる。アンテナポート１５に対するＣＳＩ−ＲＳの複素シンボルには［１，１］がかけられ、アンテナポート１６に対するＣＳＩ−ＲＳの複素シンボルには［１−１］がかけられて同一な無線資源にマッピングされる。これはアンテナポート｛１７，１８｝、｛１９，２０｝、｛２１，２２｝も同様である。
【０１６２】
ＵＥは送信されたシンボルにかけられたコードをかけて特定アンテナポートに対するＣＳＩ−ＲＳを検出することができる。すなわち、アンテナポート１５に対するＣＳＩ−ＲＳを検出するために、かけられたコード［１  １］をかけて、アンテナポート１６に対するＣＳＩ−ＲＳを検出するためにかけられたコード［１  −１］をかける。
【０１６３】
図８（ａ）〜（ｃ）を参照すると、同一なＣＳＩ−ＲＳ構成インデックスに該当すれば、アンテナポート数の多いＣＳＩ−ＲＳ構成にしたがう無線資源はＣＳＩ−ＲＳアンテナポート数の少ないＣＳＩ−ＲＳ構成にしたがう無線資源を含む。例えば、ＣＳＩ−ＲＳ構成０の場合、８個のアンテナポート数に対する無線資源は４個のアンテナポート数に対する無線資源と１または２個のアンテナポート数に対する無線資源を全て含む。
【０１６４】
１つのセルで複数のＣＳＩ−ＲＳ構成が使用されることができる。ノン−ゼロ電力（ＮＺＰ：ｎｏｎ−ｚｅｒｏ  ｐｏｗｅｒ）ＣＳＩ−ＲＳは０個または１個のＣＳＩ−ＲＳ構成のみ用いられ、ゼロ電力（ＺＰ：ｚｅｒｏ  ｐｏｗｅｒ）ＣＳＩ−ＲＳは０個または複数個のＣＳＩ−ＲＳ構成が利用できる。
【０１６５】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは前記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は最も低いＣＳＩ−ＲＳ構成インデックスに該当し、ビットマップ内でその次のビットは順に次のＣＳＩ−ＲＳ構成インデックスに該当する。
【０１６６】
ＣＳＩ−ＲＳは前記の表３及び表４で（ｎ＿ｓ  ｍｏｄ  ２）の条件を満たすダウンリンクスロット及びＣＳＩ−ＲＳサブフレーム構成を満たすサブフレームのみで送信される。
【０１６７】
フレーム構造タイプ２（ＴＤＤ）の場合、スペシャルサブフレーム、同期信号（ＳＳ）、ＰＢＣＨまたはＳＩＢ  １（ＳｙｓｔｅｍＩｎｆｏｒｍａｔｉｏｎＢｌｏｃｋＴｙｐｅ  １）メッセージ送信と衝突するサブフレームまたはページングメッセージ送信のために設定されたサブフレームでＣＳＩ−ＲＳは送信されない。
【０１６８】
また、アンテナポートセットＳ（Ｓ＝｛１５｝、Ｓ＝｛１５，１６｝、Ｓ＝｛１７，１８｝、Ｓ＝｛１９，２０｝、またはＳ＝｛２１，２２｝）内に属する如何なるアンテナポートに対するＣＳＩ−ＲＳが送信されるＲＥは、ＰＤＳＣＨまたは他のアンテナポートのＣＳＩ−ＲＳ送信に使われない。
【０１６９】
ＣＳＩ−ＲＳ送信に使用される時間−周波数資源はデータ送信に使用されることができないので、ＣＳＩ−ＲＳオーバーヘッドが増加するほどデータ処理量（ｔｈｒｏｕｇｈｐｕｔ）が減少するようになる。これを考慮してＣＳＩ−ＲＳは毎サブフレーム毎に送信されるように構成されず、複数のサブフレームに該当する所定の送信周期毎に送信されるように構成される。この場合、毎サブフレーム毎にＣＳＩ−ＲＳが送信される場合に比べてＣＳＩ−ＲＳ送信オーバーヘッドがたくさん低減できる。
【０１７０】
ＣＳＩ−ＲＳ送信のためのサブフレーム周期（以下、‘ＣＳＩ送信周期’と称する）（Ｔ＿ＣＳＩ−ＲＳ）及びサブフレームオフセット（Δ＿ＣＳＩ−ＲＳ）は、以下の表５の通りである。
【０１７１】
表５は、ＣＳＩ−ＲＳサブフレーム構成を例示する。
【０１７２】
【表５】
0006810269.tif 000019
【０１７３】
表５を参照すると、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０１７４】
表５のＣＳＩ−ＲＳサブフレーム構成は、先の‘ＳｕｂｆｒａｍｅＣｏｎｆｉｇ’フィールド及び‘ｚｅｒｏＴｘＰｏｗｅｒＳｕｂｆｒａｍｅＣｏｎｆｉｇ’フィールドのうち、いずれか１つに設定できる。ＣＳＩ−ＲＳサブフレーム構成は、ＮＺＰ  ＣＳＩ−ＲＳ及びＺＰＣ  ＳＩ−ＲＳに対して個別的に（ｓｅｐａｒａｔｅｌｙ）設定できる。
【０１７５】
ＣＳＩ−ＲＳを含むサブフレームは、以下の式１３を満たす。
【０１７６】
【数１３】
0006810269.tif 000020
【０１７７】
式１３で、Ｔ＿ＣＳＩ−ＲＳはＣＳＩ−ＲＳ送信周期、Δ＿ＣＳＩ−ＲＳはサブフレームオフセット値、ｎ＿ｆはシステムフレームナンバー、ｎ＿ｓはスロットナンバーを意味する。
【０１７８】
サービングセルに対して送信モード９（ｔｒａｎｓｍｉｓｓｉｏｎ  ｍｏｄｅ  ９）が設定されたＵＥの場合、ＵＥは１つのＣＳＩ−ＲＳ資源構成が設定できる。サービングセルに対して送信モード１０（ｔｒａｎｓｍｉｓｓｉｏｎ  ｍｏｄｅ  １０）が設定されたＵＥの場合、ＵＥは１つまたはそれ以上のＣＳＩ−ＲＳ資源構成が設定できる。
【０１７９】
現在のＬＴＥ標準でＣＳＩ−ＲＳ構成は、アンテナポート個数（ａｎｔｅｎｎａ  ｐｏｒｔｓＣｏｕｎｔ）、サブフレーム構成（ｓｕｂｆｒａｍｅＣｏｎｆｉｇ）、資源構成（ｒｅｓｏｕｒｃｅＣｏｎｆｉｇ）などで構成されているので、ＣＳＩ−ＲＳがいくつのアンテナポートから送信されるのか、ＣＳＩ−ＲＳが送信されるサブフレームの周期及びオフセットがどうなるのか、そして当該サブフレームでいずれかのＲＥ位置（すなわち、周波数とＯＦＤＭシンボルインデックス）で送信されるのかを知らせてくれる。
【０１８０】
具体的に、各ＣＳＩ−ＲＳ（資源）構成のための以下のようにパラメータが上位階層シグナリングを通じて設定される。
【０１８１】
−  送信モード１０が設定された場合、ＣＳＩ−ＲＳ資源構成識別子
【０１８２】
−  ＣＳＩ−ＲＳポート個数（ａｎｔｅｎｎａ  ｐｏｒｔｓＣｏｕｎｔ）：ＣＳＩ−ＲＳ送信のために使用されるアンテナポートの個数を示すパラメータ（例えば、１ＣＳＩ−ＲＳポート、２ＣＳＩ−ＲＳポート、４ＣＳＩ−ＲＳポート、８ＣＳＩ−ＲＳポート）
【０１８３】
−  ＣＳＩ−ＲＳ構成（ｒｅｓｏｕｒｃｅＣｏｎｆｉｇ）（表３及び表４参照）：ＣＳＩ−ＲＳ割当資源位置に関するパラメータ
【０１８４】
−  ＣＳＩ−ＲＳサブフレーム構成（ｓｕｂｆｒａｍｅＣｏｎｆｉｇ、すなわちＩ＿ＣＳＩ−ＲＳ）（表５参照）：ＣＳＩ−ＲＳが送信されるサブフレーム周期及び／又はオフセットに関するパラメータ
【０１８５】
−  送信モード９が設定された場合、ＣＳＩフィードバックのための送信パワー（Ｐ＿Ｃ）：フィードバックのための参照ＰＤＳＣＨ送信パワーに対するＵＥの仮定と関連して、ＵＥがＣＳＩフィードバックを導出し、１ｄＢ段階サイズに［−８，１５］ｄＢ範囲内で値を取る時、Ｐ＿ＣはＰＤＳＣＨ  ＲＥ当りエネルギー（ＥＰＲＥ：Ｅｎｅｒｇｙ  Ｐｅｒ  Ｒｅｓｏｕｒｃｅ  Ｅｌｅｍｅｎｔ）とＣＳＩ−ＲＳ  ＥＰＲＥの割合で仮定される。
【０１８６】
−  送信モード１０が設定された場合、各ＣＳＩプロセスに対してＣＳＩフィードバックのための送信パワー（Ｐ＿Ｃ）。ＣＳＩプロセスに対してＣＳＩサブフレームセットＣ＿ＣＳＩ、０、及びＣ＿ＣＳＩ、１が上位階層により設定されれば、Ｐ＿ＣはＣＳＩプロセスの各ＣＳＩサブフレームセット別に設定される。
【０１８７】
−  任意ランダム（ｐｓｅｕｄｏ−ｒａｎｄｏｍ）シーケンス発生器パラメータ（ｎ＿ＩＤ）
【０１８８】
−  送信モード１０が設定された場合、ＱＣＬ（Ｑｕａｓｉ  ｃｏ−ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（‘ｑｃｌ−ＣＲＳ−Ｉｎｆｏ−ｒ１１’）
【０１８９】
ＵＥが導出したＣＳＩフィードバック値が［−８，１５］ｄＢ範囲内の値を有するとき、Ｐ＿ＣはＣＳＩ−ＲＳ  ＥＰＲＥに対するＰＤＳＣＨ  ＥＰＲＥの割合で仮定される。ここで、ＰＤＳＣＨ  ＥＰＲＥはＣＲＳ  ＥＰＲＥに対するＰＤＳＣＨ  ＥＰＲＥの割合がρ＿Ａであるシンボルに該当する。
【０１９０】
サービングセルの同一なサブフレームでＣＳＩ−ＲＳとＰＭＣＨが共に設定されない。
【０１９１】
フレーム構造タイプ２で４個のＣＲＳアンテナポートが設定された場合、ＵＥは一般ＣＰの場合は［２０−３１］セット（表３参照）、または拡張ＣＰの場合は［１６−２７］セット（表４参照）に属するＣＳＩ−ＲＳ構成インデックスが設定されない。
【０１９２】
ＵＥはＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０１９３】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係と仮定することができる。
【０１９４】
送信モード１−９が設定されたＵＥの場合、サービングセルに対してＵＥは１つのＺＰ  ＣＳＩ−ＲＳ資源構成が設定できる。送信モード１０が設定されたＵＥの場合、サービングセルに対してＵＥは１つまたはそれ以上のＺＰ  ＣＳＩ−ＲＳ資源構成が設定できる。
【０１９５】
上位階層シグナリングを通じてＺＰ  ＣＳＩ−ＲＳ資源構成のための以下のようなパラメータが設定できる。
【０１９６】
−  ＺＰ  ＣＳＩ−ＲＳ構成リスト（ｚｅｒｏＴｘＰｏｗｅｒＲｅｓｏｕｒｃｅＣｏｎｆｉｇＬｉｓｔ）（表３及び表４参照）：ゼロ−パワーＣＳＩ−ＲＳ構成に関するパラメータ
【０１９７】
−  ＺＰ  ＣＳＩ−ＲＳサブフレーム構成（ｅｒｏＴｘＰｏｗｅｒＳｕｂｆｒａｍｅＣｏｎｆｉｇ、すなわちＩ＿ＣＳＩ−ＲＳ）（表５参照）：ゼロ−パワーＣＳＩ−ＲＳが送信されるサブフレーム周期及び／又はオフセットに関するパラメータ
【０１９８】
サービングセルの同一なサブフレームでＺＰ  ＣＳＩ−ＲＳとＰＭＣＨが同時に設定されない。
【０１９９】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−ｉｎｔｅｒｆｅｒｅｎｃｅ  Ｍｅａｓｕｒｅｍｅｎｔ）資源構成が設定できる。
【０２００】
上位階層シグナリングを通じて各ＣＳＩ−ＩＭ資源構成のための以下のようなパラメータが設定できる。
【０２０１】
−  ＺＰ  ＣＳＩ−ＲＳ構成（表３及び表４参照）
【０２０２】
−  ＺＰ  ＣＳＩ  ＲＳサブフレーム構成（Ｉ＿ＣＳＩ−ＲＳ）（表５参照）
【０２０３】
ＣＳＩ−ＩＭ資源構成は設定されたＺＰ  ＣＳＩ−ＲＳ資源構成のうちのいずれか１つと同一である。
【０２０４】
サービングセルの同一なサブフレーム内のＣＳＩ−ＩＭ資源とＰＭＣＨが同時に設定されない。
【０２０５】
サウンディング参照信号（ＳＲＳ：Ｓｏｕｎｄｉｎｇ  Ｒｅｆｅｒｅｎｃｅ  Ｓｉｇｎａｌ）
【０２０６】
ＳＲＳは、主に上向きリンクの周波数−選択的スケジューリングを行うためにチャネル品質測定に使用され、上向きリンクデータ及び／又は制御情報の送信と関連しない。しかし、これに限定されず、ＳＲＳは、電力制御の向上または最近にスケジュールされていない端末等の様々なスタート−アップ（ｓｔａｒｔ−ｕｐ）機能を支援するための様々な他の目的のために使用されることができる。スタート−アップ機能の一例に、初期の変調及び符号化方式（ＭＣＳ：Ｍｏｄｕｌａｔｉｏｎ  ａｎｄ  Ｃｏｄｉｎｇ  Ｓｃｈｅｍｅ）、データ送信のための初期の電力制御、タイミング前進（ｔｉｍｉｎｇ  ａｄｖａｎｃｅ）及び周波数半−選択的（ｓｅｍｉ−ｓｅｌｅｃｔｉｖｅ）スケジューリングが含まれ得る。このとき、周波数半−選択的スケジューリングは、サブフレームの１番目のスロットに選択的に周波数資源を割り当て、２番目のスロットでは、他の周波数で擬似ランダム（ｐｓｅｕｄｏ−ｒａｎｄｏｍｌｙ）に跳躍して周波数資源を割り当てるスケジューリングをいう。
【０２０７】
また、ＳＲＳは、上向きリンクと下向きリンクとの間の無線チャネルが相互的（ｒｅｃｉｐｒｏｃａｌ）な仮定下に、下向きリンクチャネル品質を測定するために使用されることができる。このような仮定は、上向きリンクと下向きリンクとが同じ周波数スペクトルを共有し、時間領域では、分離されたとき分割デュプレックス（ＴＤＤ：Ｔｉｍｅ  Ｄｉｖｉｓｉｏｎ  Ｄｕｐｌｅｘ）システムで特に有効である。
【０２０８】
セル内でいずれかの端末によって送信されるＳＲＳのサブフレームは、セル−特定放送信号によって表すことができる。４ビットセル−特定「ｓｒｓＳｕｂｆｒａｍｅＣｏｎｆｉｇｕｒａｔｉｏｎ」パラメータは、ＳＲＳが各無線フレームを介して送信され得る１５つの可能なサブフレームの配列を表す。このような配列によって、運用シナリオ（ｄｅｐｌｏｙｍｅｎｔ  ｓｃｅｎａｒｉｏ）にしたがってＳＲＳオーバーヘッド（ｏｖｅｒｈｅａｄ）の調整に対する流動性を提供するようになる。
【０２０９】
このうち、１６番目の配列は、セル内で完全にＳＲＳのスイッチをオフ（ＯＦＦ）し、これは、主に高速端末をサービングするサービングセルに適合する。
【０２１０】
図９は、本発明が適用され得る無線通信システムにおけるサウンディング参照信号シンボルを含む上向きリンクサブフレームを例示する。
【０２１１】
図９に示すように、ＳＲＳは、配列されたサブフレーム上で常に最後のＳＣ−ＦＤＭＡシンボルを介して送信される。したがって、ＳＲＳとＤＭＲＳは、他のＳＣ−ＦＤＭＡシンボルに位置するようになる。
【０２１２】
ＰＵＳＣＨデータ送信は、ＳＲＳ送信のための特定のＳＣ−ＦＤＭＡシンボルでは許容されず、結果的に、サウンディング（ｓｏｕｎｄｉｎｇ）オーバーヘッドが最も高い場合、すなわち、全てのサブフレームにＳＲＳシンボルが含まれる場合でも、サウンディングオーバーヘッドは約７％を超過しない。
【０２１３】
各ＳＲＳシンボルは、与えられた時間単位と周波数帯域に関する基本シーケンス（ランダムシーケンスまたはＺａｄｏｆｆ−Ｃｈ（ＺＣ）に基づいたシーケンスセット）によって生成され、同一セル内の全ての端末は、同じ基本シーケンスを使用する。このとき、同じ周波数帯域と同一の時間で同一セル内の複数の端末からのＳＲＳ送信は、基本シーケンスの互いに異なる循環移動（ｃｙｃｌｉｃ  ｓｈｉｆｔ）により直交（ｏｒｔｈｏｇｏｎａｌ）されて互いに区別される。
【０２１４】
それぞれのセル毎に互いに異なる基本シーケンスが割り当てられることによって互いに異なるセルからのＳＲＳシーケンスが区別され得るが、互いに異なる基本シーケンス間に直交性は保障されない。
【０２１５】
さらに多い通信機器が、さらに大きい通信容量を要求することにより、既存の無線アクセス技術（ＲＡＴ：Ｒａｄｉｏ  Ａｃｃｅｓｓ  Ｔｅｃｈｎｏｌｏｇｙ）に比べて向上した移動広帯域（ｍｏｂｉｌｅ  ｂｒｏａｄｂａｎｄ）通信に対する必要性が台頭されている。また、複数の機器及び事物を連結して、いつ、どこでも様々なサービスを提供するマッシブ（ｍａｓｓｉｖｅ）ＭＴＣ（Ｍａｃｈｉｎｅ  Ｔｙｐｅ  Ｃｏｍｍｕｎｉｃａｔｉｏｎｓ）も次世代通信で考慮される主要イッシューのうちの１つである。さらに、信頼性（ｒｅｌｉａｂｉｌｉｔｙ）及びレイテンシ（ｌａｔｅｎｃｙ）に敏感なサービス／ＵＥを考慮した通信システムデザインが議論されている。
【０２１６】
このように進歩した移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が議論されており、本発明では、都合上、当該技術を新しいＲＡＴ（ｎｅｗ  ＲＡＴ）と称する。
【０２１７】
自己完結（Ｓｅｌｆ−ｃｏｎｔａｉｎｅｄ）サブフレーム構造
【０２１８】
図１０は、本発明が適用され得る無線通信システムで自己完結（Ｓｅｌｆ−ｃｏｎｔａｉｎｅｄ）サブフレーム構造を例示する図である。
【０２１９】
ＴＤＤシステムでデータ送信レイテンシ（ｌａｔｅｎｃｙ）を最小化するために、第五世代（５Ｇ：５  ｇｅｎｅｒａｔｉｏｎ）  ｎｅｗ  ＲＡＴでは、図１０のような自己完結（ｓｅｌｆ−ｃｏｎｔａｉｎｅｄ）サブフレーム構造を考慮している。
【０２２０】
図１０においてハッチングされた領域（シンボルインデックス０）は、下向きリンク（ＤＬ）制御領域を示し、黒色部分（シンボルインデックス１３）は、上向きリンク（ＵＬ）制御領域を示す。陰影表示がない領域は、ＤＬデータ送信のために使用されることができ、または、ＵＬデータ送信のために使用されることもできる。このような構造の特徴は、１個のサブフレーム内でＤＬ送信とＵＬ送信とが順次進行されて、サブフレーム内でＤＬデータが送信され、ＵＬ  ＡＣＫ／ＮＡＣＫも受信されることができる。結果的に、データ送信エラー発生時にデータ再送信までかかる時間を減らすようになり、これによって最終データ伝達のｌａｔｅｎｃｙを最小化できる。
【０２２１】
このようなｓｅｌｆ−ｃｏｎｔａｉｎｅｄサブフレーム構造において基地局とＵＥが送信モードから受信モードへの切り換え過程または受信モードから送信モードへの切り換え過程のための時間ギャップ（ｔｉｍｅ  ｇａｐ）が必要である。このために、ｓｅｌｆ−ｃｏｎｔａｉｎｅｄサブフレーム構造でＤＬからＵＬに切り換えられる時点の一部ＯＦＤＭシンボルがガード区間（ＧＰ：ｇｕａｒｄ  ｐｅｒｉｏｄ）に設定されるようになる。
【０２２２】
アナログビームフォーミング（Ａｎａｌｏｇ  ｂｅａｍｆｏｒｍｉｎｇ）
【０２２３】
ミリメートル波（Ｍｉｌｌｉｍｅｔｅｒ  Ｗａｖｅ、ｍｍＷ）では、波長が短くなり、同一面積に複数個のアンテナ要素（ａｎｔｅｎｎａ  ｅｌｅｍｅｎｔ）の設置が可能である。すなわち、３０ＧＨｚ帯域で波長は１ｃｍであって、４×４（４ｂｙ４）ｃｍのパネル（ｐａｎｅｌ）に０．５ラムダ（ｌａｍｂｄａ）（すなわち、波長）間隔で２−次元配列形態で合計６４（８×８）のａｎｔｅｎｎａ  ｅｌｅｍｅｎｔ設置が可能である。したがって、ｍｍＷでは、複数個のａｎｔｅｎｎａ  ｅｌｅｍｅｎｔを使用してビームフォーミング（ＢＦ：ｂｅａｍｆｏｒｍｉｎｇ）利得を高めてカバレッジを増加させたり、収率（ｔｈｒｏｕｇｈｐｕｔ）を高めようとする。
【０２２４】
この場合、ａｎｔｅｎｎａ  ｅｌｅｍｅｎｔ別に送信パワー及び位相調節が可能なようにトランシーバユニット（ＴＸＲＵ：Ｔｒａｎｓｃｅｉｖｅｒ  Ｕｎｉｔ）を有すると、周波数資源別に独立的なビームフォーミングが可能である。しかし、１００余個のａｎｔｅｎｎａ  ｅｌｅｍｅｎｔの全てにＴＸＲＵを設置するには、価格の側面で実効性が落ちるという問題を有するようになる。したがって、１つのＴＸＲＵに複数個のａｎｔｅｎｎａ  ｅｌｅｍｅｎｔをマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において１つのｂｅａｍ方向だけを作ることができ、周波数選択的ＢＦができないという短所がある。
【０２２５】
デジタル（Ｄｉｇｉｔａｌ）ＢＦとａｎａｌｏｇ  ＢＦの中間形態として、Ｑ個のａｎｔｅｎｎａ  ｅｌｅｍｅｎｔより少ない個数であるＢ個のＴＸＲＵを有するハイブリッドビームフォーミング（ｈｙｂｒｉｄ  ＢＦ）を考慮できる。この場合、Ｂ個のＴＸＲＵとＱ個のａｎｔｅｎｎａ  ｅｌｅｍｅｎｔの連結方式によって差はあるが、同時に送信できるｂｅａｍの方向は、Ｂ個以下に制限されるようになる。
【０２２６】
以下、図面を参照してＴＸＲＵとａｎｔｅｎｎａ  ｅｌｅｍｅｎｔとの連結方式の代表的な一例を説明する。
【０２２７】
図１１は、本発明が適用され得る無線通信システムにおけるトランシーバユニットモデルを例示する。
【０２２８】
ＴＸＲＵ仮想化（ｖｉｒｔｕａｌｉｚａｔｉｏｎ）モデルは、ＴＸＲＵの出力信号とａｎｔｅｎｎａ  ｅｌｅｍｅｎｔｓの出力信号との関係を表す。ａｎｔｅｎｎａ  ｅｌｅｍｅｎｔとＴＸＲＵとの相関関係によって図１１（ａ）のように、ＴＸＲＵ仮想化（ｖｉｒｔｕａｌｉｚａｔｉｏｎ）モデルオプション−１：サブ−配列分割モデル（ｓｕｂ−ａｒｒａｙ  ｐａｒｔｉｔｉｏｎ  ｍｏｄｅｌ）と、図１１（ｂ）のように、ＴＸＲＵ仮想化モデルオプション−２：全域連結（ｆｕｌｌ−ｃｏｎｎｅｃｔｉｏｎ）モデルとに区分されることができる。
【０２２９】
図１１（ａ）に示すように、サブ−配列分割モデル（ｓｕｂ−ａｒｒａｙ  ｐａｒｔｉｔｉｏｎ  ｍｏｄｅｌ）の場合、ａｎｔｅｎｎａ  ｅｌｅｍｅｎｔは、多重のアンテナ要素グループに分割され、各ＴＸＲＵは、グループのうち、１つと連結される。この場合、ａｎｔｅｎｎａ  ｅｌｅｍｅｎｔは、１つのＴＸＲＵにのみ連結される。
【０２３０】
図１１（ｂ）に示すように、全域連結（ｆｕｌｌ−ｃｏｎｎｅｃｔｉｏｎ）モデルの場合、多重のＴＸＲＵの信号が結合されて、単一のアンテナ要素（または、アンテナ要素の配列）に伝達される。すなわち、ＴＸＲＵが全てのアンテナｅｌｅｍｅｎｔに連結された方式を表す。この場合、アンテナｅｌｅｍｅｎｔは、全てのＴＸＲＵに連結される。
【０２３１】
図１１においてｑは、１つの列（ｃｏｌｕｍｎ）内のＭ個の同じ偏波（ｃｏ−ｐｏｌａｒｉｚｅｄ）を有するアンテナ要素等の送信信号ベクトルである。ｗは、広帯域ＴＸＲＵ仮想化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、アナログ位相シフタ（ａｎａｌｏｇ  ｐｈａｓｅ  ｓｈｉｆｔｅｒ）によりかけられる位相ベクトルを表す。すなわち、Ｗによりａｎａｌｏｇ  ｂｅａｍｆｏｒｍｉｎｇの方向が決定される。ｘは、Ｍ＿ＴＸＲＵ個のＴＸＲＵの信号ベクトルである。
【０２３２】
ここで、アンテナポートとＴＸＲＵとのマッピングは、一対一（１−ｔｏ−１）または一対多（１−ｔｏ−ｍａｎｙ）でありうる。
【０２３３】
図１１においてＴＸＲＵとアンテナ要素との間のマッピング（ＴＸＲＵ−ｔｏ−ｅｌｅｍｅｎｔ  ｍａｐｐｉｎｇ）は、１つの例示を表すだけであり、本発明がこれに限定されるものではなく、ハードウェア観点でこの他に、様々な形態で実現されることができるＴＸＲＵとアンテナ要素との間のマッピングにも本発明が同様に適用され得る。
【０２３４】
チャネル状態情報（ＣＳＩ：Ｃｈａｎｎｅｌ  Ｓｔａｔｅ  Ｉｎｆｏｒｍａｔｉｏｎ）フィードバック
【０２３５】
３ＧＰＰ  ＬＴＥ／ＬＴＥ−Ａシステムでは、ユーザ機器（ＵＥ）がチャネル状態情報（ＣＳＩ）を基地局（ＢＳまたはｅＮＢ）に報告するように定義された。
【０２３６】
ＣＳＩは、ＵＥとアンテナポートとの間に形成される無線チャネル（あるいは、リンクともいう）の品質を表すことができる情報を通称する。例えば、ランク指示子（ＲＩ：Ｒａｎｋ  Ｉｎｄｉｃａｔｏｒ）、プリコーディング行列指示子（ＰＭＩ：Ｐｒｅｃｏｄｉｎｇ  Ｍａｔｒｉｘ  Ｉｎｄｉｃａｔｏｒ）、チャネル品質指示子（ＣＱＩ：Ｃｈａｎｎｅｌ  Ｑｕａｌｉｔｙ  Ｉｎｄｉｃａｔｏｒ）などがこれに該当する。
【０２３７】
ここで、ＲＩは、チャネルのランク（ｒａｎｋ）情報を表し、これは、ＵＥが同一時間−周波数資源を介して受信するストリームの個数を意味する。この値は、チャネルの長い周期（ｌｏｎｇ  ｔｅｒｍ）フェーディング（ｆａｄｉｎｇ）により従属されて決定されるので、ＰＭＩ、ＣＱＩより一般的により長い周期にてＵＥからＢＳにフィードバックされる。ＰＭＩは、チャネル空間特性を反映した値であり、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）などのメトリック（ｍｅｔｒｉｃ）を基準にＵＥが選好するプリコーディングインデックスを表す。ＣＱＩは、チャネルの強さを表す値であり、一般的に、ＢＳがＰＭＩを用いたときに得られる受信ＳＩＮＲを意味する。
【０２３８】
３ＧＰＰ  ＬＴＥ／ＬＴＥ−Ａシステムにおいて基地局は、複数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ−ＲＳと干渉測定のためのＣＳＩ−干渉測定（ＣＳＩ−ＩＭ：ＣＳＩ−Ｉｎｔｅｒｆｅｒｅｎｃｅ  Ｍｅａｓｕｒｅｍｅｎｔ）資源で構成される。
【０２３９】
参照信号（ＲＳ：Ｒｅｆｅｒｅｎｃｅ  Ｓｉｇｎａｌ）仮想化（ｖｉｒｔｕａｌｉｚａｔｉｏｎ）
【０２４０】
ｍｍＷでａｎａｌｏｇ  ｂｅａｍｆｏｒｍｉｎｇによって１つの時点に１つのａｎａｌｏｇ  ｂｅａｍ方向のみにＰＤＳＣＨ送信されることができる。この場合、当該方向にある一部少数のＵＥにのみ基地局からデータ送信が可能なようになる。したがって、必要に応じてアンテナポート別にａｎａｌｏｇ  ｂｅａｍ方向を異なるように設定することにより、いくつかのａｎａｌｏｇ  ｂｅａｍ方向にある複数のＵＥに同時にデータ送信が行われ得る。
【０２４１】
図１２は、本発明が適用され得る無線通信システムにおいて、トランシーバユニット別サービス領域を例示する図である。
【０２４２】
図１２では、２５６  ａｎｔｅｎｎａ  ｅｌｅｍｅｎｔを４等分して４個のｓｕｂ−ａｒｒａｙを形成し、先の図１１のように、ｓｕｂ−ａｒｒａｙにＴＸＲＵを連結した構造を例に挙げて説明する。
【０２４３】
各ｓｕｂ−ａｒｒａｙが２−次元（ｄｉｍｅｎｓｉｏｎ）配列形態で合計６４（８×８）のａｎｔｅｎｎａ  ｅｌｅｍｅｎｔが構成されれば、特定ａｎａｌｏｇ  ｂｅａｍｆｏｒｍｉｎｇにより１５度の水平角領域と１５度の垂直角領域に該当する地域をカバーできる。すなわち、基地局がサービスすべき地域を複数個の領域に分けて、１回に１つずつサービスするようになる。
【０２４４】
以下の説明においてＣＳＩ−ＲＳアンテナポート（ａｎｔｅｎｎａ  ｐｏｒｔ）とＴＸＲＵは、一対一（１−ｔｏ−１）マッピングされたと仮定する。したがって、ａｎｔｅｎｎａ  ｐｏｒｔとＴＸＲＵとは、以下の説明において同じ意味を有する。
【０２４５】
図１２（ａ）のように、全てのＴＸＲＵ（アンテナポート、ｓｕｂ−ａｒｒａｙ）（すなわち、ＴＸＲＵ０、１、２、３）が同一ａｎａｌｏｇ  ｂｅａｍｆｏｒｍｉｎｇ方向（すなわち、領域１（ｒｅｇｉｏｎ１））を有すれば、より高い分解能（ｒｅｓｏｌｕｔｉｏｎ）を有するｄｉｇｉｔａｌ  ｂｅａｍを形成して、当該地域の収率（ｔｈｒｏｕｇｈｐｕｔ）を増加させることができる。また、当該地域に送信データのランク（ｒａｎｋ）を増加させて当該地域のｔｈｒｏｕｇｈｐｕｔを増加させることができる。
【０２４６】
図１２（ｂ）及び図１２（ｃ）のように、各ＴＸＲＵ（アンテナポート、ｓｕｂ−ａｒｒａｙ）（すなわち、ポート（ｐｏｒｔ）０、１、２、３）が異なるａｎａｌｏｇ  ｂｅａｍｆｏｒｍｉｎｇ方向（すなわち、ｒｅｇｉｏｎ１またはｒｅｇｉｏｎ２）を有すれば、より広い領域に分布されたＵＥに当該サブフレーム（ＳＦ：ｓｕｂｆｒａｍｅ）で同時にデータ送信が可能となる。
【０２４７】
図１２（ｂ）及び図１２（ｃ）の例示のように、４個のアンテナポートのうち、２個は、領域１にあるＵＥ１にＰＤＳＣＨ送信のために使用され、残りの２個は、領域２にあるＵＥ２にＰＤＳＣＨ送信のために使用されることができる。
【０２４８】
特に、図１２（ｂ）では、ＵＥ１に送信されるＰＤＳＣＨ１とＵＥ２に送信されるＰＤＳＣＨ２とが空間分割多重化（ＳＤＭ：Ｓｐａｔｉａｌ  Ｄｉｖｉｓｉｏｎ  Ｍｕｌｔｉｐｌｅｘｉｎｇ）された例示を示す。これと異なり、図１２（ｃ）のように、ＵＥ１に送信されるＰＤＳＣＨ１とＵＥ２に送信されるＰＤＳＣＨ２とが周波数分割多重化（ＦＤＭ：Ｆｒｅｑｕｅｎｃｙ  Ｄｉｖｉｓｉｏｎ  Ｍｕｌｔｉｐｌｅｘｉｎｇ）されて送信されることもできる。
【０２４９】
全てのアンテナポートを使用して１つの領域をサービスする方式とアンテナポートを分けていくつかの領域を同時にサービスする方式のうち、セル収率（ｃｅｌｌ  ｔｈｒｏｕｇｈｐｕｔ）を最大化するために、ＵＥにサービスするランク（ｒａｎｋ）、そして変調及びコーディング技法（ＭＣＳ：Ｍｏｄｕｌａｔｉｏｎ  ａｎｄ  Ｃｏｄｉｎｇ  Ｓｃｈｅｍｅ）によって選好される方式が変わり得る。また、各ＵＥに送信するデータの量によって選好される方式が変わり得る。
【０２５０】
基地局は、全てのアンテナポートを使用して１つの領域をサービスするときに得られるｃｅｌｌ  ｔｈｒｏｕｇｈｐｕｔまたはスケジューリングマットリック（ｓｃｈｅｄｕｌｉｎｇ  ｍｅｔｒｉｃ）を計算し、アンテナポートを分けて２つの領域をサービスするときに得られるｃｅｌｌ  ｔｈｒｏｕｇｈｐｕｔまたはｓｃｈｅｄｕｌｉｎｇ  ｍｅｔｒｉｃを計算する。基地局は、各方式を介して得られるｃｅｌｌ  ｔｈｒｏｕｇｈｐｕｔまたはｓｃｈｅｄｕｌｉｎｇ  ｍｅｔｒｉｃを比較して最終送信方式を選択できる。結果的に、サブフレーム単位（ＳＦ−ｂｙ−ＳＦ）でＰＤＳＣＨ送信に参加するアンテナポートの個数が変動され得る。基地局がアンテナポートの個数によるＰＤＳＣＨの送信ＭＣＳを計算し、スケジューリングアルゴリズムに反映するために、これに適合したＵＥからのＣＳＩフィードバックが要求される。
【０２５１】
ビーム参照信号（ＢＲＳ：Ｂｅａｍ  Ｒｅｆｅｒｅｎｃｅ  Ｓｉｇｎａｌ）
【０２５２】
ビーム参照信号（ＢＲＳ）は、１つまたはそれ以上のアンテナポート（ｐ＝｛０、１、．．．、７｝上で送信されることができる。
【０２５３】
参照信号シーケンス「ｒ＿ｌ（ｍ）」は、下記の数式１４のように定義されることができる。
【０２５４】
【数１４】
0006810269.tif 000021
【０２５５】
ここで、ｌ＝０、１、．．．、１３は、ＯＦＤＭシンボル番号である。Ｎ＿ＲＢ＾ｍａｘ、ＤＬは、最も大きい下向きリンクバンド設定を表し、Ｎ＿ｓｃ＾ＲＢの倍数で表現される。Ｎ＿ｓｃ＾ＲＢは、周波数ドメインで資源ブロックのサイズを表し、サブキャリアの数で表現される。
【０２５６】
数式１４においてｃ（ｉ）は、擬似−乱数（ｐｓｅｕｄｏ−ｒａｎｄｏｍ）シーケンスとして予め定義されることができる。擬似−乱数シーケンス発生器は、下記の数式１５を用いてＯＦＤＭシンボル毎の開始の際に初期化されることができる。
【０２５７】
【数１５】
0006810269.tif 000022
【０２５８】
ここで、Ｎ＿ＩＤ＾ｃｅｌｌは、物理階層セル識別子を表す。ｎ＿ｓ＝ｆｌｏｏｒ（ｌ／７）であり、ｆｌｏｏｒ（ｘ）は、ｘ以下の最大整数を導出する床関数（ｆｌｏｏｒ  ｆｕｎｃｔｉｏｎ）を表す。ｌ’＝ｌｍｏｄ７であり、ｍｏｄは、モジュロ（ｍｏｄｕｌｏ）演算を表す。
【０２５９】
ビーム補正参照信号（ＢＲＲＳ：Ｂｅａｍ  Ｒｅｆｉｎｅｍｅｎｔ  Ｒｅｆｅｒｅｎｃｅ  Ｓｉｇｎａｌ）
【０２６０】
ビーム補正参照信号（ＢＲＲＳ）は、最大８個のアンテナポート（ｐ＝６００、．．．、６０７）上で送信されることができる。ＢＲＲＳの送信及び受信は、ｘＰＤＣＣＨ上記の下向きリンク資源割当内でスケジューリングされることができる。
【０２６１】
参照信号シーケンス「ｒ＿ｌ、ｎｓ（ｍ）」は、下記の数式１６のように定義されることができる。
【０２６２】
【数１６】
0006810269.tif 000023
【０２６３】
ここで、ｎ＿ｓは、無線フレーム内のスロット番号である。ｌは、スロット内のＯＦＤＭシンボル番号である。ｃ（ｉ）は、擬似−乱数（ｐｓｅｕｄｏ−ｒａｎｄｏｍ）シーケンスとして予め定義されることができる。擬似−乱数シーケンス発生器は、下記の数式１７を用いてＯＦＤＭシンボル毎の開始の際に初期化されることができる。
【０２６４】
【数１７】
0006810269.tif 000024
【０２６５】
ここで、Ｎ＿ＩＤ＾ＢＲＲＳは、ＲＲＣシグナリングを介してＵＥに設定される。
【０２６６】
下向きリンク位相雑音補償参照信号（ＤＬ  Ｐｈａｓｅ  Ｎｏｉｓｅ  Ｃｏｍｐｅｎｓａｔｉｏｎ  Ｒｅｆｅｒｅｎｃｅ  Ｓｉｇｎａｌ）
【０２６７】
ｘＰＤＳＣＨと連関した位相雑音補償参照信号は、ＤＣＩ内でシグナリングによってアンテナポート（等）ｐ＝６０及び／又はｐ＝６１上で送信されることができる。また、ｘＰＤＳＣＨと連関した位相雑音補償参照信号は、ｘＰＤＳＣＨ送信が当該アンテナポートと連関するときにのみ位相雑音補償のための有効な参照として存在し得る。また、ｘＰＤＳＣＨと連関した位相雑音補償参照信号は、当該ｘＰＤＳＣＨがマッピングされた物理資源ブロック及びシンボル上でのみ送信されることができる。また、ｘＰＤＳＣＨと連関した位相雑音補償参照信号は、ｘＰＤＳＣＨ割当によって全てのシンボルで同一でありうる。
【０２６８】
いずれかのアンテナポートｐ∈｛６０、６１｝において、参照信号シーケンス「ｒ（ｍ）」は、下記の数式１８のように定義される。
【０２６９】
【数１８】
0006810269.tif 000025
【０２７０】
ここで、ｃ（ｉ）は、擬似−乱数（ｐｓｅｕｄｏ−ｒａｎｄｏｍ）シーケンスとして予め定義されることができる。擬似−乱数シーケンス発生器は、下記の数式１９を用いてサブフレーム毎の開始の際に初期化されることができる。
【０２７１】
【数１９】
0006810269.tif 000026
【０２７２】
ここで、ｎ＿ＳＣＩＤは、異なるように特定されない限り、０である。ｘＰＤＳＣＨ送信において、ｎ＿ＳＣＩＤは、ｘＰＤＳＣＨ送信と連関したＤＣＩフォーマット内で与えられる。
【０２７３】
ｎ＿ＩＤ＾（ｉ）（ここで、ｉ＝０、１）は、次のように与えられる。ｎ＿ＩＤ＾ＰＣＲＳ、ｉの値が上位階層により提供されないと、ｎ＿ＩＤ＾（ｉ）は、Ｎ＿ＩＤ＾ｃｅｌｌと同じである。それとも、ｎ＿ＩＤ＾（ｉ）は、ｎ＿ＩＤ＾ＰＣＲＳ、ｉと同じである。
【０２７４】
アンテナポート間ＱＣＬ（ｑｕａｓｉ  ｃｏ−ｌｏｃａｔｅｄ）
【０２７５】
本発明では、端末がデータ（ｅ．ｇ．、ＰＤＳＣＨ）を受信するとき、特定ＤＭＲＳのようなＵＥ−ｓｐｅｃｉｆｉｃ  ＲＳでｄｅｍｏｄｕｌａｔｉｏｎさせる方式を考慮する。このようなＤＭＲＳは、当該ＰＤＳＣＨのｓｃｈｅｄｕｌｅｄ  ＲＢ（ｓ）に対してのみ共に送信され、ｓｃｈｅｄｕｌｅｄ  ＰＤＳＣＨが送信される時間区間の間にのみ送信されるので、当該ＤＭＲＳ自体だけでチャネル推定を行うのに受信性能の限界が存在し得る。例えば、チャネル推定を行うにあたって、無線チャネルの主なｌａｒｇｅ−ｓｃａｌｅ  ｐａｒａｍｅｔｅｒ／ｐｒｏｐｅｒｔｙ（ＬＳＰ）の推定値が必要であり、これを前記ｓｃｈｅｄｕｌｅｄ  ＰＤＳＣＨが送信されるｔｉｍｅ／ｆｒｅｑ領域に存在するＤＭＲＳだけで得るには、ＤＭＲＳ  ｄｅｎｓｉｔｙが足りない恐れがある。したがって、このような端末の実現を支援するために、ＬＴＥ−Ａ標準では、次のようなＲＳ  ｐｏｒｔ間のｑｕａｓｉ  ｃｏ−ｌｏｃａｔｉｏｎ  ｓｉｇｎａｌｉｎｇ／ａｓｓｕｍｐｔｉｏｎ／ｂｅｈａｖｉｏｒを定義し、これにより、端末を設定／動作させることができる方式を支援している。
【０２７６】
ＱＣ／ＱＣＬ（ｑｕａｓｉ  ｃｏ−ｌｏｃａｔｅｄあるいはｑｕａｓｉ  ｃｏ−ｌｏｃａｔｉｏｎ）は、次のように定義されることができる。
【０２７７】
２つのアンテナポートがＱＣ／ＱＣＬ関係にある（あるいは、ＱＣ／ＱＣＬされた）とすれば、１つのアンテナポートを介して伝達される信号の広範囲特性（ｌａｒｇｅ−ｓｃａｌｅ  ｐｒｏｐｅｒｔｙ）が他の１つのアンテナポートを介して伝達される信号から暗示（ｉｎｆｅｒ）され得ると端末が仮定できる。ここで、前記広範囲特性は、遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【０２７８】
また、次のように定義されることもできる。２つのアンテナポートがＱＣ／ＱＣＬ関係にある（あるいは、ＱＣ／ＱＣＬされた）とすれば、１つのアンテナポートを介して１つのシンボルが伝達されるチャネルの広範囲特性（ｌａｒｇｅ−ｓｃａｌｅ  ｐｒｏｐｅｒｔｙ）が他の１つのアンテナポートを介して１つのシンボルが伝達される無線チャネルから暗示（ｉｎｆｅｒ）され得ると端末が仮定できる。ここで、前記広範囲特性は、遅延拡散（Ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）のうち、１つ以上を含む。
【０２７９】
すなわち、２つのアンテナポートがＱＣ／ＱＣＬ関係にある（あるいは、ＱＣ／ＱＣＬされた）とは、１つのアンテナポートからの無線チャネルの広範囲特性が残りの１つのアンテナポートからの無線チャネルの広範囲特性と同様であることを意味する。ＲＳが送信される複数のアンテナポートを考慮すれば、互いに異なる２種類のＲＳが送信されるアンテナポートがＱＣＬ関係にあると、１種類のアンテナポートからの無線チャネルの広範囲特性を他の１種類のアンテナポートからの無線チャネルの広範囲特性に代えることができるであろう。
【０２８０】
本明細書において上記のＱＣ／ＱＣＬ関連定義を区分しない。すなわち、ＱＣ／ＱＣＬ概念は、上記の定義のうち、１つにしたがうことができる。あるいは、類似した他の形態として、ＱＣ／ＱＣＬ仮定が成立するアンテナポート間には、あたかも同一位置（ｃｏ−ｌｏｃａｔｉｏｎ）で送信するように仮定できるという形態（例えば、同一送信ポイント（ｔｒａｎｓｍｉｓｓｉｏｎ  ｐｏｉｎｔ）で送信するアンテナポートと端末が仮定できるということなど）でＱＣ／ＱＣＬ概念定義が変形されることもでき、本発明の思想は、このような類似変形例を含む。本発明では、説明の都合上、上記のＱＣ／ＱＣＬ関連定義を混用して使用する。
【０２８１】
前記ＱＣ／ＱＣＬの概念によって、端末は、非−ＱＣ／ＱＣＬ（Ｎｏｎ−ＱＣ／ＱＣＬ）アンテナポートに対しては、当該アンテナポートからの無線チャネル間に同じ前記広範囲特性を仮定することができない。すなわち、この場合、端末は、タイミング取得及びトラッキング（ｔｒａｃｋｉｎｇ）、周波数オフセット推定及び補償、遅延推定及びドップラー推定などに対してそれぞれの設定された非−ＱＣ／ＱＣＬアンテナポート別に独立的なプロセシングを行わなければならない。
【０２８２】
ＱＣ／ＱＣＬを仮定できるアンテナポート間に対して、端末は、次のような動作を行うことができるという長所がある：
【０２８３】
・遅延拡散及びドップラー拡散に対して、端末は、いずれか１つのアンテナポートからの無線チャネルに対する電力−遅延−プロファイル（ｐｏｗｅｒ−ｄｅｌａｙ  ｐｒｏｆｉｌｅ）、遅延拡散及びドップラースペクトル（Ｄｏｐｐｌｅｒ  ｓｐｅｃｔｒｕｍ）、ドップラー拡散推定結果を、他のアンテナポートからの無線チャネルに対するチャネル推定の際に使用されるウィナーフィルタ（Ｗｉｅｎｅｒ  ｆｉｌｔｅｒ）などに同様に適用することができる。
【０２８４】
・周波数シフト（ｓｈｉｆｔ）及び受信されたタイミングに対して、端末は、いずれか１つのアンテナポートに対する時間及び周波数同期化を行った後、同じ同期化を他のアンテナポートの復調に適用することができる。
【０２８５】
・平均受信電力に対して、端末は、２つ以上のアンテナポートに対してＲＳＲＰ（Ｒｅｆｅｒｅｎｃｅ  Ｓｉｇｎａｌ  Ｒｅｃｅｉｖｅｄ  Ｐｏｗｅｒ）測定を平均できる。
【０２８６】
例えば、端末が下向きリンクデータチャネル復調のためのＤＭＲＳアンテナポートがサービングセルのＣＲＳアンテナポートとＱＣ／ＱＣＬされたとすれば、端末は、当該ＤＭＲＳアンテナポートを介してのチャネル推定の際、自分のＣＲＳアンテナポートから推定した無線チャネルの広範囲特性（ｌａｒｇｅ−ｓｃａｌｅ  ｐｒｏｐｅｒｔｉｅｓ）を同様に適用してＤＭＲＳ基盤下向きリンクデータチャネル受信性能を向上させることができる。
【０２８７】
なぜなら、ＣＲＳは、サブフレーム毎に、そして全体帯域にわたって相対的に高い密度（ｄｅｎｓｉｔｙ）でブロードキャストされる参照信号であるから、広範囲特性に関する推定値は、ＣＲＳからさらに安定的に取得が可能なためである。それに対し、ＤＭＲＳは、特定スケジューリングされたＲＢに対しては端末特定に送信され、また、ＰＲＧ（ｐｒｅｃｏｄｉｎｇ  ｒｅｓｏｕｒｃｅ  ｂｌｏｃｋ  ｇｒｏｕｐ）単位が、基地局が送信に使用するプリコーディング行列（ｐｒｅｃｏｄｉｎｇ  ｍａｔｒｉｘ）が変わり得るので、端末に受信される有効チャネルは、ＰＲＧ単位に変わることができ、複数のＰＲＧをスケジューリングされた場合であるといえども、広い帯域にわたってＤＭＲＳを無線チャネルの広範囲特性推定用に使用時に性能劣化が生じる可能性がある。また、ＣＳＩ−ＲＳも、その送信周期が数〜数十ｍｓになることができ、資源ブロック当り、平均的にアンテナポート当り、１資源要素の低い密度を有するので、ＣＳＩ−ＲＳも同様に、無線チャネルの広範囲特性推定用に使用する場合、性能劣化が生じる可能性がある。
【０２８８】
すなわち、アンテナポート間のＱＣ／ＱＣＬ仮定をすることにより、端末は、下向きリンク参照信号の検出／受信、チャネル推定、チャネル状態報告などに活用することができる。
【０２８９】
一方、端末は、サービングセルのアンテナポート０−３とＰＳＳ／ＳＳＳのためのアンテナポートは、ドップラーシフト及び平均遅延に対してＱＣＬ関係を有することを仮定できる。
【０２９０】
ＮＲにおけるＵＬ  ＭＩＭＯ
【０２９１】
新しいＲＡＴ（ＮＲ：Ｎｅｗ  ＲＡＴ）上向きリンク（ＵＬ：Ｕｐｌｉｎｋ）ＭＩＭＯ（Ｍｕｌｔｉ−Ｉｎｐｕｔ  Ｍｕｌｔｉ−Ｏｕｔｐｕｔ）のために、次のような技術が議論されている。
【０２９２】
ｉ）データチャネルのための上向きリンク送信／受信技法
【０２９３】
・非−互恵性（Ｎｏｎ  ｒｅｃｉｐｒｏｃｉｔｙ）基盤ＵＬ  ＭＩＭＯ（例えば、ＰＭＩ基盤）
【０２９４】
・互恵性（ｒｅｃｉｐｒｏｃｉｔｙ）基盤ＵＬ  ＭＩＭＯ（例えば、ＵＥが下向きリンクＲＳ測定基盤でプレコーダ（ｐｒｅｃｏｄｅｒ）を導出する）（部分的な（ｐａｒｔｉａｌ）ｒｅｃｉｐｒｏｃｉｔｙ含む）
【０２９５】
・多重ユーザ（ＭＵ：Ｍｕｌｔｉ  Ｕｓｅｒ）−ＭＩＭＯ支援
【０２９６】
・開ループ（Ｏｐｅｎ−ｌｏｏｐ）／閉ループ（Ｃｌｏｓｅ−ｌｏｏｐ）単一／多重ポイント空間多重化（ＳＭ：Ｓｐａｔｉａｌ  Ｍｕｌｔｉｐｌｅｘｉｎｇ）
【０２９７】
例えば、多重ポイントＳＭの場合、多重レイヤ（ｍｕｌｔｉ  ｌａｙｅｒ）が互いに異なる送信受信ポイント（ＴＲＰ：Ｔｒａｎｓｍｉｔ  Ｒｅｃｅｐｔｉｏｎ  Ｐｏｉｎｔ）により一緒に（ｊｏｉｎｔｌｙ）または独立的に受信される。
【０２９８】
多重ポイントＳＭの場合、多重ポイントが連合（ｃｏｏｒｄｉｎａｔｉｏｎ）され得る。
【０２９９】
・単一／多重パネル（ｐａｎｅｌ）空間ダイバーシティ（ｓｐａｔｉａｌ  ｄｉｖｅｒｓｉｔｙ）
【０３００】
・ＵＬアンテナ／パネルスイッチング（ＵＥ側面）
【０３０１】
・アナログ実現のためのＵＬビームフォーミング管理
【０３０２】
・前記技術等の組み合わせ
【０３０３】
ii）次のような機能を考慮したＵＬＲＳ設計
【０３０４】
・サウンディング（ｓｏｕｎｄｉｎｇ）
【０３０５】
・復調（Ｄｅｍｏｄｕｌａｔｉｏｎ）
【０３０６】
・位相ノイズ補償（Ｐｈａｓｅ  ｎｏｉｓｅ  ｃｏｎｐｅｎｓａｔｉｏｎ）
【０３０７】
iii）ＵＬ  ＭＩＭＯのコンテクスト内のＵＬ送信パワー／タイミングアドバンス（ｔｉｍｉｎｇ  ａｄｖａｎｃｅ）制御
【０３０８】
iv）ＵＬ制御情報を運ぶための送信技法（等）
【０３０９】
ｖ）他のＵＬ  ＭＩＭＯ及び関連技術が制限されない。
【０３１０】
ＵＬ  ＭＩＭＯ送信のための次のような側面が支援されなければならない。
【０３１１】
ｉ）ｒｅｃｉｐｒｏｃｉｔｙ補正された（ｃａｌｉｂｒａｔｅｄ）ＵＥ、ｒｅｃｉｐｒｏｃｉｔｙ非−補正された（ｎｏｎ−ｃａｌｉｂｒａｔｅｄ）ＵＥ、及びｎｏｎ−ｒｅｃｉｐｒｏｃｉｔｙ／ｐａｒｔｉａｌ  ｒｅｃｉｐｒｏｃｉｔｙ場合に対する送信技法／方法
【０３１２】
・必要であれば、ＵＬ  ｒｅｃｉｐｒｏｃｉｔｙ基盤動作と連関したシグナリングが導入される。例えば、補正（ｃａｌｉｂｒａｔｉｏｎ）正確性を指示するＵＥ能力（ｃａｐａｂｉｌｉｔｙ）
【０３１３】
・ｎｏｎ−ｒｅｃｉｐｒｏｃｉｔｙとｒｅｃｉｐｒｏｃｉｔｙ  ｎｏｎ−ｃａｌｉｂｒａｔｅｄ  ＵＥを区別するか否かについて議論される予定である。
【０３１４】
・送信技法／方法の数は、追加に議論されることができる。
【０３１５】
ii）次の候補技法／方法のうち、少なくとも１つが支援される。
【０３１６】
・候補１：コードブック基盤送信
【０３１７】
大きいシステム帯域幅のために、デジタルドメイン（ｄｉｇｉｔａｌ  ｄｏｍａｉｎ）で周波数選択的（ｓｅｌｅｃｔｉｖｅ）及び周波数非−選択的（ｎｏｎ−ｓｅｌｅｃｔｉｖｅ）プリコーディングが考慮され得る。周波数選択的プリコーディングの支援は、ＮＲ波形（ｗａｖｅｆｏｒｍ）（等）の決定によって決定される。大きいシステム帯域幅の値を今後議論する。
【０３１８】
例えば、ＬＴＥと類似した（ａｎａｌｏｇｏｕｓ）基地局−中心（ＢＳ（Ｂａｓｅ  Ｓｔａｔｉｏｎ）−ｂａｓｅｄ）メカニズム
【０３１９】
例えば、ＵＥ−補助（ＵＥ−ａｉｄｅｄ）及びＢＳ−中心（ＢＳ−ｃｅｎｔｒｉｃ）メカニズム：ＵＥは、ＤＬ  ＲＳ測定に基づいて、予め定義されたコードブックから候補ＵＬプレコーダをＢＳに推薦する。そして、ＢＳは、コードブックから用いる最終のプレコーダを決定する。
【０３２０】
例えば、ＵＥ−中心（ＵＥ−ｃｅｎｔｒｉｃ）及びＢＳ−補助（ＢＳ−ａｉｄｅｄ）メカニズム：ＢＳは、ＣＳＩ（例えば、チャネル応答、間接−関連情報）をＵＥに提供する。そして、ＵＥは、ＢＳから受信した情報に基づいて最終のプレコーダを決定する。
【０３２１】
・候補２：非−コードブック（ｎｏｎ−ｃｏｄｅｂｏｏｋ）基盤送信
【０３２２】
大きいシステム帯域幅のために、デジタルドメイン（ｄｉｇｉｔａｌ  ｄｏｍａｉｎ）で周波数選択的（ｓｅｌｅｃｔｉｖｅ）及び周波数非−選択的（ｎｏｎ−ｓｅｌｅｃｔｉｖｅ）プリコーディングが考慮され得る。周波数選択的プリコーディングの支援は、ＮＲ波形（ｗａｖｅｆｏｒｍ）（等）の決定によって決定される。大きいシステム帯域幅の値を今後議論する。
【０３２３】
例えば、ｃａｌｉｂｒａｔｅｄ  ＵＥだけのためのｒｅｃｉｐｒｏｃｉｔｙ基盤（ＤＬ  ＲＳ基盤）送信
【０３２４】
例えば、ＵＥ−ａｉｄｅｄ及びＢＳ−ｃｅｎｔｒｉｃメカニズム：ＵＥは、ＤＬ  ＲＳ測定に基づいて候補ＵＬプレコーダをＢＳに推薦する。そして、ＢＳは、最終のプレコーダを決定する。
【０３２５】
例えば、ＵＥ−ｃｅｎｔｒｉｃ及びＢＳ−ａｉｄｅｄメカニズム：ＢＳは、ＣＳＩ（例えば、チャネル応答、干渉−関連情報）をＵＥに提供する。そして、ＵＥは、ＢＳから受信した情報に基づいて最終のプレコーダを決定する。
【０３２６】
・他の送信技法／方法が制限されない。
【０３２７】
ｉ）周波数選択的／非−選択的プリコーディングのためのＵＬプレコーダシグナリングに対する議論
【０３２８】
・例題１：ＤＬ制御及び／又はデータチャネルを介しての単一または多重ＰＭＩのシグナリング
【０３２９】
多重のＰＭＩは、単一のＤＣＩまたは多重−レベルＤＣＩ（第１レベルＤＣＩは、第２レベルＤＣＩの位置指示を含む）を介してシグナリングされることができる。
【０３３０】
・例題２：ＴＤＤの場合、ＵＥでＤＬ  ＲＳ基盤のプレコーダ計算
【０３３１】
周波数選択的プリコーディングの実現は、ＲＡＮ１決定（例えば、ＮＲフレーム構造、波形（等））によって決定される。
【０３３２】
他のシステム設計側面への影響（例えば、ＤＬ制御チャネルデコード性能／複雑度）が考慮されなければならない。
【０３３３】
ii）プレコーダ循環（ｃｙｃｌｉｎｇ）を含むプリコーディングされた送信のために、ＵＬ周波数選択的プリコーディングの使用に対する議論
【０３３４】
iii）周波数選択的プリコーディングの場合、次のような側面を考慮したＵＬプリコーディング単位（ｇｒａｎｕｌａｒｉｔｙ）（すなわち、ＵＬサブバンドサイズ）に対する議論
【０３３５】
・暗黙的な（ｉｍｐｌｉｃｉｔ）（標準規格による定義）または明示的な（ｅｘｐｌｉｃｉｔ）（ｅＮＢ／ＵＥによる決定）シグナリング支援
【０３３６】
・ＤＬと整列（ａｌｉｇｎ）するか否か
【０３３７】
iv）評価は、ＵＬ  ｗａｖｅｆｏｒｍなどによるキュービックメトリック（ＣＭ：Ｃｕｂｉｃ  Ｍｅｔｒｉｃ）分析のようなＵＬ特定（ＵＥ  ｓｐｅｃｉｆｉｃ）の側面を含むべきである。
【０３３８】
ｖ）周波数非−選択的プリコーディングに対する議論は、最優先順位（ｈｉｇｈｅｒ−ｐｒｉｏｒｉｔｙ）である。
【０３３９】
ＵＥは、Ｘ−ポートＳＲＳ資源を設定されることができる。ＳＲＳ資源は、単一スロット内で１つまたはいくつかのＯＦＤＭシンボルにわたっている（ｓｐａｎ）。
【０３４０】
各ＯＦＤＭシンボルにおいて全てのＸ個のＳＲＳポートがサウンディングされるか、そうでないこともある。
【０３４１】
少なくともＣＳＩ取得のために：
【０３４２】
・各ＯＦＤＭシンボルでＸ個のＳＲＳポートが周波数ホッピング方式でスロットの互いに異なるＯＦＤＭシンボル帯域の他の位置から送信されるように、多重−シンボルＳＲＳ資源が設定され得る。これは、狭帯域（ｎａｒｒｏｗｅｒ  ｂａｎｄ）ＳＲＳ送信を使用して、ＵＥ帯域幅のより大きい部分（または、全体）をサウンディングすることを許容する。
【０３４３】
・全てのＯＦＤＭシンボルにおいて全てのＸポートは、帯域の同じ部分でサウンディングされる。
【０３４４】
ＳＲＳ設計上のＵＥ  ＲＦ実現側面を考慮すれば、シンボル−単位（ｓｙｍｂｏｌ−ｗｉｓｅ）ホッピングパターンの設計に制約が加えられ得る（例えば、周波数再調整（ｒｅ−ｔｕｎｉｎｇ）に必要な時間（ｒｅｑｕｉｒｅｄ  ｔｉｍｅ）（再調整が必要な場合）または再調整が必要ない場合、一時的な期間（ｔｒａｎｓｉｅｎｔ  ｐｅｒｉｏｄ））
【０３４５】
ＳＲＳ送信方法（ＵＥサウンディング手順）
【０３４６】
ＵＥは、２つのトリガータイプによってサービングセルＳＲＳ資源別にＳＲＳを送信しなければならない。
【０３４７】
・トリガータイプ０：上位階層シグナリング
【０３４８】
・トリガータイプ１：ＦＤＤ及びＴＤＤの場合、ＤＣＩフォーマットが０／４／１Ａであり、ＴＤＤの場合、ＤＣＩフォーマットが２Ｂ／２Ｃ／２Ｄである。
【０３４９】
トリガータイプ０とトリガータイプ１  ＳＲＳ送信が同じサービングセルの同じサブフレームで発生する場合、ＵＥは、トリガータイプ１  ＳＲＳ送信のみ送信しなければならない。
【０３５０】
ＵＥは、各サービングセルでトリガータイプ０及びトリガータイプ１に対するＳＲＳパラメータを設定されることができる。次のＳＲＳパラメータは、トリガータイプ０及びトリガータイプ１に対して上位階層でセル−特定（ｃｅｌｌ−ｓｐｅｃｉｆｉｃ）及び半−静的に（ｓｅｍｉ−ｓｔａｔｉｃａｌｌｙ）設定可能である。
【０３５１】
・トリガータイプ１の各設定とトリガータイプ０に対して（ＴＳ  ３６．２１１で）定義された送信ｃｏｍｂ
0006810269.tif 000027
【０３５２】
・トリガータイプ１の各設定とトリガータイプ０に対して（ＴＳ  ３６．２１１で）定義された開始物理資源ブロック割当
0006810269.tif 000028
【０３５３】
・期間（ｄｕｒａｔｉｏｎ）：トリガータイプ０に対して（ＴＳ  ３６．２１１で）定義された、単一または無限（不活性化されるまで）
【０３５４】
・トリガータイプ０に対して表７及び表８で定義されるＳＲＳ周期
0006810269.tif 000029
及びＳＲＳサブフレームオフセット
0006810269.tif 000030
と、トリガータイプ１に対して表１０及び表１１で定義されるＳＲＳ周期
0006810269.tif 000031
及びＳＲＳサブフレームオフセット
0006810269.tif 000032
に対するｓｒｓ−ＣｏｎｆｉｇＩｎｄｅｘＩＳＲＳ
【０３５５】
・トリガータイプ１の各設定とトリガータイプ０に対して（ＴＳ  ３６．２１１で）定義されたＳＲＳ帯域幅
0006810269.tif 000033
【０３５６】
・トリガータイプ０に対して（ＴＳ  ３６．２１１で）定義された周波数ホッピング帯域幅
0006810269.tif 000034
【０３５７】
・トリガータイプ１の各設定とトリガータイプ０に対して（ＴＳ  ３６．２１１で）定義されたｃｙｃｌｉｃ  ｓｈｉｆｔ  
0006810269.tif 000035
【０３５８】
・トリガータイプ１の各設定とトリガータイプ０に対するアンテナポート個数
0006810269.tif 000036
【０３５９】
トリガータイプ１及びＤＣＩフォーマット４の場合、ＳＲＳパラメータの３つのセットであるｓｒｓ−ＣｏｎｆｉｇＡｐＤＣＩ−Ｆｏｒｍａｔ４が上位階層シグナリングにより設定されることができる。ＤＣＩフォーマット４の２−ビットＳＲＳ要請フィールドは、表６に与えられたＳＲＳパラメータセットを指示する。トリガータイプ１及びＤＣＩフォーマット０の場合、ＳＲＳパラメータの単一セット、ｓｒｓ−ＣｏｎｆｉｇＡｐＤＣＩ−Ｆｏｒｍａｔ０が上位階層シグナリングにより設定される。トリガータイプ１及びＤＣＩフォーマット１Ａ／２Ｂ／２Ｃ／２Ｄの場合、ＳＲＳパラメータに対する単一共通セットｓｒｓ−ＣｏｎｆｉｇＡｐＤＣＩ−Ｆｏｒｍａｔ１ａ２ｂ２ｃが上位階層シグナリングにより設定される。ＳＲＳ要請フィールドは、ＤＣＩフォーマット０／１Ａ／２Ｂ／２Ｃ／２Ｄに対して１−ビットであり、ＳＲＳ要請フィールドの値が「１」に設定された場合、タイプ１  ＳＲＳがトリガーされる。
【０３６０】
表６は、ＤＣＩフォーマット４でのトリガータイプ１に対するＳＲＳ要請値に関する表である。
【０３６１】
【表６】
0006810269.tif 000037
【０３６２】
サービングセル特定ＳＲＳ送信帯域幅
0006810269.tif 000038
は、上位階層により設定される。許容可能な値は別に定義されるか、特定標準文書（例えば、ＴＳ  ３６．２１１）で与えられることができる。
【０３６３】
サービングセル特定ＳＲＳ送信サブフレームは、上位階層により設定される。許容可能な値は、別に定義されるか、特定標準文書（例えば、ＴＳ  ３６．２１１）で与えられることができる。
【０３６４】
ＴＤＤサービングセルにおいて、ＳＲＳ送信は、サービングセルに対する上位階層パラメータであるｓｕｂｆｒａｍｅＡｓｓｉｇｎｍｅｎｔにより指示されたＵＬ／ＤＬ設定のＵｐＰＴＳ及びＵＬサブフレームで発生することができる。
【０３６５】
送信アンテナ選択を支援するＵＥに対して閉ループ（ｃｌｏｓｅｄ−ｌｏｏｐ）ＵＥ送信アンテナ選択が与えられたサービングセルに対して活性化され、周波数ホッピングが不活性化される場合
0006810269.tif 000039
、時間ｎ＿ＳＲＳでＳＲＳを送信するＵＥアンテナのインデックス
0006810269.tif 000040
は、部分及び全体サウンディング帯域幅の両方に対して
0006810269.tif 000041
のように与えられることができる。そして、周波数ホッピングが活性化される場合
0006810269.tif 000042
には、時間ｎ＿ＳＲＳでＳＲＳを送信するＵＥアンテナのインデックス
0006810269.tif 000043
は、数式２０のように与えられることができる（ＵＥに対して単一ＳＲＳ送信が設定された場合を除いて）。
【０３６６】
【数２０】
0006810269.tif 000044
【０３６７】
ここで、ＢＳＲＳ、ｂｈｏｐ、Ｎｂ、及びｎＳＲＳは、ＴＳ  ３６．２１１の５．５．３．２セクションで定義されることができる。仮に、ＵＥが１つ以上のサービングセルを設定された場合、ＵＥは、同時に互いに異なるアンテナポートでのＳＲＳ送信を期待しないことがある。
【０３６８】
ＵＥは、サービングセルのＮｐ（上位階層シグナリングにより設定されることができる）個のアンテナポート上にＳＲＳを送信するように設定されることができる。ＰＵＳＣＨ送信モード１の場合、
0006810269.tif 000045
、ＰＵＳＣＨ送信モード２の場合、ＰＵＳＣＨのための２個のアンテナポートとともに、
0006810269.tif 000046
、及びＰＵＳＣＨのための４個のアンテナポートとともに、
0006810269.tif 000047
（Ｆｏｒ  ＰＵＳＣＨ  ｔｒａｎｓｍｉｓｓｉｏｎ  ｍｏｄｅ  １  
0006810269.tif 000048
ａｎｄ  ｆｏｒ  ＰＵＳＣＨ  ｔｒａｎｓｍｉｓｓｉｏｎ  ｍｏｄｅ  ２  
0006810269.tif 000049
ｗｉｔｈ  ｔｗｏ  ａｎｔｅｎｎａ  ｐｏｒｔｓ  ｃｏｎｆｉｇｕｒｅｄ  ｆｏｒ  ＰＵＳＣＨ  ａｎｄ  
0006810269.tif 000050
ｗｉｔｈ  ４  ａｎｔｅｎｎａ  ｐｏｒｔｓ  ｃｏｎｆｉｇｕｒｅｄ  ｆｏｒ  ＰＵＳＣＨ）。サービングセルの複数のアンテナポート上のＳＲＳ送信を設定されたＵＥは、サービングセルの同じサブフレームの１つのＳＣ−ＦＤＭＡシンボル内の設定された全ての送信アンテナポートに対するＳＲＳを送信しなければならない。
【０３６９】
ＳＲＳ送信帯域幅及び開始物理資源ブロック割当は、与えられたサービングセルの全ての設定されたアンテナポートに対して同一である。
【０３７０】
多重ＴＡＧ（Ｔｉｍｉｎｇ  Ａｄｖａｎｃｅ  Ｇｒｏｕｐ）に設定されなかったＵＥは、ＳＲＳ及びＰＵＳＣＨ送信が同じシンボルで重複する度にシンボルでＳＲＳを送信してはならない。
【０３７１】
ＴＤＤサービングセルに対して、１つのＳＣ−ＦＤＭＡシンボルが与えられたサービングセルのＵｐＰＴＳに存在するとき、これは、ＳＲＳ送信のために使用されることができる。与えられたサービングセルのＵｐＰＴＳに２個のＳＣ−ＦＤＭＡシンボルが存在するとき、両方ともＳＲＳ送信のために使用されることができ、トリガータイプ０  ＳＲＳに対して両方とも同じＵＥに割り当てられることができる。
【０３７２】
ＵＥが複数のＴＡＧに設定されないか、ＵＥが複数のＴＡＧに設定され、同じサービングセル内の同じサブフレームでＳＲＳ及びＰＵＣＣＨフォーマット２／２ａ／２ｂが同時に発生する（ｃｏｉｎｃｉｄｅ）場合、
【０３７３】
・タイプ０にトリガーされたＳＲＳとＰＵＣＣＨフォーマットの２／２ａ／２ｂ送信が同じサブフレームで同時に発生する度に、ＵＥは、タイプ０にトリガーされたＳＲＳを送信してはならない。
【０３７４】
・ＵＥは、タイプ１にトリガーされたＳＲＳとＰＵＣＣＨフォーマット２ａ／２ｂまたはＨＡＲＱ−ＡＣＫ送信を有するフォーマット２が同じサブフレームで同時に発生する度に、タイプ１にトリガーされたＳＲＳを送信してはならない。
【０３７５】
・ＵＥは、タイプ１にトリガーされたＳＲＳとＨＡＲＱ−ＡＣＫ送信がないＰＵＣＣＨフォーマット２が同じサブフレームで同時に発生する度に、ＨＡＲＱ−ＡＣＫないＰＵＣＣＨフォーマット２を送信してはならない。
【０３７６】
ＵＥが複数のＴＡＧを設定されないか、ＵＥが複数のＴＡＧを設定され、ＳＲＳ及びＰＵＣＣＨが同じサービングセル内の同じサブフレームで同時に発生する場合、
【０３７７】
・仮に、ａｃｋＮａｃｋＳＲＳ−ＳｉｍｕｌｔａｎｅｏｕｓＴｒａｎｓｍｉｓｓｉｏｎが「ＦＡＬＳＥ」である場合、ＵＥは、同じサブフレーム内でＨＡＲＱ−ＡＣＫ及び／又はポジティブＳＲ（ｓｃｈｅｄｕｌｉｎｇ  ｒｅｑｕｅｓｔ）を運搬するＰＵＣＣＨ送信及びＳＲＳ送信が同時に発生する度に、ＳＲＳを送信してはならない。
【０３７８】
・仮に、パラメータａｃｋＮａｃｋＳＲＳ−ＳｉｍｕｌｔａｎｅｏｕｓＴｒａｎｓｍｉｓｓｉｏｎが「ＴＲＵＥ」である場合、ＦＤＤ−ＴＤＤ及び１次（ｐｒｉｍａｒｙ）セルフレーム構造１の場合、ＵＥは、ＴＳ  ３６．２１１の５．４．１節及び５．４．２Ａ節に定義されたように、短縮フォーマット（ｓｈｏｒｔｅｎｅｄ  ｆｏｒｍａｔ）を使用するポジティブＳＲ及び／又はＨＡＲＱ−ＡＣＫを運搬するＰＵＣＣＨ送信及びＳＲＳ送信が同じシンボル内で重複する度に、シンボルでＳＲＳを送信してはならない。
【０３７９】
・他に禁止されていない限り、パラメータａｃｋＮａｃｋＳＲＳ−ＳｉｍｕｌｔａｎｅｏｕｓＴｒａｎｓｍｉｓｓｉｏｎが「ＴＲＵＥ」である場合、ＵＥは、ＴＳ  ３６．２１１の５．４．１節と５．４．２節に定義されたように、短縮フォーマットを使用するポジティブＳＲ及び／又はＨＡＲＱ−ＡＣＫを運搬するＰＵＣＣＨ送信及びＳＲＳ送信が同じサブフレームで同時に発生する度に、ＳＲＳを送信しなければならない。
【０３８０】
多重ＴＡＧを設定されなかったＵＥは、ＴＳ  ３６．２１１の５．４．１節及び５．４．２Ａ節に定義されたように、一般（ｎｏｒｍａｌ）ＰＵＣＣＨフォーマットを使用するポジティブＳＲ及び／又はＨＡＲＱ−ＡＣＫを運搬するＰＵＣＣＨ送信及び任意のサービングセルでのＳＲＳ送信が同じサブフレームで同時に発生する度に、ＳＲＳを送信してはならない。
【０３８１】
ＵｐＰＴＳで、ＳＲＳ送信インスタンスがプリアンブルフォーマット４に対するＰＲＡＣＨ（Ｐｈｙｓｉｃａｌ  Ｒａｎｄｏｍ  Ａｃｃｅｓｓ  Ｃｈａｎｎｅｌ）領域と重なるか、サービングセルで設定されたＵＬシステム帯域幅の範囲を超過する度に、ＵＥは、ＳＲＳを送信してはならない。
【０３８２】
上位階層により提供されるパラメータａｃｋＮａｃｋＳＲＳ−ＳｉｍｕｌｔａｎｅｏｕｓＴｒａｎｓｍｉｓｓｉｏｎは、仮に、ＵＥが１つのサブフレームでＳＲＳ及びＰＵＣＣＨに対するＨＡＲＱ−ＡＣＫの送信を支援するように設定されたか否かを決定する。１つのサブフレームでＳＲＳ及びＰＵＣＣＨに対するＨＡＲＱ−ＡＣＫの送信を支援するように設定された場合、主（ｐｒｉｍａｒｙ）セルのセル−特定ＳＲＳサブフレームで、ＵＥは、ＴＳ  ３６．２１１５．４．１節及び５．４．２Ａ節で定義された短縮ＰＵＣＣＨフォーマットを使用してＨＡＲＱ−ＡＣＫとＳＲを送信しなければならない。ここで、ＳＲＳ位置に対応するＨＡＲＱ−ＡＣＫまたはＳＲシンボルは、穿孔（ｐｕｎｃｔｕｒｅｄ）されることができる。
【０３８３】
この短縮されたＰＵＣＣＨフォーマットは、ＵＥがそのサブフレームでＳＲＳを送信しなくても、主セルのセル−特定ＳＲＳサブフレームで使用されなければならない。セル−特定ＳＲＳサブフレームは、ＴＳ  ３６．２１１の５．５．３．３節に定義されている。それとも、ＵＥは、ＨＡＲＱ−ＡＣＫ及びＳＲの送信のために、ＴＳ  ３６．２１１の５．４．１節に定義されたような一般（ｎｏｒｍａｌ）ＰＵＣＣＨフォーマット１／１ａ／１ｂまたはＴＳ  ３６．２１１５．４．２Ａに定義された一般ＰＵＣＣＨフォーマット３を使用しなければならない。
【０３８４】
ＳＲＳ周期
0006810269.tif 000051
及びＳＲＳサブフレームオフセット
0006810269.tif 000052
に対するサービングセル内のＵＥのトリガータイプ０  ＳＲＳ設定は、各々ＦＤＤ及びＴＤＤサービングセルに対して表７及び表８で定義される。表７は、ＦＤＤ及びトリガータイプ０に対するＵＥ特定ＳＲＳ周期
0006810269.tif 000053
及びサブフレームオフセット設定
0006810269.tif 000054
を例示する。また、表８は、ＴＤＤ及びトリガータイプ０に対するＵＥ特定ＳＲＳ周期
0006810269.tif 000055
及びサブフレームオフセット設定
0006810269.tif 000056
を例示する。
【０３８５】
ＳＲＳ送信周期
0006810269.tif 000057
は、サービングセルに特定的に決定され、セット｛２、５、１０、２０、４０、８０、１６０、３２０｝ｍｓまたはサブフレームの中で選択される。
【０３８６】
【表７】
0006810269.tif 000058
【０３８７】
【表８】
0006810269.tif 000059
【０３８８】
ＴＤＤサービングセルで２ｍｓのＳＲＳ周期
0006810269.tif 000060
に対し、２個のＳＲＳ資源は、与えられたサービングセルのＵＬサブフレーム（等）を含むハーフ（ｈａｌｆ）フレームで設定される。
【０３８９】
0006810269.tif 000061
であるＴＤＤサービングセル及びＦＤＤサービングセルに対して与えられたサービングセルでタイプ０にトリガリングされたＳＲＳ送信時点は、
0006810269.tif 000062
を満たすサブフレームに該当する。ここで、ＦＤＤの場合、
0006810269.tif 000063
は、フレーム内でのサブフレームインデックスに該当し、ＴＤＤサービングセルの場合、
0006810269.tif 000064
は、表９で定義される。
【０３９０】
【表９】
0006810269.tif 000065
【０３９１】
0006810269.tif 000066
を有するＴＤＤサービングセルのためのＳＲＳ送信時点（ｉｎｓｔａｎｃｅ）は、
0006810269.tif 000067
を満たすサブフレームでありうる。
【０３９２】
ＴＤＤサービングセル及びサービングセルｃでタイプ０にトリガーされたＳＲＳ送信が設定されたＵＥ及びサービングセルｃでパラメータＥＩＭＴＡ−ＭａｉｎＣｏｎｆｉｇＳｅｒｖＣｅｌｌ−ｒ１２を設定されたＵＥに対して、ＵＥが無線フレームｍ（１３．１節で説明された）ＵＬ／ＤＬ設定指示を検出しなければ、ＵＥは、ＰＵＳＣＨを同じサブフレームで送信しない限り、ＤＬサブフレームとしてパラメータｅｉｍｔａ−ＨａｒｑＲｅｆｅｒｅｎｃｅＣｏｎｆｉｇ−ｒ１２により指示された無線フレームｍのサブフレームでトリガータイプ０  ＳＲＳを送信しないことがある。
【０３９３】
ＳＲＳ周期
0006810269.tif 000068
及びＳＲＳサブフレームオフセット
0006810269.tif 000069
に対するサービングセル内のＵＥのトリガータイプ１  ＳＲＳ設定は、各々ＦＤＤ及びＴＤＤサービングセルに対して表１０及び表１１で定義される。表１０は、トリガータイプ１、ＦＤＤに対するＵＥ特定ＳＲＳ周期
0006810269.tif 000070
、及びサブフレームオフセット設定
0006810269.tif 000071
を例示した表である。表１１は、トリガータイプ１、ＴＤＤに対するＵＥ特定ＳＲＳ周期
0006810269.tif 000072
、及びサブフレームオフセット設定
0006810269.tif 000073
を例示した表である。
【０３９４】
【表１０】
0006810269.tif 000074
【０３９５】
【表１１】
0006810269.tif 000075
【０３９６】
ＳＲＳ送信周期
0006810269.tif 000076
は、サービングセル特定され、｛２、５、１０｝ｍｓまたはサブフレームセットから選択される。
【０３９７】
ＴＤＤサービングセルで２ｍｓのＳＲＳ周期
0006810269.tif 000077
に対し、２個のＳＲＳ資源は、与えられたサービングセルのＵＬサブフレーム（等）を含むハーフフレームで設定される。
【０３９８】
サービングセルｃでタイプ１にトリガーされたＳＲＳ送信のために設定され、キャリア指示子フィールドを設定されなかったＵＥは、サービングセルｃ上のＰＤＣＣＨ／ＥＰＤＣＣＨスケジューリングＰＵＳＣＨ／ＰＤＳＣＨでポジティブＳＲＳ要請の検出の際、サービングセルｃにＳＲＳを送信しなければならない。
【０３９９】
サービングセルｃでタイプ１にトリガーされたＳＲＳ送信が設定され、キャリア指示子フィールドを設定されたＵＥは、サービングセルｃに対応するキャリア指示子フィールドの値を有するＰＤＣＣＨ／ＥＰＤＣＣＨスケジューリングＰＵＳＣＨ／ＰＤＳＣＨでポジティブＳＲＳ要請の検出の際、サービングセルｃにＳＲＳを送信しなければならない。
【０４００】
サービングセル（ｃ）のサブフレームｎでポジティブＳＲＳ要請検出の際、サービングセルｃでタイプ１トリガーＳＲＳ送信が設定されたＵＥは、
0006810269.tif 000078
を有するＴＤＤサービングセルｃ及びＦＤＤサービングセルｃの場合、
0006810269.tif 000079
及び
0006810269.tif 000080
を満たす１番目のサブフレームでＳＲＳ送信を開始（ｃｏｍｍｅｎｃｅ）し、
0006810269.tif 000081
であるＴＤＤサービングセルｃの場合、
0006810269.tif 000082
を満たす１番目のサブフレームでＳＲＳ送信を始める。ここで、ＦＤＤサービングセルｃの場合、
0006810269.tif 000083
は、フレーム
0006810269.tif 000084
内のサブフレームインデックスであり、ＴＤＤサービングセルｃの場合、
0006810269.tif 000085
は、表９で定義される。
【０４０１】
タイプ１にトリガーされたＳＲＳ送信を設定されたＵＥは、同じサブフレーム及び同じサービングセルに対して上位階層シグナリングにより設定されたように、トリガータイプ１  ＳＲＳ送信パラメータの相違した値等と関連したタイプ１  ＳＲＳトリガリングイベントを受信することを期待しない。
【０４０２】
ＴＤＤサービングセルｃ及びサービングセルｃに対してＥＩＭＴＡ−ＭａｉｎＣｏｎｆｉｇＳｅｒｖＣｅｌｌ−ｒ１２が設定されたＵＥに対し、ＵＥは、ＤＬサブフレームとして対応するｅＩＭＴＡ−ＵＬ／ＤＬ−設定により指示された無線フレームのサブフレームでＳＲＳを送信しない。
【０４０３】
ＵＥは、ランダムアクセス応答承認（ｇｒａｎｔ）に該当するＳＲＳ及びＰＵＳＣＨ送信または競争基盤ランダムアクセス手順の一部である同じ送信ブロックの再送信が同じサブフレームで同時に発生する度に、ＳＲＳを送信してはならない。
【０４０４】
ＳＲＳホッピング方法
【０４０５】
以下の実施形態において説明の便宜のために、ＳＲＳ資源とＳＲＳ資源等を混用して使用するが、ＳＲＳ資源はＳＲＳ資源等（または、ＳＲＳ資源セット）と解釈されることができ、その反対の場合も可能である。
【０４０６】
図１３は、本発明の一実施形態に係る
0006810269.tif 000086
である場合のＬＴＥ  ＳＲＳホッピングパターンを例示した図である。
【０４０７】
ＬＴＥ  ＳＲＳホッピングの場合、下記のような特徴を有する。
【０４０８】
・周期的なＳＲＳトリガリング（トリガリングタイプ０）時にのみＳＲＳホッピング動作実行
【０４０９】
・ＳＲＳ資源等の割当は、既設定されたホッピングパターンで提供される
【０４１０】
・ホッピングパターンは、ＵＥ特定的にＲＲＣに設定／指定／指示（ただし、重複（ｏｖｅｒｌａｐｐｉｎｇ）は許容しない）
0006810269.tif 000087
【０４１１】
・ｃｅｌｌ／ＵＥ特定ＳＲＳが送信されるサブフレーム毎にホッピングパターンを利用して、ＳＲＳが周波数ホッピングされる。
【０４１２】
・ＳＲＳ周波数−ドメイン開始位置及びホッピング公式は、次の数式を介して解釈される。
【０４１３】
【数２１】
0006810269.tif 000088
【０４１４】
ここで、
0006810269.tif 000089
は、時間ドメインでホッピング進行間隔を表し、
0006810269.tif 000090
は、ツリーレベルｂに割り当てられたブランチ（ｂｒａｎｃｈ）数、ｂは、専用（ｄｅｄｉｃａｔｅｄ）ＲＲＣから
0006810269.tif 000091
設定で決定されることができる。
【０４１５】
以下は、ＬＴＥホッピングパターン例示を表す。
【０４１６】
１）セル−特定ＲＲＣでパラメータ設定
【０４１７】
0006810269.tif 000092
【０４１８】
２）ＵＥ−特定ＲＲＣでパラメータ設定（図１３の実施形態に該当）
【０４１９】
0006810269.tif 000093
【０４２０】
0006810269.tif 000094
【０４２１】
0006810269.tif 000095
【０４２２】
次のＤＬ  Ｌ１（Ｌａｙｅｒ  １）／Ｌ２（Ｌａｙｅｒ  ２）ビーム管理手順は、１つまたは複数のＴＲＰで支援されることができる：
【０４２３】
・Ｐ−１（手順）：Ｐ−１は、ＴＲＰ  Ｔｘ（ｔｒａｎｓｍｉｓｓｉｏｎ）ビーム／ＵＥ  Ｒｘ（ｒｅｃｅｐｔｉｏｎ）ビーム（等）の選択を支援するための互いに異なるＴＲＰ  Ｔｘビームに対するＵＥ測定を活性化（ｅｎａｂｌｅ）するのに使用されることができる。ＴＲＰのビームフォーミングの場合、一般的に互いに異なるビームのセットからの（または、互いに異なるビームで構成されたセットを利用した）ｉｎｔｒａ／ｉｎｔｅｒ−ＴＲＰ  Ｔｘビームスイーピングを含むことができる。ＵＥのビームフォーミングの場合、一般的に、互いに異なるビームのセットからの（または、互いに異なるビームで構成されたセットを利用した）ＵＥ  Ｒｘビームスイーピングを含むことができる。ＴＲＰ  ＴｘビームとＵＥ  Ｒｘビームとは、共に（ｊｏｉｎｔｌｙ）または順次（ｓｅｑｕｅｎｔｉａｌｌｙ）決定されることができる。順次決定される場合、例えば、ＴＲＰ  Ｔｘビームが先に決定された後、決定されたＴＲＰ  Ｔｘビームに基づいてＵＥ  Ｒｘビームが決定され得る。
【０４２４】
・Ｐ−２（手順）：Ｐ−２は、ｉｎｔｅｒ／ｉｎｔｒａ−ＴＲＰ  Ｔｘビーム（等）を決定／変更するために、互いに異なるＴＲＰ  Ｔｘビームに対するＵＥの測定を活性化（ｅｎａｂｌｅ）するのに使用される。すなわち、このようなＰ−２は、ＵＥが最適の／適切なＴＲＰ  Ｔｘビーム（等）を決定することを目的とするので、互いに異なるＴＲＰ  Ｔｘビームを測定（より詳細には、互いに異なるＴＲＰ  Ｔｘビームを介して送信されるＲＳを測定）し、同じＴＲＰ  Ｔｘビームに対する繰り返し的な測定は行わない。したがって、Ｐ−２が設定された場合、同じ／１つのＲＳ資源セット内でＲＳ（例えば、ＣＳＩ−ＲＳ）資源が送信／マッピングされるＴｘビームは、資源別に異なることができる。このとき、互いに異なるＴＲＰ  Ｔｘビーム（等）の測定に使用されるＲｘビームは、同じビームに固定されることができ、以下において後述するＰ−３で決定／選択されたＲｘビームに該当し得る。
【０４２５】
このようなＰ−２は、Ｐ−１よりさらに微細なビーム調整（ｒｅｆｉｎｅｍｅｎｔ）のために、Ｐ−１よりさらに小さいＴｘビームセット（すなわち、さらに狭い範囲のビームセット）に対してＵＥ測定が行われ得る。したがって、Ｐ−２は、Ｐ−１の特殊ケースとみなすこともできる。
【０４２６】
・Ｐ−３（手順）：Ｐ−３は、ＵＥがビームフォーミングを使用する場合、ＵＥ  Ｒｘビームを決定／変更するために、同じＴＲＰ  Ｔｘビームに対するＵＥの（繰り返し）測定を活性化（ｅｎａｂｌｅ）するのに使用される。すなわち、このようなＰ−３は、ＵＥが最適の／適切なＲｘビームを決定することを目的とするので、同じＴＲＰ  「Ｔｘ」ビームを互いに異なる「Ｒｘ」ビームを用いて「繰り返し的に」測定／受信（より詳細には、同じＴＲＰ  Ｔｘビームを介して送信されるＲＳを互いに異なるＲｘビームを用いて測定）することができる。このとき、繰り返し測定される同じＴＲＰ  「Ｔｘ」ビームは、Ｐ−２を介して事前に決定／選択されたＴｘビームでありうる。したがって、Ｐ−３が設定された場合、同じＲＳ資源セット内でＲＳ（例えば、ＣＳＩ−ＲＳ）資源が送信／マッピングされるＴｘビームは、資源別に同一でありうる。
【０４２７】
Ｉｎｔｒａ−ＴＲＰ及びｉｎｔｅｒ−ＴＲＰビーム管理のための同じ手順設計が研究される必要がある。このとき、ＵＥは、それがｉｎｔｒａ−ＴＲＰであるか、ｉｎｔｅｒ−ＴＲＰビームであるかの可否を分からないことがある。
【０４２８】
Ｐ−２及びＰ−３（手順）は、例えば、ＴＲＰ  Ｔｘ／ＵＥ  ＲＸビームの同時変更を達成するために、共同に及び／又は複数回行われることができる。
【０４２９】
手順Ｐ−３は、物理階層手順に影響を与えることがあり、そうでないこともある。ＵＥに対する多重Ｔｘ／Ｒｘビームペア管理が支援され得る。
【０４３０】
他のキャリアからの支援（ａｓｓｉｓｔａｎｃｅ）情報は、ビーム管理手順で研究されることができる。
【０４３１】
上記の手順は、全ての周波数帯域に適用されることができる。また、上記の手順は、ＴＲＰ当り、単一／多重ビームで使用されることができる。別のＲＡＮ１アジェンダ項目では、マルチ／シングルビーム基盤初期（ｉｎｉｔｉａｌ）アクセス及び移動性が扱われ得る。
【０４３２】
以下では、ＵＬビーム管理手順について後述する。ＵＬビーム管理手順は、前述したＤＬビーム管理手順と類似して定義されることができ、大別して下記のような種類に区分されることができる：
【０４３３】
・Ｕ−１（手順）：ＵＥ  Ｔｘビーム／ＴＲＰ  Ｒｘビームの選択を支援するために、互いに異なるＵＥ  Ｔｘビームに対するＴＲＰ測定を活性化（ｅｎａｂｌｅ）するのに使用されることができる。このようなＵ−１は、前述したＰ−１と対応することができる。これは、全てのケースに必ず有用ではない。
【０４３４】
・Ｕ−２（手順）：ｉｎｔｅｒ／ｉｎｔｒａ−ＴＲＰ  Ｒｘビーム（等）を変更／選択するために、互いに異なるＴＲＰ  Ｒｘビームに対するＴＲＰ測定を活性化（ｅｎａｂｌｅ）するのに使用されることができる。このようなＵ−２は、前述したＰ−２と対応することができる。
【０４３５】
・Ｕ−３（手順）：ＵＥがビームフォーミングを使用する場合、ＵＥ  Ｔｘビームを変更するために、同じＴＲＰ  Ｒｘビームに対する（繰り返し的な）ＴＲＰ測定を活性化（ｅｎａｂｌｅ）するのに使用されることができる。このようなＵ−３は、前述したＰ−３と対応することができる。
【０４３６】
このような手順等と関連して、様々なＴｘ／Ｒｘビーム一致／符合／対応（ｃｏｒｒｅｓｐｏｎｄａｎｃｅ）関連情報の指示が支援され得る。
【０４３７】
次のようなチャネル／ＲＳに基づいて、ＵＬビーム管理が行われ得る：
【０４３８】
・ＰＲＡＣＨ
【０４３９】
・ＳＲＳ
【０４４０】
・ＤＭ−ＲＳ
【０４４１】
・他のチャネル及び参照信号も排除されない。
【０４４２】
ＴＲＰとＵＥは、Ｔｘ／Ｒｘビーム対応性（ｃｏｒｒｅｓｐｏｎｄｅｎｃｅ）／一致性を有することができる。または、ＴＲＰは、Ｔｘ／Ｒｘビーム一致／符合／対応（ｃｏｒｒｅｓｐｏｎｄａｎｃｅ）を有さず、及び／又はＵＥは、Ｔｘ／Ｒｘビーム一致／符合／対応（ｃｏｒｒｅｓｐｏｎｄａｎｃｅ）を有さないことができる。
【０４４３】
ＣＳＩ−ＲＳは、ＤＬ  Ｔｘビームスイーピング及びＵＥ  Ｒｘビームスイーピングを支援できる。このとき、ＣＳＩ−ＲＳは、Ｐ−１、Ｐ−２、及びＰ−３に使用されることができる。
【０４４４】
ＮＲ  ＣＳＩ−ＲＳは、次のマッピング構造を支援できる：
【０４４５】
・Ｎ＿ｐ個のＣＳＩ−ＲＳポート（等）は、（サブ）時間ユニット（ｔｉｍｅ  ｕｎｉｔ）別にマッピングされることができる。（サブ）時間ユニットにわたって同じＣＳＩ−ＲＳアンテナポートがマッピングされ得る。ここで、「時間ユニット」は、設定された／参照ヌメロロジーでｎ≧１であるＯＦＤＭシンボルを意味する。時間ユニットを構成するＯＦＤＭシンボルは、時間−ドメイン上で連続的であるか、不連続的に位置し得る。ポートマルチプレキシング方法では、ＦＤＭ、ＴＤＭ、ＣＤＭ、またはこれらの様々な組み合わせなどが存在し得る。
【０４４６】
・各時間ユニットは、サブ時間ユニットに分割されることができる。分割方式では、例えば、ＴＤＭ、ＩＦＤＭＡ（Ｉｎｔｅｒｌｅａｖｅｄ  ＦＤＭＡ）、参照ＯＦＤＭシンボル長さ（サブキャリア間隔（ｓｐａｃｉｎｇ））と同一であるか、より短いＯＦＤＭシンボル長さ（すなわち、より大きいサブキャリア間隔）を有するＯＦＤＭシンボル−レベルの分割方法がありうるし、それ以外に、他の方法も排除されない。
【０４４７】
・このようなマッピング構造は、多重パネル／Ｔｘチェーンを支援するのに使用されることができる。
【０４４８】
・Ｔｘ及びＲｘビームスイーピングのための次のようなＣＳＩ−ＲＳマッピングオプションが存在し得る：
【０４４９】
１．オプション１：Ｔｘビーム（等）は、各時間ユニット内でサブ時間ユニット別に同一である。Ｔｘビーム（等）は、時間ユニット別に相違する。
【０４５０】
２．オプション２：Ｔｘビーム（等）は、各時間ユニット内でサブ時間ユニット別に異なる。Ｔｘビーム（等）は、時間ユニット別に同一である。
【０４５１】
３．オプション３（オプション１とオプション２との組み合わせ）：１つの時間ユニット内で、Ｔｘビーム（等）は、サブ時間別に同一である。他の（ａｎｏｔｈｅｒ）時間ユニット内でＴｘビーム（等）は、サブ時間別に異なる。個数及び周期の観点で互いに異なる時間ユニットが結合されることができる。
【０４５２】
Ｔｘスイーピング及びＲｘスイーピングのうち、いずれか１つのみが可能であることもある。上述したマッピング構造は、１つまたは複数のＣＳＩ−ＲＳ資源構成で設定されることができる。
【０４５３】
ＮＲは、下記のうち、少なくとも１つを含むＤＣＩによりＵＬ−ＭＩＭＯスケジューリングされることができる：
【０４５４】
・以前時間インスタンスでこのＵＥにより送信されたＳＲＳ資源の指示（ＳＲＩ）、設定された各ＳＲＳ資源は、少なくとも１つのＵＬ  Ｔｘビーム／プレコーダと連係される。いくつかのＳＲＳ資源がＵＥに設定されている場合にのみ、このフィールドの存在が許容される。
【０４５５】
・送信ランク指示子（ＴＲＩ）、可能な値は、指示されたＳＲＩで設定されたＳＲＳポート数までである。
【０４５６】
・デュアルステージコードブックを含む広帯域送信ＰＭＩ（ＴＰＭＩ）、可能なＰＭ（Ｐｒｅｃｏｄｉｎｇ  ｍａｔｒｉｘ）は、指示されたＳＲＩで設定されたＳＲＳポート数による。非−コードブック−基盤ＵＬ−ＭＩＭＯ送信のために、本フィールドが存在し得る。サブバンドＴＰＭＩが支援され得る。
【０４５７】
・ＵＬ  ＭＣＳ（Ｍｏｄｕｌａｔｉｏｎ  Ｃｏｄｉｎｇ  Ｓｃｈｅｍｅ）指示
【０４５８】
・ＵＬ  ＨＡＲＱ関連情報
【０４５９】
・ＵＬ資源割当
【０４６０】
・複数のＳＲＩ指示と、それに相応するＴＲＩ（等）及びＴＰＭＩ（等）
【０４６１】
・共同（ｊｏｉｎｔ）エンコードまたは分離された（ｓｅｐａｒａｔｅ）エンコード
【０４６２】
ＵＬのためのコードブック基盤送信がＵＬ承認で少なくとも次のシグナリングにより支援されることができる：
【０４６３】
・ＳＲＩ＋ＴＰＭＩ＋ＴＲＩ、ここで、ＴＰＭＩは、ＳＲＩにより選択されたＳＲＳ資源のＳＲＳポートを介して選好されるプレコーダを指示するのに使用される。単一ＳＲＳ資源が設定されるとき、ＳＲＩ無し。このとき、ＴＰＭＩは、設定された単一ＳＲＳ資源のＳＲＳポートを介して選好されるプレコーダを指示するのに使用される。
【０４６４】
・いくつかのＳＲＳ資源選択に対する指示支援
【０４６５】
ＮＲは、ＤＣＩで非周期的ＳＲＳトリガリングを支援する。
【０４６６】
・設定されたＳＲＳ資源のうち、少なくとも１つを選択できるフィールドの少なくとも１つの状態を支援できる。
【０４６７】
ＵＥは、Ｘ−ポートＳＲＳ資源を設定されることができる。ＳＲＳ資源は、単一スロット内で１つまたはいくつかのＯＦＤＭシンボルにわたっている（ｓｐａｎ）。
【０４６８】
各ＯＦＤＭシンボルで全てのＸ個のＳＲＳポートがサウンディングされるか、そうでないことがある。
【０４６９】
少なくともＣＳＩ取得のために：
【０４７０】
・各ＯＦＤＭシンボルでＸ個のＳＲＳポートが周波数ホッピング方式でスロットの互いに異なるＯＦＤＭシンボル帯域の異なる位置で送信されるように、多重−シンボルＳＲＳ資源が設定され得る。これは、狭帯域（ｎａｒｒｏｗｅｒ  ｂａｎｄ）ＳＲＳ送信を使用してＵＥ帯域幅のより大きい部分（または、全体）をサウンディングすることを許容する。
【０４７１】
・全てのＯＦＤＭシンボルで全てのＸポートは、帯域の同じ部分でサウンディングされる。
【０４７２】
ＳＲＳ設計上のＵＥ  ＲＦ実現側面を考慮すれば、シンボル−単位（ｓｙｍｂｏｌ−ｗｉｓｅ）ホッピングパターンの設計に制約が加えられることができる（例えば、周波数再調整（ｒｅ−ｔｕｎｉｎｇ）に必要な時間（ｒｅｑｕｉｒｅｄ  ｔｉｍｅ）（再調整が必要な場合）または再調整が必要ない場合、一時的な期間（ｔｒａｎｓｉｅｎｔ  ｐｅｒｉｏｄ））
【０４７３】
ＮＲは、ＵＬ−関連ＤＣＩで非周期的ＳＲＳトリガリング／要請フィールドを支援する。
【０４７４】
・Ｎ−ビットフィールド：１番目のコードポイント（または、値、状態）は、「ＳＲＳ送信トリガリング」に対応し、ｎ番目のコードポイント（または、値、状態）は、設定されたＳＲＳ資源のうち、少なくとも１つを選択／トリガリングすることができる。すなわち、非周期的ＳＲＳトリガリングフィールドで、１番目（または、特定）のコードポイント（または、値、状態）は、「ＳＲＳ送信トリガリング」を指示し、ｎ番目（前記特定コードポイントを除いた残りのうち、いずれか１つ）のコードポイントは、設定されたＳＲＳ資源のうち、少なくともいずれか１つを（トリガリングされたＳＲＳ資源として）指示できる。したがって、各ＳＲＩフィールド内の状態別に１つまたは複数のＳＲＳ資源（等）が共同（ｊｏｉｎｔ）エンコードされることができる。このとき、ＲＲＣ／ＭＡＣ（Ｍｅｄｉｕｍ  Ａｃｃｅｓｓ  Ｃｏｎｔｒｏｌ）などで予め各状態またはコードポイント（候補）が設定／叙述（ｄｅｓｃｒｉｂｅ）／指示／定義され、特定状態またはコードポイントが動的に選択／指示／トリガリングされることができる。本フィールドは、ＳＲＩフィールドとは独立的なフィールドとして区分されなければならない。
【０４７５】
上記のように、特定ＤＣＩ（例えば、ＵＬ−関連ＤＣＩ、ＤＬ−関連ＤＣＩ、及び／又は分離された共通ＤＣＩ）に非周期的ＳＲＳトリガリングフィールドが含まれ得るし（以下では、これを都合上、「ＡＳＲＳフィールド」と称する）、ＡＳＲＳフィールドを介して特定ｎ−番目状態（コードポイント／値）が動的指示されたとき、端末がしたがうべき動作は、事前にＬ３シグナリング（例えば、ＲＲＣにより）及び／又はＬ２シグナリング（例えば、ＭＡＣ  ＣＥ（Ｃｏｎｔｒｏｌ  ｅｌｅｍｅｎｔ）により）により次のうち、少なくとも１つに設定されることができる：
【０４７６】
１．各コードポイント／値／状態は、１つまたは複数のＳＲＳ資源（等）を指示できる。そして／または、各指示されるＳＲＳ資源は、事前に「非周期的ＳＲＳ」資源タイプに明示的に識別されることができる（例えば、当該資源に対するサブフレーム／スロット周期／オフセットなどの情報が設定されていないか、設定されていても、「非周期的ＳＲＳ」タイプに設定された場合には、当該情報を無視するように定義／設定されることができる）。そして／または、非周期的ＳＲＳ資源に対して特定／設定されているサブフレーム／スロット周期／オフセットなどの情報は、「可能な非周期的ＳＲＳ送信時点（ｉｎｓｔａｎｃｅｓ）」を意味する情報でありうる。すなわち、端末は、特定ＡＳＲＳフィールドが送信された／下されたサブフレーム／スロットが前記情報に含まれていない場合（または、当該ＡＳＲＳフィールドによりＳＲＳ送信が指示されたサブフレーム／スロット時点が前記情報に含まれていない場合）をエラーケースとみなすことができる。そして／または、端末は、ただこの条件（すなわち、特定ＡＳＲＳフィールドが送信された／下されたサブフレーム／スロットが前記情報に含まれている場合、または、当該ＡＳＲＳフィールドによりＳＲＳ送信が指示されたサブフレーム／スロット時点が前記情報に含まれている場合）に充足するＳＲＳ資源（等）に対してのみＳＲＳ送信を行うように動作が定義／設定されることができる。そして／または、ＡＳＲＳフィールドが送信された／下された時点がｍ−番目のスロットであるとするとき、当該ＡＳＲＳフィールドによりトリガリングされた／指示されたＳＲＳを端末が送信するスロット時点は、前記「可能な非周期的ＳＲＳ送信時点」のうち、（ｍ＋ｑ）−番目のスロット時点及び／又は（ｍ＋ｑ）−番目のスロット以後時点のうち、最も早く存在する／現れる非周期的ＳＲＳ送信スロット時点と決定されることができる。ここで、ｇ値は、例えば、ｑ＝４などのように、予め−定義／設定されるか、特定「スロット設定」など、様々な条件／パラメータによって独立的な／相違したｑ値が付与されることもできる（例えば、ｑ値は、別に指示／設定／シグナリング可能））。
【０４７７】
１−Ａ．仮に、単一ＳＲＳ資源を指示する特定コードポイント／値／状態が動的指示されるならば、端末は、当該ＳＲＳ資源に対して特定定義された／設定されたタイムラインによる時点（例えば、ＡＳＲＳフィールドが送信された／下されたサブフレーム／スロット時点からｋ番目のサブフレーム／スロット時点またはそれ以後、及び／又はＲＲＣパラメータで別にシグナリング／指示されたＳＲＳ−資源−特定スロット／サブフレームオフセット時点）にＳＲＳ送信を開始することができる。
【０４７８】
１−Ａ−ｉ．このとき、前記ＳＲＳ資源に対して、「可能な非周期的ＳＲＳ送信時点」を意味する特定サブフレーム／スロット周期／オフセットなどの情報が事前に設定された場合であれば、現在指示されるサブフレーム／スロット時点（すなわち、ＡＳＲＳフィールドによりＳＲＳ送信が指示／トリガリングされたサブフレーム／スロット時点）（または、当該ＡＳＲＳフィールドにより指示されたＳＲＳ送信サブフレーム／スロット時点）が前記「可能な非周期的ＳＲＳ送信時点」を意味する特定サブフレーム／スロット周期／オフセットなどの情報に含まれた場合にのみ、端末がＳＲＳ送信を行うように限定されることができる。そして／または、ＡＳＲＳフィールドが送信された／下された時点がｍ−番目のスロット／サブフレームであるとするとき、当該ＡＳＲＳフィールドにより指示された／トリガリングされたＳＲＳを送信するスロット／サブフレーム時点は、前記「可能な非周期的ＳＲＳ送信時点」を意味する特定サブフレーム／スロット周期／オフセットの中でも、（ｍ＋ｑ）−番目のスロット／サブフレーム時点及び／又は（ｍ＋ｑ）−番目のスロット／サブフレーム以後時点のうち、最も早く存在する／現れるスロット／サブフレーム時点と決められることができる。ここで、ｇ値は、例えば、ｑ＝４などのように、予め−定義／設定されるか、特定「スロット／サブフレーム設定」など、様々な条件／パラメータによって独立的な／相違したｑ値が付与されることもできる（例えば、ｑ値は、別に指示／設定／シグナリング可能））。
【０４７９】
１−Ｂ．仮に、複数のＳＲＳ資源（すなわち、ＳＲＳ資源セット）が指示された／トリガリングされた特定コードポイント／状態／値が動的指示されるならば、端末は、当該ＳＲＳ資源に対して特定定義された／設定されたタイムラインによる時点（例えば、ＡＳＲＳ  ｆｉｅｌｄが下された時点からｋ番目以後ｓｕｂｆｒａｍｅ／ｓｌｏｔ及び／又はＲＲＣパラメータで別にシグナリング／指示されたＳＲＳ−資源−セット−特定スロット／サブフレームオフセット時点）にＳＲＳ送信を開始することができる。
【０４８０】
１−Ｂ−ｉ．このとき、前記ＳＲＳ資源に対して（各ＳＲＳ資源別に）「可能な非周期的ＳＲＳ送信時点」を意味する特定サブフレーム／スロット周期／オフセットなどの情報が事前に設定された場合であれば、現在指示されるサブフレーム／スロット時点（すなわち、ＡＳＲＳフィールドによりＳＲＳ送信が指示／トリガリングされたサブフレーム／スロット時点）（または、当該ＡＳＲＳフィールドにより指示されたＳＲＳ送信サブフレーム／スロット時点）が前記「可能な非周期的ＳＲＳ送信時点」を意味する特定サブフレーム／スロット周期／オフセットなどの情報に含まれた場合にのみ、端末がＳＲＳ送信を行うように限定されることができる。このとき、前記トリガリング／指示されるＳＲＳ資源が全てこの条件を充足する場合にのみ、端末が当該ＳＲＳ資源を全て送信開始するように定義／設定されることができる。仮に、前記トリガリング／指示されるＳＲＳ資源のうち、一部のみがこの条件を充足する場合には、この条件を充足するＳＲＳ資源に対してのみ端末がＳＲＳ送信を開始するように定義／設定されることができる。そして／または、ＡＳＲＳフィールドが送信された／下された時点がｍ−番目のスロット／サブフレームであるとするとき、当該ＡＳＲＳフィールドにより指示された／トリガリングされたＳＲＳを送信するスロット／サブフレーム時点は、前記「可能な非周期的ＳＲＳ送信時点」を意味する特定サブフレーム／スロット周期／オフセットの中でも、（ｍ＋ｑ）−番目のスロット／サブフレーム時点及び／又は（ｍ＋ｑ）−番目のスロット／サブフレーム以後時点のうち、最も早く存在する／現れるスロット／サブフレーム時点と決められることができる。ここでｇ値は、例えば、ｑ＝４などのように、予め−定義／設定されるか、特定「スロット／サブフレーム設定」など、様々な条件／パラメータによって独立的な／相違したｑ値が付与されることもできる（例えば、ｑ値は、別に指示／設定／シグナリング可能））。
【０４８１】
２．そして／または、各コードポイント／値／状態でトリガリング／指示される少なくとも１つのＳＲＳ資源に対して（各トリガリング／指示されるＳＲＳ資源別に）追加的に指示／決定されるサブフレーム／スロット（例えば、ＡＳＲＳフィールドが送信された／下された時点からｋ番目以後サブフレーム／スロット）内でＳＲＳが送信されるシンボル（等）位置関連情報が（共に／ペアリング形態で）（ＲＲＣシグナリングなどを介して）指示／設定されることができる。
【０４８２】
２−Ａ．例えば、特定コードポイント／値／状態Ａ（例えば、「００１」  ｆｏｒ  Ｎ＝３）が２個のＳＲＳ資源、ＳＲＳ資源＃１とＳＲＳ資源＃２をトリガリング／指示していると仮定するとき、コードポイント／値／状態Ａに対して追加的に単一シンボルインデックス（例えば、４）が共に設定され得る（例えば、ＲＲＣに設定されるか、ＭＡＣに設定／アップデートされることもできる）。この場合、端末は、シンボルインデックス４に対してＳＲＳ資源＃１及びＳＲＳ資源＃２の両方を送信でき、各々に対する周波数資源位置は、設定によって送信することができる。
【０４８３】
２−Ｂ．例えば、特定コードポイント／値／状態Ｂ（例えば、「０１０」  ｆｏｒ  Ｎ＝３）が２個のＳＲＳ資源、ＳＲＳ資源＃１とＳＲＳ資源＃２をトリガリング／指示しているとするとき、コードポイント／値／状態Ｂに対して追加的にシンボルインデックス３及び５、このように２個が共に設定されていることができる（例えば、ＲＲＣに設定されるか、ＭＡＣに設定／アップデートされることもできる）。この場合、端末は、シンボルインデックス３及び／又は５に対してＳＲＳ資源＃１及びＳＲＳ資源＃２の両方を送信させ、各々に対する周波数資源位置は、設定によって送信する。例えば、ホッピングが設定／指示されていないと、同じ周波数資源領域に対して繰り返し送信、ｉｎｔｅｒ−ｓｌｏｔホッピングのみ設定／指示されていると、当該スロット内での前記２つのシンボルに対しては、同じ周波数資源領域に対して繰り返し送信、ｉｎｔｒａ−ｓｌｏｔホッピングが設定／指示されていると、当該動作によって前記２つのシンボルにわたって相違した周波数資源領域に対してホッピングによる送信が行われ得る。
【０４８４】
３．そして／または、各コードポイント／値／状態でトリガリング／指示される少なくとも１つのＳＲＳ資源に対して（各指示されるＳＲＳ資源別に）追加的に決定／指示されるサブフレーム／スロット（例えば、ＡＳＲＳフィールドが下された時点からｋ番目以後サブフレーム／スロット）内での送信資源ホッピングパターン関連指示子情報が（共に／ペアリング形態で）指示／設定されることができる。
【０４８５】
図１４は、本発明の一実施形態に係るＳＲＳホッピングパターンを例示した図である。
【０４８６】
本明細書において送信資源ホッピングパターンは、図１４のように、基本的に最大限「特定ＳＲＳ送信領域」内で大きくホッピング可能な方式でパターンが始まり、送信しなかった帯域に対して１つずつ送信を満たしていく形態で定義／設定されることができる。
【０４８７】
例えば、「特定ＳＲＳ送信領域」が［１２３４］のように合計４等分される場合を仮定すれば、ホッピングパターン「Ｈ１」は、１→３→２→４→（そして、さらに）１→３→...のように進行される形態で定義／設定されることができる。そして／または、例えば、ホッピングパターン「Ｈ２」は、２→４→１→３→（そして、さらに）２→４→...のように進行される形態で定義／設定されることができる。そして／または、例えば、ホッピングパターン「Ｈ３」は、３→１→４→２→（そして、さらに）３→１→...のように進行される形態で定義／設定されることができる。
【０４８８】
そして／または、例えば、「特定ＳＲＳ送信領域」が［１２３４５６７８］のように合計８等分される場合を仮定するとき、例えば、ホッピングパターン「Ｈ１」は、１→５→３→７→２→６→４→８→（そして、さらに）１→５→３→７→...のように進行される形態で定義／設定されることができる。そして／または、例えば、ホッピングパターン「Ｈ２」は、２→６→４→８→１→５→３→７→（そして、さらに）２→６→４→８→...のように進行される形態で定義／設定されることができる。そして／または、例えば、ホッピングパターン「Ｈ３」は、３→７→１→５→４→８→２→６→（そして、さらに）３→７→１→５→...のように進行される形態で定義／設定されることができる。
【０４８９】
このような例示以外にも、上記のような形態で特定周波数ホッピングを定義するための他の特定パターンが別に定義／設定されることができ、これと類似した形態の変形実施形態は、本発明の思想に含まれることができる。前記Ｈ１、Ｈ２、Ｈ３、...などのような特定ホッピングパターンは、事前に予め−定義及び／又は予め−設定（例えば、ＲＲＣ及び／又はＭＡＣにより）されることができる。そして／または、ホッピングパターン自体が事前に規約されるものではなく、基地局がＲＲＣ及び／又はＭＡＣシグナリングなどを介して端末に一種の「ｏｎ  ｔｈｅ  ｆｌｙ」でホッピングパターンを「明示的に」指示／設定できるように支援されることができる。
【０４９０】
このような変形実施形態を含んで前記Ｈ１、Ｈ２、Ｈ３、...などと相違したホッピング動作が定義／設定される場合、これは、特に「ｉｎｔｅｒ−ｓｌｏｔ」ホッピングパターンとして明示／限定されるように（別途）設定が提供されることもできる。すなわち、「ｉｎｔｅｒ−ｓｌｏｔ」ホッピング形態で定義／設定される場合、前記ホッピングパターン内の各数字は、互いに相違したスロット時点で適用されることと定義／設定されることができる。
【０４９１】
例えば、ｉｎｔｅｒ−ｓｌｏｔホッピングパターン「１→５→３→７→...」の場合、端末は、１番目のスロット時点に「１」番帯域にＳＲＳを送信し、２番目のスロット時点に「５」番帯域にＳＲＳを送信する動作にしたがわなければならない。仮に、このとき、各スロット時点に複数のシンボルに対するＳＲＳ送信が指示される場合、（別の「ｉｎｔｒａ−ｓｌｏｔ」ホッピングパターンが共に設定されない限り）端末は、複数のシンボルに対してホッピングパターンによる各スロット別帯域（例えば、「５」番帯域であれば、「５」番帯域）に対する繰り返し送信を行うことができる。
【０４９２】
つまり、前記ＡＳＲＳフィールドが送信された／下された特定スロット時点がいつであるかによって／依存して／基づいて前記「ｉｎｔｅｒ−ｓｌｏｔホッピングパターン」が適用されるが、このような「１→５→３→７→...」のようなｉｎｔｅｒ−ｓｌｏｔホッピング用パターンが当該ＳＲＳ資源に対してＡＳＲＳフィールドによりトリガリング／指示される度に、１つずつ帯域をホッピングさせる方式も適用可能である。
【０４９３】
ただし、これは、ＤＣＩ  ｅｒｒｏｒ  ｐｒｏｐａｇａｔｉｏｎに脆弱であるという短所が存在する恐れがあり、これを緩和するために、周期的／間歇的に端末が現在前記何番目の帯域（上記の各ホッピングパターン別数字に該当）に対するＳＲＳ送信を実行／進行しているかなどと関連したフィードバック／進行情報を基地局に送信するように定義／設定されることもできる。そして／または、端末が基地局から前記ホッピングシーケンスを初期化して再開始させる特定ホッピング初期化関連メッセージを（別に）受信する動作が定義／設定されることもできる。
【０４９４】
そして／または、「ｉｎｔｒａ−ｓｌｏｔ」ホッピング形態が定義／設定される場合、前記各数字は、互いに相違したシンボル時点に対して適用されることと定義／設定されることができる。例えば、ｉｎｔｒａ−ｓｌｏｔホッピングパターン「１→５→３→７→...」の場合（指示されるスロットに（仮に、複数のシンボルに対するＳＲＳ送信が指示される場合））、端末は、指示されたスロットで「１」番帯域の１番目（指示された）のシンボルにＳＲＳを送信し、「５」番帯域の２番目（指示された）のシンボルにＳＲＳを送信する動作にしたがわなければならない。このとき、前記ＡＳＲＳフィールドが送信された／下された特定スロット時点がいつであるかによって／依存して／基づいて前記「ｉｎｔｒａ−ｓｌｏｔホッピングパターン」が（累積して／連続的に／順次（ｓｅｑｕｅｎｔｉａｌｌｙ））適用されることもでき、このような「１→５→３→７→...」のようなｉｎｔｒａ−ｓｌｏｔホッピング用パターンが当該ＳＲＳ資源に対してＡＳＲＳフィールドによってトリガリングされる度に（そして／または、当該スロット内で指示されるシンボル数によってＳＲＳ送信を（１回または複数回）開始する度に累積して）１つずつ帯域をホッピングさせていく方式も適用可能である。ただし、これは、ＤＣＩ  ｅｒｒｏｒ  ｐｒｏｐａｇａｔｉｏｎに脆弱であるという短所が存在する恐れがあり、これを緩和するために、周期的／間歇的に端末が現在前記何番目の帯域（上記の各ホッピングパターン別数字に該当）に対するＳＲＳ送信を実行／進行しているかなどと関連したフィードバック／進行情報を基地局に送信するように定義／設定されることもできる。そして／または、端末が基地局から前記ホッピングシーケンスを初期化して再開始させる特定ホッピング初期化関連メッセージを（別に）受信する動作が定義／設定されることもできる。
【０４９５】
そして／または、前記「１→５→３→７→...」のようなｉｎｔｒａ−ｓｌｏｔホッピング用パターンは、ただ当該ＡＳＲＳフィールドが指示する（または、当該ＡＳＲＳフィールドにより決定される）単一送信スロット時点（例えば、ＡＳＲＳフィールドが送信された／下された時点からｋ番目のスロット以後の時点）に対してのみ適用されることと限定されることもできる。すなわち、さらに他のスロットでＡＳＲＳフィールドが送信されても／下されても、当該ＡＳＲＳフィールドによるＳＲＳ送信時に、端末は、以前のホッピングシーケンスを続けずに、常に「１」帯域（すなわち、ホッピングパターン内の１番目の帯域）から新しくホッピングシーケンスを始めることができる。
【０４９６】
そして／または、ｂｏｔｈ「ｉｎｔｅｒ−及びｉｎｔｒａ−ｓｌｏｔ」ホッピング形態で定義／設定される方式も適用可能である。この場合、前記ホッピングパターン内の周波数帯域を表す各数字は、互いに相違したシンボル時点に対して適用されると同時に、これを次のスロット時点に送信される／下されるＡＳＲＳフィールドによるＳＲＳトリガリング時にも引続き周波数ホッピングシーケンスが続く形態で定義／設定／適用されることができる。
【０４９７】
例えば、ｂｏｔｈ「ｉｎｔｅｒ−及びｉｎｔｒａ−ｓｌｏｔ」ホッピング用“１→５→３→７→...」の場合（指示される当該スロットに（仮に、２個のシンボルに対するＳＲＳ送信が指示される場合））、端末は、指示されたスロットで「１」番帯域の１番目の（指示された）のシンボルにＳＲＳを送信し、「５」番帯域の２番目（指示された）のシンボルにＳＲＳを送信できる。そして、その後、さらに他のスロットで前記ＡＳＲＳフィールドが再度送信された／下された場合（そして、仮に２個のシンボルに対するＳＲＳ送信が指示される場合）、端末は、指示されたスロットで１番目のシンボルの「３」番帯域にＳＲＳを送信し、２番目シンボルの「７」番帯域にＳＲＳを送信できる。そして、その後、さらに他のスロットで前記ＡＳＲＳフィールドが再度送信された／下された場合（そして、仮に２シンボルに対するＳＲＳ送信が指示される場合）、端末は、指示されたスロットで１番目のシンボルの「２」番帯域にＳＲＳを送信し、２番目のシンボルの「６」番帯域にＳＲＳを送信できる。そして／または、その後、さらに他のスロットで前記ＡＳＲＳフィールドが再度送信された／下された場合（そして、仮に１つのシンボルに対するＳＲＳ送信が指示された場合）、端末は、指示されたスロットで当該シンボルの「４」番帯域にＳＲＳを送信できる。そして、その後、さらに他のスロットで前記ＡＳＲＳフィールドが再度送信された／下された場合（そして、仮に２つのシンボルに対するＳＲＳ送信が指示される場合）、端末は、指示されたスロットで１番目のシンボルの「８」番帯域にＳＲＳを送信し、２番目のシンボルの「１」番帯域にＳＲＳを送信できる。
【０４９８】
ただし、これは、ＤＣＩ  ｅｒｒｏｒ  ｐｒｏｐａｇａｔｉｏｎに脆弱であるという短所が存在する恐れがあり、これを緩和するために、周期的／間歇的に端末が現在前記何番目の帯域（上記の各ホッピングパターン別数字に該当）に対するＳＲＳ送信を実行／進行しているかなどと関連したフィードバック／進行情報を基地局に送信するように定義／設定されることもできる。そして／または、端末が基地局から前記ホッピングシーケンスを初期化して再開始させる特定ホッピング初期化関連メッセージを（別に）受信する動作が定義／設定されることもできる。
【０４９９】
３−Ａ．例えば、特定コードポイント／状態／値Ｃ（例えば、「０１１」  ｆｏｒ  Ｎ＝３）がＳＲＳ資源＃１とＳＲＳ資源＃２の２つを指示し、コードポイント／状態／値Ｃに対して追加的に２個のシンボルインデックス３、５が設定され、追加的に、特定ホッピングパターン／指示子「Ｈ１」が共に設定されていることができる（例えば、ＲＲＣに設定されるか、ＭＡＣに設定／アップデートされることができる）。このとき、どのようにホッピングパターン／指示子「Ｈ１」が設定され得るかに関する方法は、上記で説明した方式のうち、少なくとも１つの方式にしたがうことができる。この場合、端末は、指示された／設定されたシンボルインデックス３、５に対してＳＲＳ資源＃１及びＳＲＳ資源＃２の両方を送信するようにし、各々に対する周波数資源位置は、ホッピングパターン／指示子「Ｈ１」の設定による。
【０５００】
３−Ａ−ｉ．ホッピングパターン／指示子「Ｈ１」は、前記説明した「ｉｎｔｅｒ−ｓｌｏｔ」ホッピング形態のみで設定されることができる。そして／または、
【０５０１】
３−Ａ−ii．ホッピングパターン／指示子「Ｈ１」は、前記説明した「ｉｎｔｒａ−ｓｌｏｔ」ｈｏｐｐｉｎｇ形態のみで設定されることもできる。そして／または、
【０５０２】
３−Ａ−iii．ホッピングパターン／指示子「Ｈ１」は、前記説明したｂｏｔｈ「ｉｎｔｅｒ−  ａｎｄ  ｉｎｔｒａ−ｓｌｏｔ」ホッピング形態で設定されることもできる。
【０５０３】
本明細書では言及されていないその他のＳＲＳ送信関連パラメータ（例えば、シーケンス初期化パラメータ（等）、送信ｃｏｍｂ値／オフセット、ｃｙｃｌｉｃ  ｓｈｉｆｔ関連情報、ＳＲＳ帯域幅、ＳＲＳポート数、他の参照信号に対して可能なＱＣＬ（すなわち、ＳＲＳ空間（ｓｐａｔｉａｌ）関連／関係（仮定（ａｓｓｕｍｐｔｉｏｎ））情報）、等）は、各設定されるＳＲＳ資源（及び／又はＳＲＳセット）別にＲＲＣシグナリングなどを介して指示／設定されることができ、そして／または、ＭＡＣ及び／又はＤＣＩに一部パラメータ（等）がアップデート／再設定され得る。
【０５０４】
ここで、他の信号に対して可能なＱＣＬ（すなわち、ＳＲＳ空間（ｓｐａｔｉａｌ）−関連情報）は、指示された／設定されたＳＲＳ資源（セット）に「空間−関連／ＱＣＬ／同じＴｘビーム／同じ空間ドメイン送信フィルタ」の適用が可能な参照信号情報（すなわち、当該ＳＲＳとＱＣＬ／空間仮定／関連する他の信号情報）を表すものであって、例えば、当該ＳＲＳとＱＣＬ／空間仮定／関連したＳＳＢインデックス、ＣＳＩ−ＲＳインデックス、及び／又はＳＲＳ  ＩＤ情報を含むことができる。
【０５０５】
すなわち、このようなパラメータ（等）は、基本的に前記ＡＳＲＳ  ｆｉｅｌｄを介して動的指示されることができるパラメータから除かれる形態に限定されることができ、その長所では、制限されたＡＳＲＳフィールドを介して特定ＳＲＳ資源（等）（及び／又はホッピング資源位置関連情報）のみが動的指示対象になり得るようにすることで、効果的に性能／オーバーヘッド間のトレードオフを充足／維持できるようにすることにある。
【０５０６】
しかし、追加的に、このようなパラメータ（等）のうち、一部を上記のような類似した形態でＡＳＲＳフィールドの各コードポイント／値／状態別に定義／設定する方法ももちろん適用可能である（ただし、この場合、ＤＣＩオーバーヘッドは加重されることができる）。
【０５０７】
本明細書において提案するさらに他の技術として、前記ＡＳＲＳフィールドは、前記ＳＲＩフィールドと同じＤＣＩ内で共同エンコード（ｊｏｉｎｔ  ｅｎｃｏｄｉｎｇ）されることができる。共同エンコード（Ｊｏｉｎｔ  ｅｎｃｏｄｉｎｇ）されるとは、特定コードポイント／値／状態が前記ＳＲＩの指示目的（例えば、ＵＬデータスケジューリング目的）及び／又は前記ＡＳＲＳの指示目的（例えば、ＳＲＳ送信トリガリング目的）を設定可能（ｃｏｎｆｉｇｕｒａｂｌｅ）なように含むことができるということである。
【０５０８】
例えば、
【０５０９】
・特定コードポイント／値／状態は、前記ＳＲＩの指示目的（例えば、ＵＬデータスケジューリングのための）としての特定ＳＲＳ資源（セット）ＩＤ（等）だけを含んでいることができ、さらに他の特定コードポイント／値／状態は、ＡＳＲＳの指示目的（例えば、ＳＲＳ送信トリガリングのための）としての特定ＳＲＳ資源（セット）ＩＤ（等）（及び／又は前記ホッピング関連情報）だけを含んでいることもでき、そして／または、
【０５１０】
・さらに他の特定コードポイント／値／状態は、｛前記ＳＲＩの指示目的（例えば、ＵＬデータスケジューリングのための）としての特定ＳＲＳ資源（または、セット）ＩＤ（等）｝及び｛前記ＡＳＲＳの指示目的（例えば、ＳＲＳ送信トリガリングのための）としての特定ＳＲＳ資源（または、セット）ＩＤ（等）（及び／又は前記ホッピング関連情報）｝を共に含んでいることができる。
【０５１１】
すなわち、各コードポイント／値／状態別に独立的にＳＲＩの指示目的及び／又はＡＳＲＳの指示目的のＳＲＳ資源（セット）が指示され得る。
【０５１２】
上記のような特定「指示目的」と関連した（または、「指示目的」を指示するための）識別子／情報も共に設定情報として（明示的に及び／又は暗黙的に）含まれることができる。
【０５１３】
そして／または、前記ＡＳＲＳフィールドとＳＲＩフィールドとは、統合された１つのフィールド「Ｘ」内で設計／設定／含まれることもできる。
【０５１４】
すなわち、特定フィールド「Ｘ」を介して指示されることができる
【０５１５】
・特定コードポイント／値／状態に仮に特定ＳＲＳ資源（または、ＳＲＳ資源等、ＳＲＳ資源セット）ＩＤ（等）のみが含まれているならば、端末は、当該ＩＤ（等）を介して指示されたＳＲＳ資源（または、ＳＲＳ資源等、ＳＲＳ資源セット）をＵＬデータスケジューリング情報として前記ＳＲＩに解釈すると同時に、前記ＡＳＲＳフィールドの指示目的によって当該ＩＤ（等）を介して指示されたＳＲＳ資源（または、ＳＲＳ資源等、ＳＲＳ資源セット）のＳＲＳ送信も行うように定義／設定されることができる。そして／または、
【０５１６】
・特定コードポイント／値／状態に仮に特定ＳＲＳ資源（または、ＳＲＳ資源等、ＳＲＳ資源セット）ＩＤ（等）及び前記ホッピング関連情報が（一部）共に含まれているならば、端末は、当該ＩＤ（等）を介して指示されたＳＲＳ資源（または、ＳＲＳ資源等、ＳＲＳ資源セット）をＵＬデータスケジューリング情報として前記ＳＲＩに解釈すると同時に、前記ＡＳＲＳの指示目的によって当該ＩＤ（等）を介して指示されたＳＲＳ資源（または、ＳＲＳ資源等、ＳＲＳ資源セット）のＳＲＳ送信も（指示されるホッピング関連情報に基づいて）行うように定義／設定されることができる。
【０５１７】
本明細書においてＡＳＲＳフィールド関連提案された技術のうち、少なくとも１つは、「半−静的」タイプに設定されている特定ＳＲＳ資源に対しても同一／類似して適用されることができる。このために、別に分離されたＳｐ（ｓｅｍｉ−ｐｅｒｓｉｓｔｅｎｔ）ＳＲＳフィールドが定義／設定され得る。そして／または、このようなＳｐＳＲＳフィールドが含まれた特定ＤＣＩは、別のＲＮＴＩなどで異なるようにマスキングされたＤＣＩ（ｓ）／ＭＡＣ  ＣＥとして検出されることができる。ＳｐＳＲＳフィールド内の特定コードポイント／値／状態は、前記ＡＳＲＳフィールド関連提案された方式のうち、少なくとも１つにしたがうことができ、単に、当該ＳｐＳＲＳフィールドが含まれたＤＣＩ（ｓ）／ＭＡＣ  ＣＥを受信した端末は、当該受信時点から（あるいは、当該時点と連動された特定時点から）「活性化目的の」ＳｐＳＲＳフィールドの指示情報に基づいたＳＲＳ送信を持続的に開始／実行することができる。ただし、最初のＳＲＳ送信に適用しなければならないホッピングパターンの最初の帯域値などの情報は、ＳｐＳＲＳフィールドにより／基づいて規定／決定されることができる。
【０５１８】
このように、半−静的ＳＲＳ送信が活性化された後、さらに他のＳｐＳＲＳフィールドによりアップデートされた活性化メッセージを受信するまで、端末は引続き当該ＳＲＳを送信でき、アップデートされた活性化メッセージを受信した時点からは、上記の動作を始めから再度したがうことができる。そして／または、別に定義／設定された不活性化メッセージが受信された場合、端末は、当該不活性化メッセージと対応する／関連した特定ＳＲＳ資源（等）に対しては、ＳＲＳ送信を中断できる。
【０５１９】
このようなＳｐＳＲＳフィールドは、別に定義／設定されず、前記ＡＳＲＳフィールド内の特定コードポイント／値／状態内で他の情報／フィールドとともに指示／設定されるか、共同エンコードされることができる。
【０５２０】
上述したＡＳＲＳ関連提案動作において仮に、
【０５２１】
・特定ＳＲＳ資源（等）が事前に「半−静的」タイプに設定されたＳＲＳ資源であったなら（すなわち、当該ＳＲＳ資源に対する上位階層パラメータ「ＳＲＳ−ＲｅｓｏｕｒｃｅＣｏｎｆｉｇＴｙｐｅ」が「ｓｅｍｉ−ｐｅｒｓｉｓｔｅｎｔ」に設定された場合）、当該資源に対しては、前記ＳｐＳＲＳフィールド関連提案／説明された動作が適用され得るし（活性化（ａｃｔｉｖａｔｉｏｎ）として認識する）、
【０５２２】
・特定ＳＲＳ資源（等）が事前に「非周期的」タイプに設定されたＳＲＳ資源であったなら（すなわち、当該ＳＲＳ資源に対する上位階層パラメータ「ＳＲＳ−ＲｅｓｏｕｒｃｅＣｏｎｆｉｇＴｙｐｅ」が「ａｐｅｒｉｏｄｉｃ」に設定された場合）、当該資源に対しては、前記ＡＳＲＳフィールド関連提案／説明された動作が適用され得る（非周期的送信として認識する）。
【０５２３】
そして／または、本発明において前記説明／提案した動作のうち、少なくとも１つの方式が周期的ＳＲＳ送信にも適用されることができる。すなわち、前記「ｉｎｔｅｒ−ｓｌｏｔ」、「ｉｎｔｒａ−ｓｌｏｔ」、及び／又は「ｂｏｔｈ  ｉｎｔｅｒ−及びｉｎｔｒａ−ｓｌｏｔ」関連ホッピング動作は、特定ＳＲＳ資源の周期的タイプに対して事前にＲＲＣシグナリング（及び／又はＭＡＣシグナリング）／上位−階層シグナリングにより当該動作が周期的に適用されるように設定／指示されることができる。
【０５２４】
そして／または、本明細書において提案した前記方法のうち、少なくとも１つは、「特定ＳＲＳ資源のタイプ（例えば、ＵＬ  ＣＳＩ取得のためのＳＲＳ資源（タイプ）及び／又はＤＬ  ＣＳＩ取得のためのＳＲＳ資源（タイプ）（例えば、チャネル相互性（ｃｈａｎｎｅｌ  ｒｅｃｉｐｒｏｃｉｔｙ）に基づいて））」に対してのみ適用／付与可能なことと特定制限が定義／設定され得る。
【０５２５】
例えば、ＵＬ  ＢＭ（Ｂｅａｍ  ｍａｎａｇｅｍｅｎｔ）用ＳＲＳ資源（タイプ）の場合には、最小限ホッピング関連動作が設定され得ないように限定されることができる（例えば、ホッピングが常に不活性化され得る）。例えば、ＣＳＩ取得用ＳＲＳ資源と異なり、ＵＬ−ＢＭ用ＳＲＳ資源に対しては、常にｉｎｔｅｒ−ｓｌｏｔ非−ホッピング（ｎｏｎ−ｈｏｐｐｉｎｇ）（すなわち、常にｉｎｔｅｒ−ｓｌｏｔホッピングが不活性化される）、そして／または、ｉｎｔｒａ−ｓｌｏｔ非−ホッピング（すなわち、常にｉｎｔｒａ−ｓｌｏｔホッピングが不活性化される）が適用／設定され得る。これは、その目的自体がＣＳＩ取得のように周波数選択的なチャネルを精巧に測定するための目的でなく（（相対的に）広帯域の）ビーム方向を管理することを目的とするためである。すなわち、周波数ホッピングでなく、ＵＬ  ＢＭ用ＳＲＳの場合、相対的に広い帯域に相対的に低い−密度（ｌｏｗ−ｄｅｎｓｉｔｙ）でＳＲＳ送信資源を均等に分布させるか、ホッピングでなくても、特定帯域で（複数のシンボル間）ＳＲＳ資源を繰り返し送信させる形態などのように、相違した形態で設定／提供されることができる。
【０５２６】
そして／または、ＵＬ  ＢＭ用ＳＲＳ資源の場合、設定可能なシンボル個数（１つのスロット内で）値自体もＣＳＩ取得用ＳＲＳ資源と異なるように（独立的に）定義／設定されることもできる。例えば、ＵＬ  ＢＭ用は、ＣＳＩ取得用より設定可能なシンボル個数（１つのスロット内で）値がより少ない値（例えば、１つのスロット当り、ただ１つのシンボル）で定義／設定されることができる。
【０５２７】
そして／または、ＵＬ  ＢＭ用ＳＲＳ資源の場合にもホッピングが許容されるならば、特定周波数−ドメイン資源側面でのホッピング動作が許容されるとしても、ＳＲＳ  Ｔｘビーム自体は、ホッピング時に変化しない特定制限動作／規則が定義／設定／指示されることができる。例えば、「１つのスロット内（ｗｉｔｈｉｎ  ａ  ｓｌｏｔ）」に対しては、ホッピングが（シンボル間）発生してもＳＲＳ  Ｔｘビームは変更されないようにすることができる（例えば、スロット内でのＳＲＳ  Ｔｘビームスイーピング不可）。そして／または、「いくつかのスロットにわたって（ａｃｒｏｓｓ  ｓｌｏｔｓ）」に対しては、（特定（例えば、ｉｎｔｅｒ−ｓｌｏｔ及び／又はｉｎｔｒａ−ｓｌｏｔ）ホッピングが共に設定された場合にのみ）ＳＲＳ  Ｔｘビームが変更可能なことと（または、変更されるように）定義／設定／指示されることができる（例えば、いくつかのスロットにわたったＳＲＳ  Ｔｘビームスイーピングが許容される／指示される／設定される）。
【０５２８】
そして／または、（ＵＬ  ＢＭ用）ＳＲＳ資源の場合、１つの資源に対しては、常に「同じビーム（の特定レベル）」が適用されなければならないことと定義／設定されることができる（例えば、（ＵＬ  ＢＭ用）ＳＲＳ資源内でのＳＲＳ  Ｔｘビームスイーピング不可）。そして／または、相違した（ＵＬ  ＢＭ用）ＳＲＳ資源間には、相違したＴｘビームが適用され得る。
【０５２９】
つまり、Ｔｘビームスイーピング動作は、互いに異なる（ＵＬ  ＢＭ用）ＳＲＳ資源に対して（を介して）適用できるように限定されることができる。
【０５３０】
先にＳＲＩと関連して上述した「以前時間インスタンスでこのＵＥにより送信されたＳＲＳ資源の指示（ＳＲＩ）」において、「以前時間インスタンス」は、ＳＲＩを介して指示されたＳＲＳ資源ＩＤに該当するＳＲＳ資源が最も最近送信されたＳＲＳ送信時点を意味することと定義／設定されることができる。すなわち、スロットｎでＰＤＣＣＨを介して指示されたＳＲＩは、スロットｎ以前の前記ＳＲＩにより識別されたＳＲＳ資源の最も最近の送信と連係する（Ｔｈｅ  ｉｎｄｉｃａｔｅｄ  ＳＲＩ  ｉｎ  ｓｌｏｔ  ｎ  ｉｓ  ａｓｓｏｃｉａｔｅｄ  ｗｉｔｈ  ｔｈｅ  ｍｏｓｔ  ｒｅｃｅｎｔ  ｔｒａｎｓｍｉｓｓｉｏｎ  ｏｆ  ＳＲＳ  ｒｅｓｏｕｒｃｅ  ｉｄｅｎｔｉｆｉｅｄ  ｂｙ  ｔｈｅ  ＳＲＩ、ｗｈｅｒｅ  ｔｈｅ  ＳＲＳ  ｒｅｓｏｕｒｃｅ  ｉｓ  ｐｒｉｏｒ  ｔｏ  ｔｈｅ  ＰＤＣＣＨ  ｃａｒｒｙｉｎｇ  ｔｈｅ  ＳＲＩ  ｂｅｆｏｒｅ  ｓｌｏｔ  ｎ）。
【０５３１】
例えば、「以前時間インスタンス（または、最も最近送信されたＳＲＳ送信時点）」は、仮に、ＳＲＩに指示されるＳＲＳ資源が、
【０５３２】
・周期的ＳＲＳ資源である場合、周期的に送信した時点のうち、最も最近送信した時点を、
【０５３３】
・半−静的ＳＲＳ資源である場合、活性化された後、ＳＲＳ  Ｔｘ時間インスターンが複数回あったとすれば、そのうち、最も最近送信した時点を、そして／または、
【０５３４】
・非周期的ＳＲＳ資源である場合、ＳＲＩに指示されたＳＲＳ資源ＩＤに該当するＳＲＳ資源の送信が非周期的トリガリングにより複数回存在したとすれば、そのうち、最も最近送信した時点を各々意味することとみなすことができる。
【０５３５】
これは、ＳＲＩに指示された特定（（ＵＬ）ＣＳＩ取得用）ＳＲＳ資源の場合、Ｔｘビーム決定において、他の特定（ＵＬ  ＢＭ用）ＳＲＳ資源に適用されたＴｘビームにしたがうように別の指示を受けるか、他の特定ＤＬ  ＲＳ（例えば、ＣＲＩ（ＣＳＩ−ＲＳ  ｒｅｓｏｕｒｃｅ  ｉｎｄｉｃａｔｏｒ）を介しての（ＤＬ  ＢＭ用）ＣＳＩ−ＲＳ）に適用された（受信）ビーム（と互恵的な送信ビーム）にしたがうように別の指示を受けることができる。この場合、適用されるＴｘビーム自体が時変できるので、上記のように、最も「最近時点」と定義／設定できるようにするものである。
【０５３６】
そして／または、上述した「最近時点」の柔軟性をより一層確保／取得するために、「最近時点」の代わりに、「最近ｙ番目時点」のような形態で、最も最近時点から何番目の過去送信時点であるかを直接／具体的に指示する特定指示子が端末に提供され得る。例えば、ＵＬ承認（ｇｒａｎｔ）で下すＳＲＩとともに（または、別に）ｙ値（例えば、２−ｂｉｔでｙ値を定義／設定するならば、ｙ＝０、１、２、３のうち、いずれか１つの値が動的シグナリング／指示／設定され得る）が設定／指示され得る。ここで、仮に、「ｙ＝０」が指示されるならば、前記説明と同様に、「最近時点」と、「ｙ＝１」が指示されるならば、「最近時点から１番目以前時点」のような形態で解釈／適用されることができる。すなわち、ｙ値によって、「最近時点からｙ番目以前時点」のような形態で解釈／適用されることができる。このような意図を有した前記ｙ値の類似変形実施形態は、本発明の思想に含まれることとみなすことができる。
【０５３７】
そして／または、上述した「最近時点」及び／又はｙ値による「最近時点からｙ番目以前時点」のような動作は、特定（（ＵＬ）ＣＳＩ取得用）ＳＲＳ資源のＴｘビームを他の（ＵＬ  ＢＭ用）ＳＲＳ資源で適用したＴｘビームにしたがうように別の指示をする場合などにおいても、その適用時点に関して類似して／別に拡張適用されることもできる。すなわち、他のＳＲＳ資源に対するＴｘビームを指示する方法において、さらに他の（ＢＭ用）ＳＲＳ資源に適用された特定ビームを指示するとき、どの時点に適用されたビームであるかを明示／指示する必要がある場合、「最近時点」に適用されたビームまたはｙ値による「最近時点からｙ番目以前時点」に適用されたビームに明示／指示するなどの動作が定義／設定され得る。このとき、「最近時点」を判定する基準は、前記「さらに他の（ＢＭ用）ＳＲＳ資源に適用された特定ビームを指示するシグナリング（例えば、ＳＲＩ（の他のタイプ）により）が送信された／下された時点（または、その時点から予め−定義／予め−設定された時点だけ移動した時点）」になることができる。
【０５３８】
（ＵＬ）ＤＣＩオーバーヘッドを最小化することが好ましい。このような意味で、ＭＡＣ  ＣＥを介してＳＲＳ  Ｔｘビーム指示シグナリングを送信することが選好され得る。ＭＡＣ  ＣＥを介してのＳＲＳ  Ｔｘビーム指示は、ＳＲＳトリガリングフィールドが（ＲＲＣシグナリングなどを介して）予め設定された複数のＳＲＳ資源（すなわち、候補資源）のうち、どのＳＲＳ資源（等）が送信されるかを動的にトリガリングするので、動的指示柔軟性を失わない。言い替えれば、ＳＲＳ−資源レベルの動的トリガリングによりＳＲＳ  Ｔｘビームが動的に指示されることができる（すなわち、各ＳＲＳ資源は、上述したように、別のＭＡＣ  ＣＥシグナリングにより制御／指示／設定されることができる特定（他の）Ｔｘビームにより制御される）。
【０５３９】
したがって、以下のような２つの最小限のシグナリングコンポーネントとともにＭＡＣ  ＣＥシグナリングが導入され得る：
【０５４０】
・設定されたＳＲＳ資源＃ｉ（このような＃ｉ−ＳＲＳ資源のＴｘビームを制御するために）、及び／又は
【０５４１】
・ＳＲＩ＝ｎ、ＣＲＩ＝ｍ、及び／又はＳＳブロックインデックス＝ｋ（必要な場合）で使用されたビーム。
【０５４２】
すなわち、ＳＲＳ送信をトリガリング／活性化するＭＡＣ  ＣＥシグナリングには、トリガリングされるＳＲＳ資源（または、ＳＲＳ資源等、ＳＲＳ資源セット）識別情報及び当該ＳＲＳ資源に連係／適用／使用されるＴｘビームが適用された他の参照信号情報が含まれ得る。仮に、トリガリングされたＳＲＳ送信が「半−静的」タイプのＳＲＳ送信である場合には、ＲＲＣシグナリングを介してＳＲＳ資源（または、ＳＲＳ資源等、ＳＲＳ資源セット）と同じＴｘビーム（または、空間−関係／ＱＣＬ仮定）が適用される候補参照信号が予め設定／指示され得るし（例えば、ＲＲＣパラメータ「ＳＲＳ−ＳｐａｔｉａｌＲｅｌａｔｉｏｎＩｎｆｏ」を介して）、ＭＡＣ  ＣＥを介して当該候補参照信号のうち、当該ＭＡＣ  ＣＥを介してトリガリングされたＳＲＳ資源（または、ＳＲＳ資源等、ＳＲＳ資源セット）と同じＴｘビームが適用される特定候補参照信号の選択情報が設定／指示され得る。または、ＲＲＣシグナリングを介して事前に候補参照信号が予め設定／指示されていても、ＭＡＣ  ＣＥを介して別に指示された参照信号がこれらに優先して選択／適用されることができる。
【０５４３】
したがって、ＳＲＩフィールド（ＰＵＳＣＨスケジューリング用）及びＳＲＳトリガリングフィールド（ＳＲＳ−資源−レベル別ＳＲＳ送信トリガリング用）以外の新しいＤＣＩフィールドが導入される必要はない。
【０５４４】
ＳＲＩ／ＴＲＩ／ＴＰＭＩの指示により協議されたＰＵＳＣＨスケジューリング承認の最上位で、１つ可能な追加技術は、ＳＲＩフィールドの基本（ｄｅｆａｕｌｔ）状態を追加に定義することである。例えば、ＳＲＩフィールドの「００」コードワード／状態／値は、ＲＡＣＨ（Ｒａｎｄｏｍ  Ａｃｃｅｓｓ  Ｃｈａｎｎｅｌ）手順のメッセージ３（ＵＬ  Ｔｘ）に使用されたビームにしたがうようにハード−コーディングされることができる。ここで、メッセージ１は、ＵＥからのＲＡＣＨ送信のためのものでありうるし、メッセージ２は、ｇＮＢからのＲＡＲ（Ｒａｎｄｏｍ  Ａｃｃｅｓｓ  Ｒｅｓｐｏｎｓｅ）のためのものでありうるし、メッセージ３は、ＲＡＲ基盤のＵＥからの初期ＲＡＣＨ手順のためのものでありうるし、及びメッセージ４は、ｇＮＢからの確認（ｃｏｎｆｉｒｍａｔｉｏｎ）のためのものでありうる。
【０５４５】
そして／または、ＵＬ承認のＳＲＩフィールドの任意の状態／コードポイント／値がＳＲＳ資源を指示する代わりに、ＣＲＩまたはＳＳブロックインデックスにしたがうように選択的に設定可能である。しかし、この場合、そのようなオプションは、ＵＬ−ＭＩＭＯと関連がないので、ランクは１に制限されることができる（例えば、単一ポートＵＬ送信に制限）（ＴＲＩ／ＴＰＭＩシグナリング無しでまたはＴＲＩ／ＴＰＭＩシグナリングコンテンツを無視）。
【０５４６】
上述した内容に基づいて下記のような実施形態が提案され得る：
【０５４７】
・ＳＲＳ  Ｔｘビーム決定において、ＳＲＩ、ＣＲＩ、及び／又はＳＳブロックインデックスが設定された／トリガリングされた／活性化されたＳＲＳ資源別に指示されることができる。
【０５４８】
・ＰＵＳＣＨ  Ｔｘビーム決定のために、（例えば、ＳＲＩフィールドが設定されなかった場合）メッセージ３に使用されるビームにしたがう基本ＵＥ動作が支援され得る。
【０５４９】
そして／または、ＵＬ承認のＳＲＩフィールドの任意の状態／コードポイント／値がＳＲＳ資源を指示する代わりに、ＣＲＩまたはＳＳブロックインデックスにしたがうように選択的に設定可能である。しかし、この場合、そのようなオプションは、ＵＬ−ＭＩＭＯと関連がないので、ランクは１に制限されることができる（例えば、単一ポートＵＬ送信に制限）（ＴＲＩ／ＴＰＭＩシグナリング無しでまたはＴＲＩ／ＴＰＭＩシグナリングコンテンツを無視）。
【０５５０】
そして／または、特定ＤＬ（プライマリ）サービング−ビーム（ＳＳブロック）、（セカンダリ）サービング−ビーム（ＳＳブロック）、...などのように、識別／区別されることができ（例えば、（ＤＬ）ビーム管理手順により）、このように識別／区別されたビーム−レベル識別子がＳＲＩフィールドコードポイント／状態／値別に設定／適用／指示されることもできる。
【０５５１】
例えば、特定ＵＬ−関連ＤＣＩに設定／含まれるＳＲＩフィールド（例えば、２−ｂｉｔｓ）は、次のようにＲＲＣ及び／又はＭＡＣ  ＣＥに設定／変更／指示／アップデートされることができる：
【０５５２】
・「００」：ＳＳブロックインデックス２
【０５５３】
・「０１」：ＳＲＳ資源３
【０５５４】
・「１０」：ＳＲＳ資源７（及び／又は選択的にこのようなＳＲＳ  ＴＸビーム指示シグナリングが共同にエンコード／追加され得る。例えば、ＳＲＳ資源７のＴｘビームは、ＳＲＩ＝ｎ、ＣＲＩ＝ｍ、またはＳＳブロックインデックス＝ｋのＴｘビームにしたがうことができる）
【０５５５】
・「１１」：ＣＲＩ  ４
【０５５６】
そして／または、上記のようなコーディングの例示は、ＳＲＳ送信トリガリングを指示する特定ＤＣＩ／フィールド（例えば、ＡＳＲＳフィールド）の各状態／コードポイント／値の説明上で基本的にＳＲＳ資源（等）が指示され得るし、指示されたＳＲＳ資源（等）に適用するＴｘビーム関連／指示／設定情報が共に共同エンコードされて含まれることもできる（下記のＡＳＲＳフィールド例示参照）。
【０５５７】
ＡＳＲＳフィールドの状態／コードポイント／値実施形態：
【０５５８】
・「００」：ＳＲＳ資源２
【０５５９】
・「０１」：ＳＲＳ資源３、ＳＲＳ資源５
【０５６０】
・「１０」：ＳＲＳ資源７（及び／又は選択的にこのようなＳＲＳ  ＴＸビーム指示シグナリングが共同にエンコード／追加され得る。例えば、ＳＲＳ資源７のＴｘビームは、ＳＲＩ＝ｎ、ＣＲＩ＝ｍ、またはＳＳブロックインデックス＝ｋのＴｘビームにしたがうことができる）
【０５６１】
・「１１」：...
【０５６２】
上述したように、「ＳＲＩ＝ｎ、ＣＲＩ＝ｍ、ｏｒ  ＳＳ  ｂｌｏｃｋ  ｉｎｄｅｘ＝ｋ」形態でＴｘビームが指示されるとするとき、指示されたＴＸビームが適用された以後、端末の回転及び／又はチャネル変化（ｃｈａｎｎｅｌ  ｖａｒｉａｔｉｏｎ）により変形されたビーム方向を、端末が自ら（ｇＮＢ−ｔｒａｎｓｐａｒｅｎｔ）に適応的に（ａｄａｐｔｉｖｅｌｙ）変えて適用する動作が考慮され得る。例えば、基地局がＣＲＩ＝３を指示することは、ＤＬＣＳＩ−ＲＳ＃３を受信した端末のＲｘビーム方向に対応する／互恵的なＴｘビーム方向にＵＬ送信をしてほしいとの意味であるから、端末は、ＤＬ  ＣＳＩ−ＲＳ＃３を受信した過去時点に対比して現在端末の回転及び／又はチャネル変化などを原因としてＴｘビーム方向が変更された可能性などを考慮し、自らＴｘビームを補正／適用してほしいとの意味と解釈されることができる。
【０５６３】
図１５は、本発明の一実施形態に係る端末のサウンディング方法を例示した順序図である。本順序図と関連して前述した実施形態に関する説明が同一／類似して適用されることができ、以下において重複する説明は省略する。
【０５６４】
まず、端末は、基地局から少なくとも１つのＳＲＳ資源セットを設定されることができる（Ｓ１５１０）。このとき、前記少なくとも１つのＳＲＳ資源セットは、ＲＲＣシグナリングを介して設定されることができる。
【０５６５】
次に、端末は、基地局から少なくとも１つのＳＲＳ資源セットのうち、特定ＳＲＳ資源セットのＳＲＳ送信活性化（ａｃｔｉｖａｔｉｏｎ）を指示する活性化指示情報／命令を受信できる（Ｓ１５２０）。
【０５６６】
次に、端末は、特定ＳＲＳ資源セットに対応するＳＲＳ送信を基地局に対して行うことができる（Ｓ１５３０）。ここで、特定ＳＲＳ資源セットに含まれたＳＲＳ資源別に空間関係（ｓｐａｔｉａｌ  ｒｅｌａｔｉｏｎｓｈｉｐ）仮定（すなわち、ＱＣＬ仮定または同じＴｘビームの仮定）が適用される対象参照信号は、活性化指示情報に基づいて決定されることができる。このとき、対象参照信号のタイプは、ＳＲＳ、ＣＳＩ−ＲＳ、及び／又はＳＳブロックを含むことができる。
【０５６７】
一実施形態として、前記特定ＳＲＳ資源セットに含まれた少なくとも１つのＳＲＳ資源のタイプは、半−静的タイプに設定されることができる。この場合、半−静的タイプに設定された少なくとも１つのＳＲＳ資源の対象参照信号は、活性化指示情報により明示的に指示されることができる。具体的に、活性化指示情報は、前記対象参照信号のタイプ情報及びオフセット／ＩＤ情報を含む／指示することができる。このときの活性化指示は、ＭＡＣ  ＣＥシグナリングを介して端末に受信されることができる。
【０５６８】
他の実施形態として、前記特定ＳＲＳ資源セットに含まれた少なくとも１つのＳＲＳ資源のタイプは、非周期的タイプに設定されることができる。この場合、活性化指示は、ＤＣＩシグナリングを介して受信されることができる。また、対象参照信号は（活性化指示情報により活性化された前記特定ＳＲＳセット内で）、非周期的タイプに設定された前記少なくとも１つのＳＲＳ資源に対して（別に）設定された／連係した参照信号と決定されることができる。ここで、少なくとも１つのＳＲＳ資源に対して設定された参照信号は、ＲＲＣシグナリングを介して少なくとも１つのＳＲＳ資源の各々に対して空間関係仮定（すなわち、ＱＣＬ仮定または同じＴｘビームの仮定）が設定された（例えば、上位階層パラメータ「ＳＲＳ−ＳｐａｔｉａｌＲｅｌａｔｉｏｎＩｎｆｏ」を介して設定／指示された）参照信号に該当し得る。
【０５６９】
そして／または、前記非周期的タイプに設定された特定ＳＲＳ資源セットのＳＲＳ送信が開始されるスロットオフセット情報も別に（例えば、ＲＲＣシグナリングを介して）設定／指示されることができる。そして／または、特定ＳＲＳ資源セットに含まれたＳＲＳ資源別にＯＦＤＭシンボル位置が別に（例えば、ＲＲＣシグナリングを介して）設定／指示されることができる。
【０５７０】
一方、本順序図には図示していないが、端末は、上向きリンク送信のための特定ＳＲＳ資源を指示するＳＲＩを受信できる。このときのＳＲＩは、ＳＲＩにより識別されるＳＲＳ資源に対するＳＲＳ送信のうち、最も最近の（ｔｈｅ  ｍｏｓｔ  ｒｅｃｅｎｔ）ＳＲＳ送信と連関することができる。すなわち、ＳＲＩが指示するＳＲＳ資源は、当該ＳＲＩにより識別可能な少なくとも１つのＳＲＳ資源等の送信のうち、最も最近に送信されたＳＲＳ資源を意味する／表すことと端末により解釈されることができる。
【０５７１】
本発明が適用され得る装置一般
【０５７２】
図１６は、本発明の一実施形態に係る無線通信装置のブロック構成図を例示する。
【０５７３】
図１６に示すように、無線通信システムは、基地局１６１０と、基地局１６１０領域内に位置した複数の端末１６２０とを備える。
【０５７４】
基地局１６１０は、プロセッサ（ｐｒｏｃｅｓｓｏｒ、１６１１）、メモリ（ｍｅｍｏｒｙ、１６１２）、及びＲＦ部（Ｒａｄｉｏ  Ｆｒｅｑｕｅｎｃｙｕｎｉｔ、１６１３）を備える。プロセッサ１６１１は、先に提案された機能、過程、及び／又は方法を実現する。無線インターフェースプロトコルの階層は、プロセッサ１６１１により実現されることができる。メモリ１６１２は、プロセッサ１６１１と連結されて、プロセッサ１６１１を駆動するための様々な情報を格納する。ＲＦ部１６１３は、プロセッサ１６１１と連結されて、無線信号を送信及び／又は受信する。
【０５７５】
端末１６２０は、プロセッサ１６２１、メモリ１６２２、及びＲＦ部１６２３を備える。プロセッサ１６２１は、先に提案された機能、過程、及び／又は方法を実現する。無線インターフェースプロトコルの階層は、プロセッサ１６２１により実現されることができる。メモリ１６２２は、プロセッサ１６２１と連結されて、プロセッサ１６２１を駆動するための様々な情報を格納する。ＲＦ部１６２３は、プロセッサ１６２１と連結されて、無線信号を送信及び／又は受信する。
【０５７６】
メモリ１６１２、１６２２は、プロセッサ１６１１、１６２１の内部または外部にありうるし、よく知られた様々な手段でプロセッサ１６１１、１６２１と連結されることができる。また、基地局１６１０及び／又は端末１６２０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０５７７】
図１７は、本明細書において提案する方法が適用され得る無線通信装置のＲＦモジュールの一例を示した図である。
【０５７８】
具体的に、図１７は、ＦＤＤ（Ｆｒｅｑｕｅｎｃｙ  Ｄｉｖｉｓｉｏｎ  Ｄｕｐｌｅｘ）システムで実現されることができるＲＦモジュールの一例を示す。
【０５７９】
まず、送信経路で、先に記述されたプロセッサは、送信されるデータをプロセシングしてアナログ出力信号を送信機１７１０に提供する。
【０５８０】
送信機１７１０内で、アナログ出力信号は、デジタル−対−アナログ変換（ＡＤＣ）により引き起こされるイメージを除去するために、低域通過フィルタ（Ｌｏｗ  Ｐａｓｓ  Ｆｉｌｔｅｒ、ＬＰＦ）１７１１によりフィルタリングされ、上向き変換機（Ｍｉｘｅｒ、１７１２）により基底帯域からＲＦに上向き変換され、可変利得増幅器（Ｖａｒｉａｂｌｅ  Ｇａｉｎ  Ａｍｐｌｉｆｉｅｒ、ＶＧＡ）１７１３により増幅され、増幅された信号は、フィルタ１７１４によりフィルタリングされ、電力増幅器（Ｐｏｗｅｒ  Ａｍｐｌｉｆｉｅｒ、ＰＡ）１７１５により追加に増幅され、デュプレクサ（等）１７５０／アンテナスイッチ（等）１７６０を介してルーティングされ、アンテナ１７７０を介して送信される。
【０５８１】
また、受信経路で、アンテナ１７７０は、外部から信号を受信して、受信された信号を提供し、この信号等は、アンテナスイッチ（等）１７６０／デュプレクサ１７５０を介してルーティングされ、受信機１７２０に提供される。
【０５８２】
受信機１７２０内で、受信された信号等は、低雑音増幅器（Ｌｏｗ  Ｎｏｉｓｅ  Ａｍｐｌｉｆｉｅｒ、ＬＮＡ）１７２３により増幅され、帯域通過フィルタ１７２４によりフィルタリングされ、下向き変換機（Ｍｉｘｅｒ、１７２５）によりＲＦから基底帯域に下向き変換される。
【０５８３】
前記下向き変換された信号は、低域通過フィルタ（ＬＰＦ、１７２６）によりフィルタリングされ、ＶＧＡ（１７２７）により増幅されて、アナログ入力信号を取得し、これは、先に記述されたプロセッサに提供される。
【０５８４】
また、ローカルオシレータ（ｌｏｃａｌ  ｏｓｃｉｌｌａｔｏｒ、ＬＯ）発生器１７４０は、送信及び受信ＬＯ信号を発生及び上向き変換機１７１２及び下向き変換機１７２５に各々提供する。
【０５８５】
また、位相固定ループ（Ｐｈａｓｅ  Ｌｏｃｋｅｄ  Ｌｏｏｐ、ＰＬＬ）１７３０は、適切な周波数で送信及び受信ＬＯ信号を生成するために、プロセッサから制御情報を受信し、制御信号をＬＯ発生器１７４０に提供する。
【０５８６】
図１８は、本明細書において提案する方法が適用され得る無線通信装置のＲＦモジュールのさらに他の一例を示した図である。
【０５８７】
具体的に、図１８は、ＴＤＤ（Ｔｉｍｅ  Ｄｉｖｉｓｉｏｎ  Ｄｕｐｌｅｘ）システムで実現され得るＲＦモジュールの一例を示す。
【０５８８】
ＴＤＤシステムにおけるＲＦモジュールの送信機１８１０及び受信機１８２０は、ＦＤＤシステムにおけるＲＦモジュールの送信機及び受信機の構造と同一である。
【０５８９】
以下、ＴＤＤシステムのＲＦモジュールは、ＦＤＤシステムのＲＦモジュールと差が生じる構造についてのみ説明し、同じ構造については、図１０の説明を参照する。
【０５９０】
送信機の電力増幅器（Ｐｏｗｅｒ  Ａｍｐｌｉｆｉｅｒ、ＰＡ）１８１５により増幅された信号は、バンド選択スイッチ（Ｂａｎｄ  Ｓｅｌｅｃｔ  Ｓｗｉｔｃｈ、１８５０）、バンド通過フィルタ（ＢＰＦ、１８６０）、及びアンテナスイッチ（等）１８７０を介してルーティングされ、アンテナ１８８０を介して送信される。
【０５９１】
また、受信経路で、アンテナ１８８０は、外部から信号を受信し、受信された信号を提供し、この信号は、アンテナスイッチ（等）１８７０、バンド通過フィルタ１８６０、及びバンド選択スイッチ１８５０を介してルーティングされ、受信機１８２０に提供される。
【０５９２】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０５９３】
一方、本明細書において「Ａ及び／又はＢ」は、Ａ及び／又はＢのうち、少なくとも１つを意味することと解釈されることができる。
【０５９４】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０５９５】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０５９６】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０５９７】
本発明は、３ＧＰＰ  ＬＴＥ／ＬＴＥ−Ａシステムまたは５Ｇシステムに適用される例を中心に説明したが、３ＧＰＰ  ＬＴＥ／ＬＴＥ−Ａシステムまたは５Ｇシステムの他にも、様々な無線通信システムに適用することが可能である。
【図１】
0006810269.tif 000096
【図２】
0006810269.tif 000097
【図３】
0006810269.tif 000098
【図４】
0006810269.tif 000099
【図５】
0006810269.tif 000100
【図６】
0006810269.tif 000101
【図７】
0006810269.tif 000102
【図８】
0006810269.tif 000103
【図９】
0006810269.tif 000104
【図１０】
0006810269.tif 000105
【図１１】
0006810269.tif 000106
【図１２】
0006810269.tif 000107
【図１３（ａ）】
0006810269.tif 000108
【図１３（ｂ）】
0006810269.tif 000109
【図１４】
0006810269.tif 000110
【図１５】
0006810269.tif 000111
【図１６】
0006810269.tif 000112
【図１７】
0006810269.tif 000113
【図１８】
0006810269.tif 000114